(57)【要約】【課題】従来の携帯電話は、ソーラーパネルにしても、青一色黒一色デザインが悪く、軽水素トリチウム電子と圧電素子磁石体微粒子が入って無い為、発電量が少なく更に新型自動電池等の充電不要の発電出来る電池装置は無かった。【解決手段】従来の軽水素炭素シリコン微粒子内蔵シリコンダイオードソーラーパネルを三層ソーラーパネルにする為に一枚一枚の発電シートを針穴構造にしたデザインシート装置を重ねた装置よって、デザイン画入りの軽水素トリチウム入りの圧電素子微粒子入りのデザインシートを重ねたソーラーパネルと軽水素トリチウムいりの圧電素子内蔵の高出力モーターと高出力ダイナモと高出力電磁石と高出力電磁誘導発電装置と高出力スピーカーと発電回路と発電回路コンデンサーなど軽水素トリチウムを入れた圧電素子磁石体の増幅発電装置。【選択図】図１
2010171943.tif 000002
【特許請求の範囲】
【請求項１】
日本の国の900兆円越えの全額全額返済の為に先発明した(1)の多機能新技術携帯電話は、(9)の高出力ダイナモ指回し装置の図の1の(L)の歯車付き穴に人刺し指等を、入れて
(1)の多機能新技術携帯電話を回転させて携帯電話に内蔵した(9)の高出力ダイナモすなわち、通常ダイナモの中央部分を刳り貫いた構造に対して、代わりに(43)の軽水素トリ
チウム入りの圧電素子磁石体構造の軽水素トリチウム入り圧電装置を代わりに、(9)の高出力ダイナモの切り抜いた場所に内蔵して(61)の超薄型ステンレスカバーを貼って、(9
)の高出力カバーを取り付けた構造の通常ダイナモ発電とダイナモ電気打撃発電の圧電素子電気打撃発電と軽水素トリチウムの中間子の2個の電子の圧電素子電気打撃相乗誘発
発電の三種類の発電した電気を、一度に得る事の出来る(1)の多機能新技術携帯電話の(9)の高出力ダイナモ指回し装置を、積載したした(1)の多機能新技術携帯電話装置。
【請求項２】
日本の国の900兆越えの全額借金返済の為に先発明した(109)の全自動圧電素子発電池は、(112)の蝶つがい装置を軸に二連装置の超小型の2個の(110)の鉄球を、(72)の軽水素ト
リチウム入り圧電装置に電子ライターと同じ原理で、磁気圧電効果発電を、(115)の磁極切換えインバータ電磁石装置の連続電磁石の磁極切換え装置と(105)の発電回路の軽水
素トリチウム入り圧電素子磁石体に強い電気を連続して流す事で、電気の増幅発電可能な(105)の世界初の軽水素トリチウム入り圧電素子の電気配線電気打撃発電を可能にした
技術を内蔵した(109)の全自動圧電素子発電池の上下または左右の連続した半永久連続作動によって、(114)の重水素量調整型軽水素ニッケル充電池の世界最速充電できる充電
池に、(47)の電気中の電気抵抗熱電気を取り除く装置を使用する事によって、世界最短時間の充電時間を可能にした(114)の重水素量調整型軽水素ニッケル充電池の世界最速充
電新技術と(72)の軽水素トリチウム入り圧電素子の増幅発電新技術と(47)の電気中の電気抵抗熱電気を取り除く装置の世界初の技術と(105)の発電回路の軽水素トリチウム入り
圧電素子磁石体の配線電気打撃増幅発電を可能になった事で、(109)の全自動圧電素子発電池を、半永久連続発電可能にした(1)の多機能新技術携帯電話装置。
【請求項３】
日本国の900兆円越えの全額借金返済の為に先発明した(1)の多機能新技術携帯電話は、(120)の新型自動充電池技術は、今までの半永久連続作動発電池の自動充電池の総合発電
量を上げる為に、通常ダイナモを、(8)の高出力ダイナモの軽水素の中間子の2個の電子の圧電素子相乗電気打撃効果発電の世界初の技術を備えたダイナモ装置と、(105)の発電
回路は、過去の自動充電池に一度も採用していない新技術の電気を、軽水素トリチウム入り圧電素子に、電気配線による強い電気打撃発電で、軽水素中の中間子の2個の電子の
圧電素子電気打撃相乗発電効果の電気打撃発電効果発電の複数の(105)の発電回路装置の増幅発電量と(8)の高出力ダイナモの増幅発電量を、(47)の世界初の技術の電気中の電
気抵抗熱電気を取り除く世界初の世界最速の充電装置と(114)の重水素量調整型軽水素トリチウムニッケル充電池のバッテリーとしては、世界最速充電可能な充電池技術の世界
最速充電技術を、使って、機械部品だけのダイナモ発電の総合発電量としては、世界最高発電量を可能にした(120)の新型自動電池を積載した(1)の多機能新技術携帯電話装置。
【請求項４】
日本国の900兆円越えの全額借金返済の為に先発明した(160)の超小型循環式燃料電池は、(1)の多機能新技術携帯電話は、(162)の水素と酸素の瞬間吸収発電出来る(162)の液体
マグネシウムの瞬間の気化水素と気化酸素の融合体の瞬間吸収半永久連続発電を行う為に、水に軽水素トリチウムを多く入れた少ない電気量で沸騰する水を(160)の超小型循環
式燃料電池に、(163)の特殊電熱線は、(165)のニクロム線筒官装置に、テングステン金属を内蔵して、少ない電気で温まる(165)のニクロム線構造に、(170)の超小型大理石粒
内蔵亜鉛枠リングを取り付けて(166)の超小型複数穴空きアルミニューム官と(167)の超小型複数穴空き鉄官(複数穴ステンレス)装置等の組合せの(163)の特殊電熱線によって、
熱の拡散を行い(160)の超小型循環式燃料電池の(163)の特殊電熱線の電気熱を利用して、(160)の超小型循環式燃料電池の(162)の液体マグネシウムの連続発電を可能にする為
に、(160)の燃料電池室内の空気を予め抜き取った場所に軽水素トリチウム入りの水を入れる事によって、(163)の特殊電熱線の電気熱水蒸気の連続した(162)の液体マグネシウ
ムの瞬間連続吸収発電を可能にした(160)の超小型循環式燃料電池を世界で初めて可能にした超小型燃料電池積載の(1)の多機能新技術携帯電話装置。
【請求項５】
日本の900兆円越えの全額借金返済の為に先考案した(160)の超小型循環式燃料電池は、(163)の特殊電熱線の電気熱と(162)の液体マグネシウムの蒸気水素と蒸気酸素の瞬間吸
収発電時に、熱電気になつて電気変換しずらい現象を回避する為に、(164)の複数穴の超微粒子の軽水素トリチウム入りのシリコンダイオード超微粒子粒入りの圧電素子電気磁
気誘導発電パネルによて、日本の特許庁常識とされて来た水蒸気では、燃料電池の液体マグネシウムの気化水蒸気水素と気化水蒸気酸素の融合吸収発電の電気熱ロスを、少な
くする(164)の複数穴軽水素トリチウム入り圧電素子電気磁気誘導パネルと軽水素トリチウム入りシリコンダイオード超微粒子入り圧電素子粒入りのシリコンダオード薄膜の熱
発電パネル内蔵の熱ロスを更に少なくした(160)の超小型循環式燃料電池発電機を積載内臓した(1)の多機能新技術携帯電話装置。
【請求項６】
日本国の900兆円越えの全額借金返済の為に先発明した(1)の多機能新技術携帯電話の(114)の重水素量のジュテリウムのプルトニューム量を少なく調整した重水素と軽水素トリ
チウムを混合合成した、ニッケル充電池は、水素ニッケル充電池の充電スピードを超えた今までに無い水素成分の比率を人工的に変えた水素の重水素量調整型軽水素トリチウ
ムニッケル充電池を、(1)の多機能新技術の携帯電話の(9)の高出力ダイナモ指回し装置の充電池と(109)の全自動圧電素子発電池の充電池と(120)の新型自動充電池の充電池と(
160)の超小型循環式燃料電池の(114)の重水素量調整型の軽水素トリチウムニッケル充電池は、水素ニッケル充電池と比較しても、充電スピードの速い新技術の(1)の多機能新
技術携帯電話の(114)の重水素量調整型の軽水素トリチウムニッケル充電池を積載した(1)の多機能携帯電話装置。
【請求項７】
日本国の900兆円越えの全額借金返済の為に先発明した(1)の多機能新技術携帯電話の(4)の携帯電話の携帯電話波アンテナと(5)の携帯電話の無線アンテナは、(116)の軽水素ト
リチウム入りエボナイト混合合成圧電素子磁石体構造の導体にする事で、電波発生体と電波受信体にする事が可能にした(119)の複数カラープラスチックカバー装置と(118)の
反射板にデザイン針穴形状にしたパネルバックにカラー複数カラープラスチックカバー及びステンドガラスを内蔵したアンテナの先端部分を構造にした(117)の三色カラーアン
テナデザインを主体とした(116)の軽水素トリチウム入りエボナイト混合合成した圧電素子磁石体を主体としたアンテナ構造のアンテナを積載した(1)の多機能新技術携帯電話
装置。
【請求項８】
日本国の900兆円越えの全額借金返済の為に先発明した(1)の多機能新技術携帯電話の(6)の前後一体カメラは、(94)の一つ削り合わせレンズの魚眼とつレンズは、半分から上は
魚眼レンズで有り、半分から下は、(95)のとつレンズ構造の(94)の一つ削り合わせレンズの魚眼とつレンズの世界初のカメラレンズの新しいデザイン構造形体をしたレンズを
積載した(6)の前後を同じカメラ位置から前後を一度に映す事を可能にした前後一体型カメラを積載した(1)の多機能新技術携帯電話。
【請求項９】
日本国の900兆円越えの全額借金返済の為に先発明した(1)の多機能新技術携帯電話の(99)のCCD撮像素子のフオートダイオードを、軽水素トリチウム入りフオートダイオード構
造に変えると同時に、(100)CーMOS撮像素子のアンプフオートダイオードを、軽水素トリチウム入りアンプフオートダイオードに変えると同時に(101)のフオートダイオード手
ぶれ補正装置を軽水素トリチウム入りフオートダイオード手ぶれ補正装置に変えると同時に(96)のコンピュータダイオードスイッチ回路をコンピュータ軽水素トリチウム入り
ダイオードスイッチ回路に変えると同時に(97)のコンピュータ発光ダイオードスイッチ回路をコンピュータ発光軽水素トリチウム入りダイオードに変えると同時に(98)のダイ
オード撮像素子全てを、軽水素トリチウム入りダイオード撮像素子等のダイオードを使った素子全て一つ一つに新技術の軽水素トリチウムを入れる事で、(1)の多機能新技術携
帯電話の(6)の前後一体カメラの撮像素子全てのダイオードに軽水素トリチウムを入れる世界の新技術によって、撮像を各画素ごとの電気信号に変えるスピードを、ダイオード
のみの場合より、軽水素トリチウム入りの方が数段速く成り、(97)のコンピュータ回路の発光ダイオード回路全てに軽水素を入れる新技術によって、色鮮やかな映像が楽しめ
る事に成り、(96)のコンピュータダイオードスイッチ回路では、軽水素トリチウムをダイオードスイッチ回路全てに入れる事で、カメラ操作の映像切換え等が、世界最速のス
イッチ切換え世界最速スピードに変える事が出来る軽水素トリチウム入りダイオードの新たな使い方と軽水素トリチウム入りダイオード技術を積載した(1)の多機能新技術携帯
電話。
【請求項１０】
日本国の900兆円越えの全額借金返済の為に先発明した(1)の多機能新技術携帯電話の(86)のスイッチボタン装置は、(11)の数字ボタンスイッチと(12)の絵記号ボタンスイッチ
の世界初の新技術採用の(86)のスイッチボタンは、液晶のタッチボタンとも異なり、ボタンにきっちり触れなくても、スイッチ表面が、湾曲のUの字状のスイッチ表面の形状に
対して、(83)の弱電波発射装置と(84)の弱電波キャッチ体が構造上必要になり、(1)の多機能新技術携帯電話の場合、20個の(82)の弱電波遮断型指置きスイッチ装置の為、20個
の電波を送る超小型の電波配管は、プラスチック官に、一度に20の電波連絡配管に、弱電波を送る事の出来る電波発射装置は、超小型の回路チップコイルを使用した装置と軽
水素トリチウム入りダイオードスイッチと軽水素トリチウム入り圧電素子に電気の通るプラスチックとシリコンダイオードを混合合成した(84)の弱電波キャッチ受信体構造の
(82)の世界初のスイッチデザイン形状の弱電波遮断型指置きスイッチを積載内蔵した(1)の多機能新技術携帯電話装置。
【請求項１１】
日本国の900兆円越えの全額借金返済の為に先発明した(1)の多機能新技術携帯電話の世界初の新技術は(7)の軽水素入り発光ダイオードライト玉装置は、通常はLED素子に電気
を通す事で、発光するのがLEDと金線で発行する仕組みで有るが、発光した熱を、軽水素トリチウム入りシリコンダイオードカバー装置で、LED発光熱の軽水素トリチウム入り
シリコンダイオードライト玉の発電出来る(7)の軽水素入り発光ダイオードライト玉装置を積載内蔵した(1)の多機能新技術携帯電話装置。
【請求項１２】
日本国の900兆円越えの全額借金返済の為に先発明した(1)の多機能新技術携帯電話の世界初の新技術は、(17)の軽水素トリチウム入り黄色圧電素子シリコンダイオードと(18)
の軽水素トリチウム入りの白色圧電素子シリコンダイオードと軽水素トリチウム入りの青色圧電素子シリコンダイオードと(19)の軽水素トリチウム入り赤色圧電素子シリコン
ダイオード装置に掲げるソーラーパネルは、軽水素トリチウムの物質構造は、中間子の2個の電子構造の軽水素トリチウム電子を、ソーラーパネルのシリコンダイオードに内蔵
する事で、シリコンダイオードの熱発電の軽水素トリチウムの電子誘発の熱増幅発電が軽水素の電子で可能になり、ソーラーパネルの電気変換と電気の流れをスムーズにする
事が出来て更に圧電素子の超微粒子を軽水素トリチウム入りシリコンダイオードに内蔵する事で、更に電気の流れを良くしたシリコンダイオードパネルにして、電気の通るプ
ラスチック微粒子及び電気の通るプラスチック溶液を、シリコンダイオードに合成する事で、電気が通り易い条件をそのままにしてソーラーパネルの色をあらゆる色彩対応出
来る(17,18,19,)の軽水トリチウム入りの電気の通るプラスチック超微粒子粒と超微粒子粒の圧電素子磁石体超微粒子粒を混合合成したデザイン画が可能な、ソーラーパネルを
内蔵積載した(1)の多機能新技術携帯電話装置。
【請求項１３】
日本国の900兆円越えの全額借金返済の為に先発明した(22)の軽水素トリチウム入りシリコンダイオードパネルは、通常のダイオードパネルと異なる電気熱増幅発電する軽水素
トリチウム入り、シリコンダイオードパネルは、増幅発電薄膜を、複数の圧電素子面に被せた、映像波を磁気電極安定させる為に複数圧電素子磁石体を設けて、更に発電シー
トを被せて、軽水素トリチウム入りダイオード映像パネルを張り付けた世界初の磁気電気映像波安定型の電気熱発電軽水素トリチウム入りシリコンダイオードソーラーパネル
超薄膜を内蔵貼り付け積載した軽水素入りダイオード液晶パネルを積載した(1)の多機能新技術携帯電話装置。
【請求項１４】
日本国の900兆円越えの全額借金返済の為に先発明した(38)の軽水素トリチウム入り発光ダイオード画像パネルは、世界初の新技術の今までの発光ダイオードより、少ない電気
で発光するダイオード構造は、半導体ダイオードに軽水素トリチウムを入れた軽水素トリチウム入りダイオード半導体のpn接合に電流を流すと、n形軽水素トリチウム入りのダ
イオード半導体の電子がp形軽水素トリチウム入り半導体域に、p形軽水素トリチウム入り半導体の正孔がn形軽水素トリチウム入りダイオード半導体域に今までのlEDより、少
ない電気で拡散した電子と正孔のそれぞれの領域に有る電子と正孔を再結合して少ない電気で発光する省電気消費LEDを(1)の多機能新技術携帯電話のライト及びテレビ画像パ
ネルのライトに積載内臓した軽水素トリチウム入り発光ダイオードの世界最小の電気消費を可能にした(1)の多機能新技術携帯電話。
【請求項１５】
日本国の900兆円越えの全額借金返済の為に先発明した(38)の軽水素トリチウム入り発光ダイオード画像パネルに使用するライトは、(7)の軽水素トリチウム入り発光ダイオー
ドライト玉の(41)の反射板付き軽水素トリチウム入り発光ダイオードライトガラス装置付きのライト玉を複数積載内臓して、両サイドから同時に少ない電気で照らす(39)の画
像パネルサイドライト装置を積載内臓した(1)の多機能新技術携帯電話装置。
【請求項１６】
日本国の900兆円越えの全額借金返済の為に先発明した(24)の軽水素トリチウム入り圧電素子シリコンダイオードソーラーパネル装置の世界最新技術のソーラーパネル発電量を
、世界最高発電量のソーラーパネルとして、(42)超小型圧電素子を複数レンズの中央部それぞれに入れた構造に対して(44)の超薄型複数レンズ縦両面反射板入りの(42)の超小
型軽水素トリチウム入り圧電素子内蔵の複数レンズ構造は、日の出から日の入りの太陽光が、ソーラーパネルレンズに吸収しずらい光を、複数レンズそれぞれに超小型両面反
射板を太陽光をレンズ中心部の軽水素トリチウム入り圧電素子磁石体に、太陽光の乱反射光がなるべくソーラーパネル正面で無くても光集光出来る両面反射板入りのとつレン
ズと、超小型軽水素トリチウム入り圧電素子磁石体の光熱エネルギー集光打撃の軽水素トリチウム入り圧電素子の光集光の軽水素トリチウム入り圧電素子光集光レンズ発電世
界新技術を、(1)の多機能新技術携帯電話のソーラーパネル装置に、内蔵積載した(1)の多機能新技術携帯電話装置。
【請求項１７】
日本国の900兆円越えの全額借金返済の為に先発明した(45)の軽水素トリチウム入り要素液体マグネシウムフッ素シリコンダイオードソーラー複数穴空きシートを、軽水素トリ
チウム入りシリコンダイオードソーラーパネルシートと軽水素トリチウム入り、超最微粒子要素と液体フッ素とシリコンダイオードとソーラー複数穴シートと軽水素トリチウ
ム入り圧電素子シリコンダイオードソーラーパネルと重ね合わせ貼り付けを行った太陽光の吸収熱発電効率の良いソーラーパネルを積載した(1)の多機能新技術携帯電話装置。
【請求項１８】
日本国の900兆円越えの全額借金返済の為に先発明した(48)の重水素量を少なく調整した軽水素トリチウムニッケル充電池の世界最速充電池は、(47)の圧電素子4電子磁気分割
装置の電気中の電気抵抗を取り除く装置装置を組み合わせる事で、水素にニッケル充電池より、遥かに急速充電出来る世界初の世界最速充電システムと世界で一番充電池自体
の世界最速充電能力を得た水素中の重水素のジュテリウムの原子核の熱集合体のプルトニウムの量を少なくして、代わりに軽水素トリチウムの中間子の物質構造で有る2個の電
子を、(48)の重水素量調整型の軽水素トリチウムニッケル充電池の水素の電子量を、増やして熱電気の元で有るプルトニウム重水素の量を減らす事で、(48)の重水素量調整型
軽水素トリチウムニッケル充電池の世界最速充電池充電を可能にした装置を積載した(1)の多機能新技術携帯電話装置。
【請求項１９】
日本国の900兆円越えの全額借金返済の為に先発明した(50)の回路システムボックスは、現在の携帯電話の部品回収した携帯電話の部品を直ぐ新しい機種電話に直ぐに部品とし
て利用可能にした(50)の回路システムボックスは、現在の充電池の形状の用に取り外し可能にしただけで無く、別の機能を持ったシステム携帯電話の(50)の回路システムブロ
ックのまったく違った機能を、取り換える事が出来るお金の無い消費者に対して特に便利な機能になった(50)の回路システムボックスを積載した(1)の多機能新技術携帯電話装
置。
【請求項２０】
日本国の900兆円越えの全額借金返済の為に先発明した(56)の高出力DCブラシレスモーターは、世界最小の電気消費量で、モーター回転出来る高出力電磁石装置で有り、(56)の
DCブラシレスモーターの(57)の絶縁アルミニューム金属枠型に、世界最新技術の軽水素トリチウム入り、圧電素子磁石に(59)の銅筒官コイル内蔵超薄型ステンレス板を、(43)
の軽水素トリチウム入り圧電素子に(59)の銅筒官コイル内蔵の軽水素と圧電素子超微粒子と少量のシリコンダイオード液を混合合成した電気の通り易い電気配線を銅筒官配線
に内蔵した(59)の銅筒官配線構造の電気配線を、(43)の軽水素トリチウム入り圧電素子の磁石体に(61)の2枚の超薄型ステンレス板に、(59)の銅筒官コイル内蔵超薄型ステンレ
ス板を取り付ける構造にする事で、(43)の軽水素トリチウム入り圧電素子銅筒官コイル内蔵電磁石は、軽水素トリチウムの中間子の2個の電子圧電素子相乗発電効果によって、
通常の圧電素子を内蔵した電磁石より、電磁石になるスピードが速くて電気消費が今まで以上に少なくした世界初の高出力電磁石板を可能にした(56)の高出力DCブラシレスモ
ーターを、携帯電話の音声を遅くする介護携帯電話の制御モーターとして積載内臓した(56)の高出力DCブラシレスモーターシステムブロック装置を積載した(1)の多機能新技術
携帯電話装置。
【請求項２１】
日本国の900兆円越えの全額借金返済の為に先発明した(68)の超軽量高出力モーターバイブレイションは、モーター枠を、金属枠に金属薄板を張り付けた(71)の超軽量超小型高
出力モーターカバー装置は、金属モーター枠に金属薄板を張り付けたデザイン形状に鋼鉄コイル鉄板の中心部分を刳り貫いて、切り抜いた場所に軽水素トリチウム入りの圧電
素子磁石体を、(70)の中コイル中抜き枠に(72)の軽水素トリチウム入り圧電素子磁石を内蔵積載して(77)の銅筒官配線の(75)の軽水素トリチウム入り圧電素子ダイオード配線
を(77)の銅筒官配線に内蔵したコイル配線の入っている(74)の銅筒官コイル入り2枚合わせステンレス磁石薄板をコイルとして取り付けた電磁石と人工永久磁石構造の(68)の超
軽量高出力モーターバイブレイション軸装置と世界初の電気消費の一番少ない超軽量高出力モーターバイブレイションを積載内臓した(1)の多機能新技術携帯電話装置。
【請求項２２】
日本国の900兆円越えの全額借金返済の為に先発明した(90)の超長圧電素子磁気カードライト装置は、通常携帯全体に(31)のデーター取り込みジャックの一体型の多くのデータ
ーを圧電素子磁石体の複数層に取り込める他の業者の技術に無い通常磁気と異なった圧電素子磁石体を、世界最小のナノマイミクロンの世界最小の超微粒子圧電素子磁石体物
質を、使用した(89)の夜行反射板デザイン形状の(90)の超長圧電素子磁気カードの(7)の軽水素トリチウム入り発光ダイオードライト付きカードをアタッチメントととして、使
用可能な(1)の多機能新技術携帯電話装置。
【請求項２３】
日本国の900兆円越えの全額借金返済の為に先発明した(92)のクリスタルガラス高出力スピーカーマイク装置は、(77)の銅筒官配線に、(75)の軽水素トリチウム入り圧電素子ダ
イオードコイル配線を内蔵した(81)の高出力電磁石の(43)の鋼鉄磁石の中心部分を刳り貫いた構造に対して、刳り貫いた場所に軽水素トリチウム入り圧電素子磁石体に(61)の
超薄型ステンレスカバーの高出力軽水素入り圧電素子磁石合成ステンレスカバー滑落防止カバー装置によって、(92)のクリスタルガラス高出力スピーカーマイクの(81)の高出
力電磁石スピーカーコイルを含めた構造で有り、コイルが通常コイルより、電気が通り易くて、電磁石とする軽水素トリチウム入り圧電素子磁石体にコイルを巻く為、圧電磁
石体内臓の軽水素トリチウム電子のコイル配線磁気誘発電磁石効果によって、通常の鋼鉄のみの電磁石より、少ない電気消費で(92)のクリスタルガラス高出力スピーカーマイ
クと日本国に無いクリスタルガラススピーカーデザインのスピーカーの後ろの映像が透けて見える肖像権的デザイン構造と錆びない電磁石のゴム粘土接着防護した(92)のクリ
スタルガラス高出力スピーカーマイクを積載した(1)の多機能新技術携帯電話装置。
【請求項２４】
日本国の900兆円越えの全額借金返済の為に先発明した(104)の軽水素トリチウム入り圧電素子複数発電回路は、軽水素トリチウム入り圧電素子磁石体のプラス電気発電回路と
軽水素トリチウム入り圧電素子磁石体のマイナス電気発電回路を必要とする、(72)の世界初の軽水素トリチウム入り圧電素子構造に対して、軽水素トリチウム入りの圧電素子
の磁気の一番強い部分から強い電気を流す電気打撃軽水素トリチウム電子の電気打撃相乗誘発発電の(107)の銅板電子誘導体に(106)の超小型のガラス絶縁体を入れた構造と(1
08)の超小型の電子反射絶縁体を内蔵したプラス電気発電回路とマイナス電気発電回路を世界で初めて、(72)の軽水素トリチウムを入れた圧電素子磁石体によつて、軽水素トリ
チウム電子の圧電素子磁石体の相乗誘発の電気打撃増幅発電を可能にした発電装置で有り、超小型装置を、(105)の発電回路と言い、複数の(105)の発電回路を、発電回路コン
デンサーと言い、これら装置を内蔵積載した(1)の多機能新技術携帯電話装置。
【請求項２５】
日本国の900兆円越えの全額借金返済の為に先発明した(151)のパターンプロジェクトカードは、合成映像の為の映像被写体データーと写真被写体データーを、(152)のパターン
データー入力場所にデーターストック出来る超微粒子圧電素子磁気体の多層構造と別に主力データー入力用の多層層の超微粒子圧電素子磁石体を使用した磁気カードと(153)の
充電池2重層IC等の特別なカード機能を複数取り付けた取り付けたアンテナ送受信可能な(171)の多目的複数ICカード付きパターンプロジェクトカードのアンテナは、(116)の軽
水素トリチウム入りエボナイト混合合成圧電素子磁石体アンテナを、積載した(1)の多機能新技術携帯電話装置。
【請求項２６】
日本国の900兆円越えの全額借金返済の為に先発明した(114)の重水素量を少なく調整型の軽水素トリチウムニッケル充電池は、軽水素ニッケルより充電スピードが速いだけで
無く、充電池の寿命が来た場合でも、(144)のナット型充電池蓋装置を開けて、(143)のボルトナット電極棒と(142)のニッケルブロックを取り外す事の出来て掃除が出来る構造
と(145)の重水素量調整型軽水素トリチウム液補給装置のボルトに横ポルトの補給装置が取り付けられている特殊ボルトを(114)の重水素量調整型軽水素トリチウムニッケル充
電池に取り付ける事で、充電池の解体と充電液を補給出来る装置を積載した(114)の充電池を積載した携帯電話アタメント取り付け型の(1)の多機能新技術携帯電話装置。
【請求項２７】
日本国の900兆円越えの全額借金返済の為に先発明した(155)の差し込み名前ソーラーパネルは、軽水素トリチウム入りカーラープラスチック合成板の切り絵名前文字を、軽水
素シリコンダイオードソーラーパネルに内蔵複数貼り合わせした(155)の差し込み名前ソーラーパネルを(157)の軽水素トリチウム入りプラスチックプリント超薄型シールの入
った本体側の形態電話のソーラーパネルに、(155)の差し込み名前発電ソーラーパネルを取り付ける事の出来る(1)の多機能新技術携帯電話装置。
【請求項２８】
日本国の900兆円越えの全額借金返済の為に先発明した(151)のパターンプロジェクトカードは、実際に映す写真の中に、被写体を入れる事だけで無く、被写体の着ている服を
変えたり、及び被写体の髪の色を変えたり、被写体の目の色を変えたり、被写体のマネキアデザインを変えたり、被写体の化粧色を変えたり、複数の被写体が一度に取る写真
及び動画に取り込める機能を積載した(1)の多機能新技術携帯電話装置。
【請求項２９】
日本国の900兆円越えの全額借金返済の為に先発明した(178)の2枚のガラス及び2枚のクリスタルガラス及びその他のパネルの間に、軽水素トリチウム電子入りのシリコンダイ
オードを、混合合成の視界を良くした軽水素トリチウム網を2枚のクリスタルガラスの間に入れて、軽水素トリチウム電子とシリコンダイオードの装置によって、シリコンダイ
オードの画像パネル熱発電量を軽水素トリチウム電子増幅出来て発電出来る(1)の多機能新技術携帯電話装置。
【発明の詳細な説明】
【技術分野】
【０００１】
本発明は、一般家庭及び社会全体の形態電話機能を、日本でマスコミで紹介されなかった新技術を集めた携帯電話に関する説明で有る。
【背景技術】
【０００２】
従来の一般社会家庭用の携帯電話に、(8)の高出力ダイナモ発電装置を使用した携帯電話は日本の新聞雑誌マスコミでは、一度も公開されなかったあらゆる分野に利用可能な(8
)の軽水素トリチウム入りの圧電素子磁石体内蔵のダイナモ装置を使ったあらゆる発電手段を講じたダイナモ発電装置。(例えば、特許文献1参照。)。
【０００３】
以下、図1,図2により、従来の携帯電話との違いに付いて説明する。
図1に於いて、(2)の携帯電話画像パネル装置は、(38)の新技術の軽水素トリチウム入り発光ダイオード画像パネルは、元々は、軽水素トチリウム電子の入って無い唯のダイオ
ード有り、(7)の軽水素トリチウム入り発光ダイオード玉装置に、最初は、軽水素トリチウム電子の全然入って無い発光ダイオードなど、(1)の多機能新技術携帯電話の符号の1
〜171の場合は、半永久連続作動発電池新技術に関してと世界最新ソーラーパネル技術で有り、例えば図1に関して、(6)の前後一体カメラに対しても、通常レンズと異なる図14
の(94)の一つ削り合わせレンズ魚眼とつレンズなどは、魚眼レンズの写し出す被写体を全自動被写体形状修正しなければならない為、更に追加新技術説目として、2009年9月5
日のほやほや新技術として、(172)のとつレンズの上下に魚眼レンズを取り付けた上下の視野は、広くなるレンズが出来るが実際には、カメラレンズ及びビデオレンズ及び人工
衛星レンズ及びロボットレンズの使用用途は、近い将来このカメラレンズの使用は、かなり多くなると思われる。
【０００４】
更に、(11)の数字ボタンスイッチ及び(12)の絵記号ボタンスイッチに関しても、押しボタンスイッチの電気信号をボタンでスプリングはがねスイッチを押して電気信号を伝え
るスイッチは、長く愛されたスイッチ構造とも言えるが本発明では、(82)の弱電波遮断型指置きスイッチは、スイッチボタンを押すので無く、触れるので無く、スイッチ完全
に触れなくても、弱電波遮断になれば、ここでも、世界最新技術の軽水素トリチウム入りダイオードスイッチによって、世界最速の弱電波遮断読み取りの世界最速認識連絡出
来る軽水素トリチウム入りダイオードスイッチ効果も、今までに無い世界最新の軽水素トリチウム入りダイオードスイッチ新技術で有る。
【０００５】
この他、今までの携帯電話の(13)のテレビ回路ボックス装置と(14)の携帯波送受信回路ボックス装置と(15)のインターネット回路ボックスと(16)の衛星GPS回路ボックス装置で
等の携帯電話の機能装置は、携帯電話本体と一体になって売られている為、お金の無い人が短い時間で、他の機種の機能を使用したい時は、高額のお金を払って、携帯電話を
買わなければならない現状で有る。
【０００６】
図の2のソーラーパネルの現在の現状は、昔からのブルーパネルが殆んどで有り、(17)の軽水素トリチウム入り黄色圧電素子シリコンダイオード装置が有り、(18)は、軽水素ト
リチウム入り青色圧電素子シリコンダイオード装置が有り、(19)の軽水素トリチウム入り赤色圧電素子シリコンダイオードが有り、(20)軽水素トリチウム緑色圧電素子シリコ
ンダイオード等のダイオードに軽水素と超微粒子圧電素子の粒を色付きシリコンダイオードで包んだ軽水素トリチウム微粒子を、ソオーラーパネルシリコンダイオードと混合
合成して作るだけで無く、最新技術は、この他(24)の軽水素トリチウム入り圧電素子シリコンダイオードソーラーパネル装置は、他のカラー色パネルと組み合わせて使用した
り、更に最新式技術は、(157)の最新技術は、軽水素トリチウム入りプラスチックプリント超薄型シール他、軽水素トリチウム入りのプラスチックシールの切り絵等をソーラー
パネルと切り絵とクリスタルガラスに入れて楽しむ方法などが有る著作権デザインで有り、他の使用は盗作となり犯罪行為になるのは著作権法だけで有る。
即ち、特許権を得たり実用新案登録権を得て無い物のは、正確には、特許権が確定しない前は、著作権先技術盗作の犯罪行為になり、特許権が得た時点で、特許権の技術横領
罪になり、この他知的所有財産権の技術横領罪などになるが、不思議と著作権を管轄している文部科学省の著作権は、経済産業省の知的所有財産課で有り、特許庁は経済産業、
省の管轄下になり、本来は、知的所有財産の著作権の分野のテレビマスコミ報道の盗作禁止と、新聞雑誌の盗作禁止なのだが、特許庁は、特許権で無い物は、誰でも作って商
売出来ると言う昔からの考え方で有り、経済産業省でも、先発明の保護は、国民平等に成るように一切書いて来なかったのが、法律を監視している所で有る為、いざ国の全額
国の全額借金返済の活動で有っても、2009年作られた消費者ちょうでも、国の全額借金返済活動に対しては、おそらく何も書いて無いのが現状だと言いたく無い事実で有り、
日本国が借金になってる限り、弱者国民の自立が有りえない為、郵便局等の民営化が有り、日本国が自らが、国民負担を掛けない日本国の全額借金返済は、絶対に無い現在の
事実で有ると言える。
【０００７】
この他、モーター構造に対しても、今までのモーター構造とは、異なった(136)の超小型超軽量高出力モーターの最大特徴は、電気消費が通常モーターより、数段電気消費を少
なくした世界初の技術は、ここでも軽水素トリチウム電子と軽水素トリチウム入り圧電素子技術は、本発明の色々な場面で見受けられる事に成る。
従って、軽水素トリチウム入り技術かと指摘されそうな、(100)のCーMOS撮像素子のアンプフオートダイオードが今までの技術で有り、新しい技術が、アンプフオート軽水素
トリチウム入りダイオードの新技術は、写真及びビデオ映像が一段と奇麗になる技術説明で有り、ダイオードスイッチ回路に軽水素を使った場合は、スイッチスピードが軽水
素トリチウム電子で速くなり、この他軽水素を、液晶パネルの発光ダイオードパネルに軽水素を入れた場合、発光する為に使用する電気が少なくて済む技術は、言うまでも無
いのは、2008年10月頃特許の請求項では、300件以上の知的所有財産の日本国の900兆円越えの借金全額返済に対しての特許文章に見なす事の出来る知的所有財産文章を、経済
産業省と知的財産課と特許庁総務課の多くの人間が確認しているだけで無く、北海道庁知事には、書いて直ぐの知的所有財産文章を確認して頂いてる事も、本当の事実で有り、
東京都の知的財産高等裁判所でも、3名ばかりが既に先著作権技術確認は、頂いているのも、事実で有り、内容は、更に特許権に近い文章に書き足されている点も、今後の国土
交通省ネテス公開と文部科学省の文化庁の著作権発生証明登録の著作権特許文章先技術の公開も、視野に入れなければならない理由が、マスコミテレビ報道の著作権の盗作防
止と新聞雑誌等の肖像権の盗作防止は、実際に著作権法で書かれているが、日本国の全額借金返済の為の著作権先技術保護が書かれて無い為、特許庁に先技術の発生証明に対
しての保護の在り方を特許法に明記して下さいと特許庁長官に嘆願しても、日本の国の全額借金返済活動は、日本の特許庁長官と日本の経済産業省長官は、日本国の全額900兆
円越えの借金返済活動に絶対に協力出来ない事の回答で有る事実とは、全世界の特許提出無料制度は、日本国の全額900兆円越えの全額借金返済の特許提出と日本語を海外語に
書換える仕事の代筆は行わないの回答が、特許法に書いて無い為との説明の一転パリが現状の事実で有る。
【発明の概要】
【発明が解決しようとする課題】
【０００８】
以上述べた従来の携帯電話では、電気不足の為、数々の超小型電気製品使用が困難で有り、元日本の国の事業会社で有ったNTTで有っても、全世界全ての携帯電話の販売独占事
業が出来ない為、日本国の全額借金返済の為の、海外所得税の国税収入を少なくして、反対に日本国内に、海外携帯会社のすぐれた技術だけが入る為、税収不足にしかならな
かった携帯電話の省エネルギー技術で有り、企業特許番号公開義務が無い為だけで無く、元日本国の事業で有ったNTTの特許番号公開が無い事でわかる用に、明らかに国自らが
弱者国民に対して、無駄な金を使って商品の特許番号を確認しなさいとの経済産業省管轄の特許庁長官自らが、長年に渡っても、元日本国の財産で有ったNTT電話会社及び子会
社のNTTドコモの携帯会社に至っても、特許番号の公開明示は、特許法に義務と書いて無い点と罰則規制が書いて無いだけで無く、最近の酒おび運転の罰則強化の流れに対して
、矛盾している点が特許法に目立ち過ぎる課題が多すぎて、日本国の全額借金返済活動が不安になる課題説明で有る。
【０００９】
本考案は、長年にわたる資本主義国家のお金第一主義の提出主義から、国際法で守られて来ているお金が無い者でも国際的に守られている先技術発生優先の著作権の文書発生
事実財産権に基ずいて、長年日本国全体の貧困社会及び弱者社会及びテレビマスコミ及び新聞社会から見放される資本の無い者とされる人達全体を自立させる為に、日本国国
会で決めた電話会社の民営化の著作権携帯電話財産を超える為の、より多くの全世界に無くて、これから絶対に必要とされる半永久連続の携帯電話作動出来る新型自動充電池
技術と、世界最速充電出来るソーラーパネル新技術と世界最大級の発電量を誇る新型ソーラーパネル技術を効果的に無料試作品が推進出来る用に、経済産業省に、公開マスコ
ミ会談の場を設けて、実用新案登録及び特許権になった時は、海外の2代財団と共同で世界の弱者貧困社会の自立の為に、海外それぞれの持ち得ている特許切れ知的所有財産及
び特許権者に、日本国の日本国の全額借金返済する日本国の官庁機関に、日本国内では、弱者国民に対しては日本企業は、相手をしない為、日本国の官庁と都道府県市町村と
共同で、日本の大学の名誉教授及び有識者でも、現在の日本国の全額借金返済を、直ぐに払って安定した日本国の国作りをする言葉すら実際にマスコミを通じて話した者がい
ない現状とは、日本国全てが自由個人資産作り国家の為、一度作り上げた資産は、日本国で保護している為、日本国が先に滅びても、資本主義個人個人が生き残るシステムで
有る為、日本の弱者国民が資本主義に巻き込まれて、最低生活が、脅かされないように、多機能新技術を、世界トップの日本の弱者庶民一人一人のの生活自立と全世界の弱者
庶民が自立出来る社会作りを目的とした電池税と言う一年間に使用する電池買換え料金より、安い国税または、地方税によって、国と地方の自立を目的とした多機能新技術携
帯電話で有る。
【課題を解決するための手段】
【００１０】
そして、本考案は、上記目的を達成する為に、特開2003ー328925号公報の真空装置と機械式発電機を使った水だけの発電機の無害無給油の半永久連続作動発電機すなわち別名
水発電機で有り、燃料電池の無給油の半永久連続発電機と特願2006ー140535号公報の自動電池と2連振子型機械式発電機の改良型は、今までの自動電池の発電量及び2連振子型
機械式発電機の発電量を増やす事の出来た解決手段としての世界最新技術を説明する。
従って、まず最初に、2001年当時の、自動充電池別名永久電池は、この当時電動ドリルの充電池として、20分ほどで充電完了する水素ニッケル充電池の他社の技術を知った為、
2001年前に考案して有った手ぶりダイナモ発電充電方式を、改良した永久電池を考えた理由の一つとして、セイコウ時計社より、前にダイナモ手ぶり発電装置は、考案して合
ったが、証拠事実は、残って無い為、手ぶりダイナモ時計型発電方式を諦める理由には、この当時のダイナモ発電量が少なかった事とたとえダイナモで発電出来ても、急速充
電出来るバッテリー及び充電池が無かった為で有る。
更に、電気中の電気抵抗熱電気を取り除く技術は、2001年前は、夢のまた夢で有ったからで有る。
従って、最初の自動充電池すなわちこの頃の永久電池は、水素ニッケル充電池を使用した電子レンジの装置を応用した電気電子変換装置と複数歯車と振子装置と超小型全自動
ゼンマイモーター巻き取り型の装置と振子装置のインバータ電磁石磁極連続切換えで、振子装置の左右往復歯車作動による超小型ダイナモ発電量の方が勝る事によっての現在
の自動充電池で有り、この当時の永久電池の現状で有ったが、2連振子型機械式発電機は、燃料電池の無害無給油の半永久連続作動発電機の夢を叶える事を、既にこの当時燃料
電池の無害無給油の半永久連続作動発電機の技術の一歩は、確立していた事になる。
本題に入る。
従って、(1)の多機能新技術携帯電話に積載する(120)の新型自動充電池は、特願2006−140535号公報の2連振子型自動充電池の発電量を上回った更に小さな自動充電池技術に構
造を変える手段として説明する。
まず最初に取り組んだのが、中学3年で、友達とのいたずらで知った圧電素子と中学当時に理科で聞いた水素の爆発力とエネルギーこれらの言葉は、水素が軽水素と重水素に別
れる知識、圧電素子は、磁気圧を掛けたりすると電子と言う電気を作り出す磁石体だった事を、自然学習してた事が、通常ダイナモの発電量を増幅出来る装置説明のきっかけ
になる。
実際に、通常ダイナモの中心部を刳り貫き、刳り貫いた場所に軽水素トリチウム入り圧電素子磁石体を代わりにはめ込むのだが、軽水素トリチウムまたは軽水素の物質構成は、
中間子構造が、2個の電子から成り立つ構造は、図書館の百科事典に書かれている説明通りで有る。
従って、軽水素トリチウム電子を圧電素子と混合合成した物質または、シリコンダイオードに大量の軽水素を、混合合成した軽水素入りシリコンダイオードを、超微粒子の軽
水素トリチウム電子の多く入ったシリコンダオードの粉及び超微粒子を、圧電素子と混合合成した圧電素子を作る第一段階の結果は、軽水素トリチウム電子の入った圧電素子
は、強いダイナモ発電電気打撃を軽水素トリチウム電子入り圧電素子に注がれる結果、ダイナモ発電した電気量と圧電素子が発電した電気量と軽水素トリチウム電子が圧で素
子の電気打撃相乗誘発発電した電気量の三種類の発電した電気と正確には、超微粒子粒のシリコンダイオード超微粒子粒のダイナモ熱発電も、微量だが行ってる計算になり、
結果は四種類の発電した電気を得る事の出来る(8)の高出力ダイナモ装置の増幅発電理由説明になる。
軽水素トリチウム電子入りの圧電素子を固定する構造説明。
従って、通常ダイナモのダイナモ軸と、軽水素トリチウム電子入り圧電素子と分離する為、(131)のダイナモ軸と穴空きダイナモの固定装置は、(131)のダイナモ軸に超小型金
属平板装置または、鉄筋等などを軸とダイナモ本体を固定して、ダイナモは、太めのボルトナット繋ぎ方式でも良いが、(131)のダイナモ軸と(43)の軽水素トリチウム電子入り
圧電素子磁石体は、一緒に圧縮作成される事になる。
さらに、(43)の軽水素トリチウム電子入りの圧電素子の(131)のダイナモ装置滑落防止対策として、(61)の超薄型ステンレスカバーを、(43)の軽水素トリチウム電子入り圧電素
子滑落防止対策として、行い(130)の高出力ダイナモ止め金具装置として、ポルトナット止め出来る構造説明で有る。
軽水素トリチウム入り圧電素子の著作権先技術発明の年月日証明は、北海道知事先技術著作権証明の郵便物受理書が著作権技術として、実在しておるだけで無く、経済産業省
知的所有財産課と特許庁総務省は、高出力ダイナモの存在は、既に確認済みで有る。
【００１１】
また、第2の課題解決手段として、(120)の新型自動充電池に積載する(114)の重水素量調整型軽水素トリチウムニッケル充電池の説明を始める。
確かに、水素ニッケル充電池は、他社の技術として、存在しては実際に販売されている商品で有るが、(120)の新型自動充電池は、水素ニッケル充電池の充電スピードを更に速
くした充電時間短縮可能な充電池技術の開発で有った。
従って、水素ニッケル充電池以外の古い充電池は、半日充電に成り、バッテリーは、一日充電が現在の常識で有る。
常識を変える為に、充電時の熱を発生させずに充電する方法として、まず最初に水素物質を、大きく分けて、重水素ジュテリウムのプルトニウム重水素と軽水素トリチウムに
大きく2つに分ける事が出来る。
尚重水素ジュテリウムの物質構造は、中間子構造の原子核一つと電子と原子核自体は、プルトニウム原子核構造になり、軽水素トリチウム物質構造は、中間子に2個の電子が有
る軽水素物質から成り立っている。
課題解決問題
従って、水素中の軽水素の中間子物質の電子は、電気と同じ物質と考えて良い為、水素ニッケル充電池の急速充電を妨げる物質は、重水素の中間子の物質構造の1個の電子では
無く、原子核のプルトニウムが水素ニッケル充電池の急速充電を妨げた理由で有り、軽水素ニッケル充電池と言う考え方の発明表明も、実際にあり得るが、今回は、(114)の重
水素量を、少なく調整した軽水素トリチウム入りニッケル充電池とした、世界初の特許技術説明になる。
尚、軽水素液体マグネシウム入りニッケル充電池は、燃え無ければ世界最速の充電池技術になる。
現在、液体マグネシウムを燃えずらい工夫として、液体フッ素と液体マグネシウムとバリウム液混合の溶液の液体マグネシウムフッ素バリウム溶液の軽水素ニッケル充電池が
考案しても、試作してない為、燃えるか燃え無いかの説明は、二つに一つの説明になる。
従って、(114)の重水素量調整型軽水素ニッケル充電池を更に、世界最速の充電スピードに変える技術が墫野和夫の特開2004ー304992号広報の電気から電気抵抗を減らして電気
を長持ちさせて電気製品に無理をかけない電気装置の在り方。
即ち、電気中の電気抵抗熱電気を、電気中から取り除く、世界初の装置説明。
従って、圧電素子の中心部分のプラス圧電素子中間部分の磁気に電気配線を裏表に一本ずつ設けて、通常の生の電気を流して圧電素子のプラス磁気に電気は、電子磁気化され、
一瞬だが、圧電素子の中心部分のプラス圧電素子磁気から流れた通常の生の電気は、圧電素子磁気化をしている事に成る。
その為、圧電素子の磁気の強い場所に設けられた電気配線からは、圧電素子の磁気の強い部分の電気だけを得る事が出来て、圧電素子に溜まった圧電素子磁気の熱抵抗圧電素
子磁気熱抵抗電気は、圧電素子中央部に設けられた熱抵抗電気のリサイクル配線によって、もう一つの(47)の圧電素子4電子磁気分割装置によって、圧電素子のプラス熱抵抗電
気の再処理可能技術になり、(47)の圧電素子4電子磁気分割装置によって、今まで世界で不可能で有った電気中の熱抵抗電気を取り除く技術説明で有り、マイナス電気も、もう
一つの圧電素子4電子磁気分割装置によって、マイナス電気処理が行われる電気中から電気抵抗熱電気を取り除く説明で有る。
以上の発明説明でわかる用に、(114)の重水素量調整型軽水素トリチウムニッケル充電池の世界最速充電が(47)の圧電素子4電子磁気分割装置によって可能になった事実説明で
有り、この装置を、リニアーに取り付けた場合、海外リニアースピードを超える技術が可能になり、なぜ日本だけが超電導配線の新技術発明がこの当時無くて、リニアースピ
ードを上げる事の出来た説明は、圧電素子磁石体を使った技術によって、電気中の電気抵抗を取り除く技術を、特許庁などから情報を得たとしか思えない。
確かに、地方の全額借金返済の為に、特許文章の発明の確認として、2002年10月の東京都知事ト全国の知事は、2003年3月の特許提出前に情報を知りえていた知事が情報を他人
に売る行為は、絶対に無いはずで有り、残るは朝日テレビにも2002年当時、国と地方の全額借金返済の為に、手紙相談したが一度も回答の手紙一つ返って来ていないのも、NHK
放送局は、必ず回答するが、他の民間テレビは、50円の切手代金と手間が、お金と言う利益に成らない為、手紙回答は、殆んどしないのも現状で有る様で有る。
いずれにしても、この装置が、実際に使用された場合、少ないお金で全世界の家庭電気消費を少なく出来て、電世界の企業の電気消費を少なく出来て、おそらく特許認定を受
けて、日本の特許庁と圧電素子特許切れ発明者と日本の国と共同で、会社を作った場合でも、日本国の、900兆円越えの全額借金返済は、早い内にかたずくはずと言える。
【００１２】
第2の課題解決手段の続きの(120)の新型自動充電池にどうしても必要とされる(56)の高出力DCブラシレスモーターの説明で有る。
従って、DCブラシレスモーターを少ない電気消費で作動出来るDCブラシレスモーターの構造説明として、(58)の絶縁金属の正方形枠内に(43)の軽水素トリチウム電子入り圧電
素子磁石体を(58)の絶縁金属枠に軽水素トリチウム電子入り圧電素子磁石体を内蔵させた構造としている技術が、本田技研と特許庁が先技術として主張しているモーター技術
の磁石体より、軽水素トリチウム電子が、多く入った電子は、電気を流すだけで圧電素子電気打撃相乗誘発発電を軽水素トリチウムの物質構造上のトリチウム中間子に2個の電
子が圧電素子電気打撃相乗誘発発電効果によって増幅発電出来る圧電素子磁石体の軽水素トリチウム電子入り圧電素子磁石体の世界初の技術は、本田技研のモーターの電磁石
技術としては、マスコミテレビ公開されていない世界最新技術が実際に墫野和夫が先考案した事実が有る事。 
高出力モーターの2つ目の理由
日本国内では、古くは東芝電気のセラミック超電導配線は有るが、コイル配線にならない為、使用出来ない。
最近の慶応大学のケイ素要素等の固めてた超電導配線も、コイル配線に不向きな為、使用出来ない。
上記のコイルにならない電気の通りが良い電気配線として、(77)の銅筒官配線に、電子を作り出す圧電素子磁気微粒子と軽水素トリチウム電子と軽水素トリチウム電子の圧電
素子磁石体漏れ防止の為に、少量のシリコンダイオードを用意して、軽水素トリチウム電子と超微粒子圧電素子磁石体と少量のシリコンダイオードを混合合成した電気配線を
銅筒官に入れてコイル配線にした(77)の銅筒官コイル配線を、(43)の軽水素トリチウム入り圧電素子磁石体に巻いた構造または、(43)の軽水素トリチウム入り圧電素子にコイ
ルを巻いた形状を薄くする為の対策方法説明。
従って、(61)の超薄型ステンレス板を2枚用意して、平板状の(77)の軽水素トリチウム電子と圧電素子磁石体の超微粒子と少量のシリコンダイオードを銅筒官電気配線に入れた
電気の通りが良い物質だけで作った電気配線物質を入れた(77)の銅筒官配線を平板状にして、2枚の(61)の超薄型ステンレス板に内蔵した、コイル板を(58)の絶縁金属枠に取り
付けた高出力電磁石コイル板を絶縁体付きで円形に並べた装置を、(56)の高出力DCブラシレスモーター装置の電磁石装置になる。
以上の世界で初めての、モーターの軽水素トリチウム入り圧電素子電磁石装置に電気を流す事で、軽水素トリチウム電子増幅発電を行えるDCブラシレスモーターの世界初の電
磁石構造説明で有る。
以上の二つの世界初の新技術を取り入れたDCブラシレスモーターの電磁石装置は、世界最小量の電気消費で、DCブラシレスモーターが作動出来るだけで無く、(47)の圧電素子4
電子磁気分割装置を取り付ける事で、世界中のモーターの電気消費が一番少ない技術者の先技術のDCブラシレスモーターの高出力モーターの省電気消費モーターの発明になる。
【００１３】
第2の課題解決手段の(120)の新型自動充電池の新技術として、(8)の高出力ダイナモ新技術説明と(114)の重水素量調整型軽水素トリチウムニッケル充電池新技術説明と(56)の
高出力DCブラシレスモーター説明と(47)の圧電素子4電子磁気分割装置の世界最速充電池充電装置説明と(105)の発電回路素子説明を始める。
要するに、簡単に説明すると圧電素子の圧電効果の発電は、電子ライターの超小型磁石体の合成石で広く世界中に知られた圧電素子磁石体の発明者の技術で有る。
そのわりに、使われて来なかった発電装置としては、ダイナモ装置より、発電量が少ない為、使われなかったのが現状で有った。
圧電素子磁石体を発電量を増やす技術の課題解決手段の説明で有る。
従って、墫野和夫としは、2002年の8月上旬の著作権技術説明文章に乗ってる高出力ダイナモ装置としてのダイナモの電気増幅装置と水素イオンの在り方説明にも書かれている
先技術で有る。
問題の圧電素子の発電量を上げる為に、当初水素だけで考えたのが、まず超微粒子圧電素子磁石体に水素の混合合成技術で有ったが、後に脳離に浮かんだのは、水素の爆発力
は、重水素プルトニウムと軽水素に別れる事を中学の時から学校の先生から聞いて知っていたからで有る。
次に、考えたのが重水素プルトニウムは、熱集合体の為、敬遠して軽水素を圧電素子に入れる事を考えて、図書館の百科事典で軽水素の構造内容は、中間子に2個の電子が有る
だけの物質で有り、重水素は中間子の構造説明として原子核のプルトニウムに1個の電子構造がわかり、完全に試作試験しなくても、発明説明全てが100パーセント説明出来る
事になる。
元々、軽水素も、発火性の優れた分子構造の予測が、2002年前から正確に理解出来ていた事になる。
従って、圧電素子磁石体に、軽水素トリチウム電子を内蔵する技術だけでは、軽水素が圧電素子から蒸発して抜け出る事故対策として、軽水素トリチウムをシリコンダイオー
ドと混合合成させた80パーセント軽水素物質と言える様な濃厚度の軽水素トリチウム入りシリコンダイオード超微粒子粒を超微粒子圧電素子体を混合合成した(72)の軽水素ト
リチウム入り圧電素子磁石体を作り上げる第一作業説明で有る。
更に、(105)の発電回路の発電した電子をプラス電子とマイナス電子に分ける装置の説明で有る。
従って、(72)の軽水素トリチウム入り圧電素子磁石体の中央部分に(106)のガラス板絶縁体と(107)の銅板電子誘導体を重ねた装置を圧電素子磁石体の丁度中間部分に内蔵設置
する事で、圧電素子磁石体の磁気の強い部分片方に強い電気のとりこみ配線を取り付けて(72)の軽水素トリチウム入り圧電素子磁石体のプラス磁気から強い電気を流すと圧電
素子磁石体の電気打撃発電と軽水素トリチウム電子入り圧電素子磁石体は、圧電素子の電気打撃軽水素トリチウム電子の相乗誘発電気打撃発電を行う事に成り、増幅発電した
電気は、圧電素子磁石体のプラス磁気から、通常はマイナス磁気に抜けるのだが、本発明では、(106)のガラス絶縁体付きの(107)の銅板電子誘導体を、(72)の軽水素トリチウ
ム入り圧電素子磁石体の丁度中間部分に内蔵する事で、増幅した電子は(107)のガラス絶縁体付きの銅板電子誘導体を経て、(72)の軽水素トリチウム入り圧電素子磁石体の中央
部分に取り付けられた電気配線から、圧電素子のプラス磁極から流れる電気は、圧電素子磁石体のプラス磁気の弱い部分に設置して有る(107)の銅板電子誘導体と(106) のガラ
ス板絶縁体が重ねて接合した銅板電子誘導体から、プラスの増幅電子を得る事が出来る。
従ってマイナス電気は、別の(72)の軽水素トリチウム入り圧電素子磁石体を使用して、(72)の軽水素トリチウム入り圧電素子磁石体の丁度中間部分に、マイナス電気誘導体の(
106)の超小型ガラス絶縁体板に(107)の銅板電子誘導体を取り付けた装置を、(72)の軽水素トリチウム入り圧電素子に内蔵した上で強い電気を圧電素子のマイナス磁気の一番強
い部分から電気を流す事で、軽水素トリチウム電子効果によって、(72)の軽水素トリチウム電子入り圧電素子磁石体の丁度中間部分の(107)の超小型ガラス板絶縁体付き銅板電
子誘導体からマイナス増幅電子を得る事が出来る(105)の発電回路の構造説明で有り、本発明の(120)の新型自動充電池の(105)の発電回路として使用されるだけで無く、あらゆ
る電気製品の(105)の発電回路を内蔵設置して、(105)の発電回路に電気を通すだけで、増幅発電出来る世界初の(105)の発電回路素子の発明で、日本国の全額900兆円越えの全
額借金返済に新たな発明としての道しるべを付ける事になる。
【００１４】
第3の課題解決手段として、(1)の多機能新技術携帯電話の別の半永久連続作動発電池の(109)の全自動圧電素子発電池の説明を始める。
従って、(120)の新型自動充電池以外の半永久連続作動発電池が必要だった理由と構造を説明する。
まったく別の(109)の全自動圧電素子発電池は、図17 に有るように(72)の軽水素トリチウム入り、圧電素子を超小型2連の長方形筒の両サイドそれぞに取り付け、(112)の蝶つ
がい装置を軸にして、(110)の2個の鉄球を(115)の磁極切換えインバータ電磁石に、(105)の発電回路を複数使った電気増幅装置と(121)の電気電子増幅装置の電子レンジ方式装
置又は変圧機を回路状にした装置を、取り付ける事によって、(110)の2個の鉄球の左右連続作動によって、発電する装置で有り、(47)の特開2004ー304992号公報の電気から熱
抵抗電気を減らして電気を長持ちさせ電気製品に無理をかけない装置の有りかたに対しての圧電素子4電子磁気分割装置を、内蔵積載する事で、電気消費を少なく抑えて発電す
る装置で有り、(111)のレールモーター高出力DCブラシレスモーターの棒状レールモーターを使用している為、(110)の鉄球の左右連続移動は、速くなる計算に成り、(114)の重
水素量調整型軽水素ニッケル充電池の(47)の圧電素子4電子磁気分割装置の世界最速充電装置を使った(109)の全自動圧電素子発電池装置で有る。
但し、(72)の軽水素トリチウム入り圧電素子の発生した増幅電子は、2枚の銅板の間に圧で素子超小型平板を内蔵した圧電素子の電子電気分割装置によって、発電した電気を(1
14)の重水素量調整型軽水素ニッケル充電池に世界最速充電出来る装置説明で有る。
【００１５】
第4の課題解決手段として、(160)の超小型循環式燃料電池(魔法瓶2重構造方式の携帯電話の発電池)は、電熱線熱循環沸騰水連続(162)の液体マグネシウムの気化蒸気水素と気
化蒸気酸素の融合体の瞬間の(162)の液体マグネシウム吸収連続作動発電池で有る。
本発明の発電物質は、(161)の軽水素トリチウム入りの水と(160)の超小型循環式燃料電池は、一番最初に(161)の軽水素トリチウム入り水を、(160)の超小型循環式燃料電池室
内の空気を全て抜き取ってから、(161)の軽水素トリチウム入りの水を規定量入れる手段を取っている。
電熱線構造説明。
超小型循環式燃料電池(160)の課題解決手段の説明。
従って、(163)の特殊電熱線のテングステン金属入りニクロム線筒型装置は、2008年10月頃の先著作権考案の先技術主張の財産権の(163)の特殊電熱線全体の構造説明を始める。
課題解決手段として、電熱線を使用する為、(161)の軽水素トリチウム入りの水と予め発電池内の空気を抜き取って置く技術によって、富士山位の気圧で、水を沸騰させると86
度近辺で沸騰する為、電気ニクロムの電気消費は、少しだけ抑える事が出来る
更に、本発明の場合、ニクロム線で、軽水素トリチウム水を沸騰させる程温度を上げずに済む手段は、水の酸素と水素に中る部分の重水素を全て取り除いて軽水素の多い量に
対して酸素を少なめに調整した場合、(162)の液体マグネシウムには、軽水素がいつも吸収状態での水の蒸気化を低い温度で蒸発する現象を利用した(160)の超小型循環式燃料
電池の酸素と水素説明で有り、(163)の特殊電熱線に(170)の超小型大理石粒内蔵亜鉛枠リングを2個取付けて(166)の複数穴空きアルミニウム筒官に(170)の超小型大理石粒内蔵
亜鉛枠リングの絶縁リングを再び付けて(167)の複数穴空きステレス官を取り付けた電熱線複数熱蓄積金属装置カバーで有る。
上記の(163)の特殊電熱線構造とニクロム線と熱蓄熱金属装置カバーに対して、テングステンと銅の合金が理想の燃料電池の熱蓄積合金属で有る。
【００１６】
この他、(162)の超小型循環式燃料電池の液体マグネシウム発電時に、電気変換する際、余分な電気熱を放出しない対策の為、複数針穴の軽水素トリチウム入り圧電素子磁石板
の枠内に内蔵して再び軽水素トリチウム入り圧電素子を被せる事で、(162)の液体マグネシウムの蒸気水素と蒸気酸素の瞬間吸収発電時の無駄な電気熱は、圧電素子磁気で避け
られ更に、発生した電気熱は、圧電素子磁石パネル内の軽水素トリチウム入りシリコンダイオード粒の電気熱の圧電素子発電は、可能になる。
この他、空いている空間には、(162)の液体マグネシウムを内蔵した(164)の複数穴軽水素トリチウムり圧電素子磁気誘導体に、軽水素トリチウム入りダイオード糸によって作
り出した発電糸と発電布で、(164)の複数穴軽水素トリチウム入り圧電素子電気磁気誘導パネルを保護する発電網によって、保護した構造の場合、図24の中央に一つだけ電熱線
を取り付けた構造になる。
この他、(163)の特殊電熱線に、土粘土を巻きつけてアルミニューム板を巻きつけて再び粘土を巻きつけて超薄型ステンレス板を巻きつけた電熱線温度で、軽水素燃焼を防いだ
装置説明で有る。
この他、(160)の超小型循環式燃料電池の電源は、(114)の重水素量調整型軽水素トリチウムニッケル充電池は、ケースの内側を軽水素トリチウム入りシリコンダイオード熱発
電パネル付き充電池構造とした特別の充電池構造になる。
更に、(105)の発電回路は、この場合、超小型の別の発電装置が必要とされる為、(105)の発電回路の他、夜の暗闇でも、(160)の超小型循環式燃料電池発電池の電気熱発電ソー
ラーパネルの一部ソーラーパネル軽水素トリチウム入りシリコンダイオードの熱発電が可能になるソーラーパネル一部一体型構造の他は真空二重構造になっておる特殊構造の
携帯電話構造になる。
【００１７】
第4の課題解決手段の追加燃料電池瞬間蒸気技術として、燃料電池の(163)の特殊電熱線の周りの壁構造説明としてガラスを高温で熱して出来る結晶即ち、水を吸収出来るナノ
構造、物質で、水を吸収出来ていくらか温度に耐える物質説明で有る、この他陶器に木製のギザ目官及びギザ目網パネルを陶器粘土に仕込んで、木だけが燃えて、ガラスを高
温で熱した物質の表面も、ザラザラ代替商品を作って、低い温度で沸騰する最初真空内の軽水素入りの重水素抜きの水を、少ない電気熱で蒸発させる方法で有る。
従って、特にガラスを高温で熱して作る材料には、超薄板小粒の金属反射板を入れた水の短時間吸収装置を付けると同時に、特殊電熱線で無い、ヒヨコを温めるライトの改良
型として、ライトのガラスをクリスタルガラスに変えて、複数重ね三重ライトガラスの構造は、軽水素トリウム入り透明シリコンダイオードをライト玉のガラス筒に入れてた
構造の発電複数丸穴付きのクリスタル厚ガラスをライトの玉に、取り付けて、絶縁体を発電クリスタルガラスに取り付けて何重にも、光熱発電出来る軽水素トリチウム入り、
透明シリコンダイオード装置の複数取り付けによって、本発明の(160)の超小型循環式燃料電池の最大の欠点の電熱線等による蒸気水素と蒸気酸素の作る時に消費する電気熱を
、少なくする補助発電装置で有る。
【００１８】
第4の課題解決手段として、(162)の液体マグネシウムは、(161)の軽水素トリチウム入り水が、蒸気水素と蒸気酸素にならない限り、プラス30度の水温でも、発電出来る軽水素
トリチウム入りダイオードの発電網目ブロックは、(162)の液体マグネシウムに、すっかり納まって、熱吸収発電出来る(160)の超小型循環式燃料電池発電装置の構造と発電説
明で有る。
従って、(160)の超小型循環式燃料電池は、最初は、低い温度発電出来る装置変え技術が求められる為、(26)の軽水素トリチウム入りシリコンダイオードシート及び、パネルに
(175)の超細テングステンコイルを内蔵した超小型の(43)の軽水素トリチウム入り圧電素子平板を、超薄型の(26)の2枚の軽水素トリチウム入りシリコンダイオードシート中心
部に内蔵した(175)の超細テングステンコイルに電気を流す事で、軽水素トリチウム入り圧電素子の電気打撃発電と、(26)の軽水素トリチウム入りシリコンダイオードシートの
熱吸収発電と(175)超小型循環式燃料電池の(161の軽水素トリチウム入り水は、重水素を全て抜き去った水を、(176)のケイ素超微粒子貼り付け穴空き軽水素トリチウム入りダ
イオードシートの(161)の軽水素トリチウム入り水は、低い温度でも、(162)の液体マグネシウムの蒸気水素と蒸気酸素の融合体の液体マグネシウム発電出来る(160)の超小型循
環式燃料電池で有り、通常電熱線は、電気消費が大きくて、多くの電気消費をする為、超小型にする程、技術が難しいのは、発明の難しい時間を理解して頂きたい。
その為、低い温度で(161)の軽水素トリチウム入り水が、重水素が入って無い為、軽水素トリチウム電子が、電気吸収する為、(161)の軽水素トリチウム入り水が、低い温度で
蒸気化する説明で有る。
その他、(160)の超小型循環式燃料電池は、低い温度でも、水を蒸気化させる為に、(182)の複数穴空き軽水素トリチウム電子入りシリコンダイオード発電パネルは、(179)のテ
ングス電熱線発電シートに内蔵されている(178)のテングステン電熱線は、陶器及びセラミック及びガラスなどで固められて為、切れない構造になってる装置の低い設定の電気
熱で、(26)の軽水素トリチウム電子入りシリコンダイオード装置によって、電気熱吸収発電出来るシリコンダイオードに軽水素トリチウム電子が内蔵された電気熱増幅発電出
来る軽水素トリチウム入りのシリコンダイオード装置説明で有る。
この他、(181)の液体マグネシウム内蔵圧電素子絶縁配線は、液体マグネシウムを囲む圧電素子磁石体のデザイン形状によって、発生する装置で有り、液体マグネシウム発電の
磁気電気の急速電気変換する為に、軽水素トリチウム電子入りの圧電素子の複数装置に電気取り込みの電気配線を取り付けた装置説明で有る。
以上の、世界最新技術の水を低い温度で、少ない電気消費量で燃料電池発電池を全世界に無い先発明の組合せに、よって、(1)の多機能新技術携帯電話の燃料電池積載可能にし
た技術説明で有る。
【００１９】
第5の課題解決手段として、(1)の多機能新技術携帯電話の(120)の新型自動充電池の世界初の半永久連続発電池の電気エネルギー確保によって、世界初の新技術紹介を始める。
まず最初に、(36)のクリスタルガラス画像パネルの構造説明を始める。
2枚のクリスタルガラスの中に、軽水素トリチウム入りシリコンダイオードの電気発電配線網シートを、(36)の2枚のクリスタルガラスの中に入れると同時に軽水素を少し入れ
て密封した、画像パネルの映像映写熱で発電出来る世界初の新技術の(36)のクリスタルガラスの画像パネルの映像映写熱発電出来る軽水素トリチウム入りシリコンダイオード
発電網装置説明で有る。
【００２０】
第6の課題解決手段として、(37)の軽水素トリチウム入り圧電素子複数配線回路画像パネル説明で有る。
例えば、1枚の圧電素子パネルにした場合は、画像面が、右半分にプラス映像はを流して左半分にマイナス映像波を流す事に成り、尚且つ磁界曲線に沿って映像波は流れる事に
成る。
従って、技術的に無駄が多くなる為、複数の圧電素子磁石体のプラス磁気ならばプラス磁気全ての複数絶縁体配列をプラス磁気にする事で、テレビ画像全体の圧電素子磁石体
磁気の磁界が、きちんと整列されたテレビ画像パネルの磁気シリコン軽水素トリチウム入りシリコンダイオード発電シートを、(37)の軽水素トリチウム入り圧電素子複数配線
回路画像パネルに張り付ける事で、(37)の複数の軽水素トリチウム入り圧電素子磁石体の軽水素トリチウム入りシリコンダイオードの電気打撃発電が出来る画像の複数磁気の
軽水素トリチウム入りダイオード装置。
ネオンガス真空管テレビのような映像の乱れは、少なくなる説明なる。
【００２１】
第7の課題解決手段として、(1)の多機能新技術携帯電話の映像の明るさを、省電気消費で可能にした(38)の軽水素トリチウム入り発光ダイオード画像パネルの説明で有る。
従って、従来の発光ダイオードライト玉が、なぜ、日本企業が、海外技術と言われる発光ダイオード玉装置を使用しなかった理由として、発光ダイオード玉は確かに電気消費
は、世界で一番少ない電気消費のライト玉は報道されている通りだが暗い欠点のライト玉で合った。
課題解決手段の説明。
おそらく車のライトなどに、複数の発光ダイオード玉装置を使用しても、過去のライト玉より、暗くなる為、車会社でも、敬遠するのが、ダイオードライト玉で有る。
従来の、発光ダイオードライト玉装置の明かりを、明るくする世界初の技術説明として、発光ダイオードの玉のダイオードに軽水素トリチウム電子を予め混合合成する事で、
今まで暗かった、2009年3月1日電気が一番わかる発行所株式会社技術評論社の121ページの日経BP社ポータルサイトのECO JAPANのヘッドライトを、公式公開しているライトの
光を、数倍に明るく出来る技術が、発光ダイオードライト玉装置のダイオードに、軽水素トリチウム電子をダイオード混合合成する事で、ダイオードと混合された軽水素は、
電気熱で、発電を行う為、発光ダイオードの光は、軽水素トリチウム電子の入って無い発光ダイオード玉装置より、軽水素トリチウム電子が最初から入っているダイオードの
場合、軽水素トリチウム電子とダイオードの熱と光電気吸収発電する事実になる世界初の軽水素トリチウム電子とシリコンダイオードの世界初の発光ダイオード玉装置の発電
による増幅発電が及ぼす発光ダイオード玉を明るくする軽水素トリチウム電子効果の説明で有る。
【００２２】
第8の課題解決手段として、(39)の画像パネルサイドライトは、液晶などの画面を明るくする為のライトで有るが、横から通常にライトを照らした場合映像を明るくする効果を
半減する為に、課題対策として、(7)の発光ダイオードライト玉は、通常ライトより暗い為、テレビに不向きで有る為、発光ダイオードライトの明るさを明るくする為に、発光
ダイオードライト玉、のダイオードに、軽水素トリチウム電子を内蔵合成する事で、ダイオードのシリコンダイオードと軽水素トリチウム電子の電気熱発電を行える素子とし
て世界初の技術として、自然に直ぐに還元出来る軽水素トリチウムは、公害が無い水素中の軽水素トリチウムで有り、軽水素トリチウムの物質構造が、中間子に2個の電子構造
の為、電子は、電気と同じ説明になり、シリコンダイオードの電気熱熱吸収率が良い為、軽水素トリチウム入り発光ダイオードの熱吸収率が、良くなって軽水素トリチウムの
発光ダイオード玉のライトが明るくなる説明に成る。
更に、(41)の反射板付き軽水素入り発光ダイオードライトガラス部分装置は、液晶画面等を横からライトを照らした場合、通常の発光ダイオードライト玉では光が弱くて光が
拡散する為、課題解決対策として、軽水素トリチウム入り発光ダイオードライトガラス部分から光が拡散しない対策を、講じる必要性が明白な為、今までに無い技術として、
ライトガラスの内面に反射板を取り付けて、ライトの光が画像パネル部分にだけ、当たる用に講じた(41)の反射板付き軽水素入り発光ダイオードライトガラス部分装置で説明
で有る。
【００２３】
第9の課題解決手段として、(30)の携帯電話二つ折蝶つがい部分装置で有り、通常の二つ折り蝶つがい液晶パネルまたは画像パネルは、どうしても一枚の液晶にならない為に、
二つの画像装置の繋ぎ目が収納軸が一本有る構造に対して、縦に二つ折で無く、横に二つ折り構造の特殊携帯の画像ぱねる装置によって、二つの画像を、一つの画像として見
れる今までに無い、携帯電話の横回転収納型の携帯電話のデザイン形状説明で有り、従って、液晶画面は、電気の心配が無い為、携帯電話の枠一面の液晶パネル画像パネル装
置デザイン形状になる。
この他、液晶パネルを一枚にする為に、蝶つがいの変わりに、超薄型スプリング板に、軽水素トリチウム入りシリコンダイオード膜を貼って、超薄型スプリング板には、超薄
型協力磁石板が、複数取り付けられた構造にする事で、曲線液晶画面の一枚パネル固定の為に、湾曲部分に強力磁石を数枚張り付けた曲げて持ち運び出来る携帯電話の液晶画
面のデザイン形状説明で有る。
【００２４】
第10の課題解決手段として、(1)の多機能新技術携帯電話のソーラーパネル技術説明を始める。
従って、太陽光の熱吸収発電と外気温の熱吸収発電の両方が、一度に行える世界初のソーラーパネル技術説明を始める。
図7で、紹介した(44)の超薄型複数レンズ縦反射板入りレンズ装置は、(1)の携帯電話のソーラーパネル全体に超小型のとつレンズに、(42)の超小型の圧電素子磁石体を入れた
構造に更に、縦反射板を数枚を超小型圧電素子入り超小型レンズに複数反射板を内蔵する事で、ソーラーパネル正面以外の角度からの光を吸収出来る複数反射板入り超小型圧
電素子入りレンズは、太陽光の光熱を、超小型軽水素トリチウム入り圧電素子に光熱を集中的に浴びせる事で、圧電素子磁石体の軽水素トリチウム電子相乗効果の圧電素子光
電子打撃効果によって、(42)の超小型圧電素子入りの(44)の超薄型複数レンズ縦反射板入りレンズ装置の太陽光の、光電子増幅発電装置が、可能にする事で、今までソーラー
パネルの低い発電率を、二倍以上に出来る(43)の軽水素トリチウム入りの装置説明で有る。
【００２５】
第11の課題解決手段として、(1)の多機能新技術ソーラーパネルの新技術の付属する説明を始める。
従って、シリコンダイオードのブルーソーラーパネルを、(46)の軽水素トリチウム入り圧電素子太陽光熱補助発電パネルは、通常のシリコンダイオードパネルに、軽水素トリ
チウム電子をシリコンダイオードに多く混合内臓する装置構造によって、太陽光の光の熱エネルギー吸収を軽水素トリチウム電子効果によって、熱吸収率を高めた世界初の軽
水素トリチウム電子入りシリコンダイオードソーラーパネル装置で有る。
更に、ブルー色より、光吸収の良い炭素を軽水素トリチウム電子入りシリコンダイオードに炭素の超微粒子の炭の粉を軽水素トリチウム電子とシリコンダイオードに混合合成
したソーラーパネルは、歴然として太陽光吸収が良くなる新技術説明に成る。
この他、軽水素トリチウム電子入りシリコンダイオードの太陽光熱の電気変換時間を早くする為に、炭素の代わりに圧電素子磁石体をシリコンダイオードを混合合成した太陽
光の吸収率が、炭素シリコンダイオードと同じ太陽光吸収効果の圧電素子磁石体に軽水素トリチウム電子入り圧電素子磁石体シリコンダイオードに構造を太陽光の光り熱を、
軽水素トリチウム電子シリコンダイオード相乗誘発発電効果として、太陽光の増幅発電を図り、圧電素子磁気の熱電子変換率を高めた、(46)の軽水素トリチウム電子入り圧電
素子シリコンダイオードの太陽光熱補助発電パネル装置の太陽光熱の軽水素トリチウム電子変換になる太陽光熱が、軽水素トリチウム電子と結び付いて、シリコンダイオード
の太陽光熱の電気変換になる説明で有る。
更に、太陽光ソーラーパネル発電した電気エネルギーは、(47)の圧電素子4電子磁気分割装置の世界最速充電装置によって、(48)の重水素量調整型軽水素ニッケル充電池の世界
最速充電池に、世界一の世界最速充電スピードで、(48)の重水素量調整型軽水素ニッケル充電池の世界最速充電出来る装置説明になる。
【００２６】
第11の課題解決手段に説明した(1)の多機能新技術ソーラーパネルの新技術デザインの有りかた説明を始める。
図の2で紹介した(17)の軽水素トリチウム入り黄色圧電素子シリコンダイオードソーラーパネル発電装置と(18)の軽水素トリチウム入り青色圧電素子シリコンダイオードソーラ
ーパネル発電装置と、(19)の軽水素トリチウム入り赤色圧電素子シリコンダイオードソーラーパネル発電装置と(20)の軽水素トリチウム緑色圧電素子シリコンダイオードソー
ラーパネル発電装置と組み合わせてデザイン画としての発電ソーラーパネルデザイン方法が有る。
別のソーラーパネルデザイン画の手段説明を始める。
図の23で紹介する(156)の超小型八角形型連結文字は、軽水素トリチウムシリコンの色違いの文字の形のデザイン説明で有る。
従って、(155)の差し込み名前ソーラーパネルに、八角形連結文字によって、描いた名前軽水素トリチウム電子入り超小型ソーラーパネルを、(1)の多機能新技術携帯電話のソ
ーラーパネルに名札ソーラーパネルを差し込む方式のデザイン形状のソーラーパネル技術説明で有る。
別のソーラーパネルデザイン方法の説明で有る。
以上、上記のソーラーパネルデザイン技術以外で、説明を始める。
まず、初めに、下地が(24)の軽水素トリチウム入り圧電素子シリコンダイオードソーラーパネルとして、(159)の軽水素トリチウム電子入りの切り絵シリコンダイオードプラス
チック発電シートの切り絵デザインを主体とした切り絵デザインシートを、(24)の軽水素トリチウム入り圧電素子シリコンダイオードソーラーパネル装置で有る。
この他、図23の(157)の軽水素トリチウム入りプラスチックシリコンダイオドプリント超薄型発電シートをソーラーパネルに貼り付けて発電するデザインソーラーパネル装置で
有る。
【００２７】
第12の課題解決手段として、(1)の多機能新技術携帯電話の(50)の回路システムブロックは、現在の形態電話は、充電池とカードだけが、取り外し再利用出来るシステムになっ
ているだけなのが、現在の形態電話の構造システムで有で有り、携帯電話の買い替え時は、電話機丸ごと交換しなければならないだけで無く、高い携帯電話料金の数万〜数十
万満円と言う大型テレビ以上の有りえない高額料金を支払って、携帯電話を買わなければならい事も有るのが現状で有る。
従って、消費者つまり、携帯電話を買う弱者消費者が、一つの機能追加ならば、数百円から一万円以下で、携帯電話の機能交換出来るシステムに先立って、携帯電話のシステ
ム回路毎に、組立取り付け取り外し可能な(50)の回路システムブロックを取り付けた携帯電話装置で有り、この場合、弱者庶民の一人一人の財団が運営する携帯電話会社なら
ば有り得る事で有る。
従って、携帯電話のGPS機能が、10万円近くしましたが、自動車のGPSカーナビゲイションは、5万円ほどで、新品が変えた現状の事実からしても、携帯電話だけが、少し高すぎ
る値段で有るのは、消費者庁に、誰の世界特許を使用しているのか調査回答を、していただく事になる時代だと言える。
課題解決手段として、世界最新技術の軽水素トリチウム電子入りダイオードスイッチは、今までの回路ダイオードスイッチより、画像の呼び出し画像の画面切換えが、世界で
一番早い軽水素トリチウム電子を内蔵合成したシリコンダイオードスイッチを(50)の回路システムボックスに内蔵した最新式の半永久使用出来る(50)の回路システムボックス
で有る。
絶縁体で全て囲まれている出力及び入力ジャック付きの(50)の回路システムブロックは、絶縁体で囲む為、水濡れ及び洗ったりする事が出来る(50)の回路システムブロックで
有る。
【００２８】
第13の課題解決手段として、(68)の超軽量高出力モーターバイブレイション技術の高出力モーターの構造特徴と電気消費が少なくなった理由説明を始める。
従って、内コイル板の中心部分を刳り貫いた鋼鉄板の刳り貫いた場所に、(72)の軽水素トリチウム入り圧電素子磁石を代わりに内蔵すると同時に内コイル板の幅だけの薄鋼鉄
板を両面に被せる技術説明。
この他、薄板のステンレス粒と圧電素子粒と少々の鉛で、圧電素子合成合金鉄板とか、超薄型の2枚のステンレス板の間に軽水素トリチウム入り圧電素子磁石体の薄板を内蔵し
た軽水素トリチウム入り圧電素子内臓ステンレス板は、磁石体のステンレス板になり、鋼鉄枠の中心部分を刳り貫いた場所に軽水素トリチウム入り圧電素子磁石体を内蔵した
磁石体内臓のコイル板説明で有り、通常コイル板より、軽くなるのは言うまでも無い。
更に、通常コイルより軽くて電気の通りの良い物質だけで作った、他に無い電気配線説明と今までの超電導配線の課題説明を始める。
通常の、銅配線を計量化する為に、(77)の銅筒官配線を用意して、銅筒官配線とは、通常の銅配線の中止部が取り除かれた筒状の銅官配線構造説明になる。
更に、電気の通りを良くする為、軽水素トリチウム電子と圧電素子磁石体を混合合成した官と軽水素トリチウム漏れ対策として、少量のシリコンダイオードと軽水素トリチウ
ムと圧電素子を混合合成した電気配線は、電気の通りが特に優れて無いシリコンダイオードに電気の通りが良い圧電素子微粒子粒と軽水素トリチウム電子を少量のシリコンダ
イオードと混合合成した電気配線にする事で、軽水素トリチウム自体が電子の為、電気と同じ説明の気化物質を世界で初めて、電気配線の構造物質にした事で有る。
尚且つ、圧電効果によって、電子を作り出す圧電素子の電気配線の構造使用も、世界で初めての技術に成り、二つの電気に等しい程の気化電子集合体の軽水素トリチウムと電
子発生装置の圧電素子は、少量のシリコンダイオードで、軽水素トリチウム漏れ対策を講じた世界初の電気配線を、銅筒官に内蔵した電気の通りが良くて銅配線より軽い物質
を(77)の銅筒官配線に内蔵した軽量の銅筒官配線は、むき出しの超電導配線は、コイル配線としは、適さないばかりか、電磁石コイルにならない事は、超電導配線の物質自体
が絶縁体物質が多い為、コイル配線に不向きに成る。
だが、超電導物質を、(77)の銅筒官配線に入れた場合は、超電導コイル配線になる。
東芝の最初の頃の超電導配線が、コイル配線向きとは、考えにくいのも銅の粒とセラミック粒の配合で、銅の割合を多くするとコイルになる可能性が有る。
従って、東芝電気の超電導配線より、軽くて電気の通りが早い(77)の銅筒官配線を(68)の超軽量高出力モーターバイブレイションの内コイル板の超軽量モーター内コイル板説
明で有る。
この他、永久磁石は、鋼鉄磁石の中心部分を刳り貫き、刳り貫いた場所に軽水素トリチウム電子を入れた圧電素子磁石体を内蔵した永久磁石を鉄より軽くして、超薄型ステン
レス板カバを掛けて止めた人工的に作り出した軽量の永久磁石で有る。
更に、モータープラスチックカバーに、軽水素トリチウム入り圧電素子磁石体の少量のシリコンダイオード配線をコイル状のモーターカバーにした電磁誘導モーターカバー発
電装置を、世界初で取りつける事で、モーターコイルの磁気回転と、モーター回転熱で発電出来る世界初のモーター発電パネルのモーターカバー装置と超軽量モーターカバー
装置説明で有る。
別途、モーターカバー電磁スクリュー磁気打撃軽水素トリチウム入り圧電素子発電の可能性を秘めた軽水素トリチウム入り圧電素子シリコンダイオードのモーター熱発電出来
るモーターカバー装置。
他の、携帯電話のバイブレイション技術説明で有る。
現在、使用している携帯電話モーターバイブレイションは、超小型の内コイル式モーターが、使用されている為、電池切れが今だ絶えない。
この他、モーターバイブレイション以外に、超小型スピーカーゴムバイブレイション技術と超小型ベル装置バイブレイション技術が、携帯電話のバイブレイション技術として、
墫野和夫が、考えた代替え技術が2001年考案著作権作品が有る。
【００２９】
第14の課題解決手段として、(1)の多機能新技術携帯電話の(82)の弱電波遮断型指置きスイッチ等の今までに無い新技術携帯電話の構造説明で有る。
従って、現在の形態電話スイッチは、スプリングスイッチ接触の電気連絡信号型の昔からのスイッチを、携帯電話では使用されている。
この他、タッチ液晶パネルスイッチを、使用した携帯電話装置が存在していた。
課題解決手段として、指で強くスイッチを、押さなければスイッチにならない状態の役目にならない劣化スイッチ対策として、図11の(83)の弱電波発射装置から出た弱電波を、
(84)の弱電波キャッチ受信体の圧電素子磁石体または銅超微粒粉入りの圧電素子磁石体プラスチックスイッチに、合成内蔵したスイッチに、超薄型絶縁プラスチックを、被せ
たスイッチ構造で有る。
この他、スイッチの一部または、携帯電話の本体に使用する(87)の抗菌竹固形窒素グラスファイバー合成パネルは、竹の繊維と竹の表面繊維と固形窒素とグラスファイバーと
梅の酢を、混合合成した抗菌型の(1)の多機能新技術携帯電話のカバーの新デザインで有り、この他グラスファイバーの内側に、軽水素トリチウム電子入りシリコンダイオード
の発電ソーラーパネルに成る。
この他、軽水素トリチウム電子入りシリコンダイオードに、花を内蔵したり、草花を内蔵したソーラーパネルなどのデザインパターンが有る。
従って、本発明の(82)の弱電波遮断型指置きスイッチは、複数弱電波発射装置から、弱電波連絡の為の超小型の弱電波連絡官のプラスチックカーボン製の電波連絡官または、
電気配線に超微粒子圧電素子アンテナ送信スイッチなどが取りつく構造の(1)の(83)の弱電波発射装置の説明で有る。
【００３０】
第15の課題解決手段として、(1)の多機能新技術携帯電話は、携帯電話のソーラーパネル技術の電源と(120)の新型自動充電池技術の(1)の携帯電話電源確保の為、(88)の一心合
体圧電素子磁気アタッチメントカードの様な多くの磁気データーを、(1)の携帯電話カバーデザインとして、楽しめる最新デザインの磁気入力及び出力装置等のデザインの磁気
入出力装置説明で有る。
この他、(91)の圧電素子磁気カードの(1)の携帯電話のジャック取り付け型の(90)の超長圧電素子磁気カードライトは、磁気カードに、(7)の軽水素トリチウム電子入り発光ダ、
イオードライト玉装置で有り(90)の超長圧電素子磁気カードライトは、デザイン上の作品に成り、全世界で(120)の新型自動充電池説明が出来る発明者は、墫野和夫しかいない
のが明白の為、デザイン自体が、自動充電池の電源確保が、絶対に他では、あり得ないと言えるのが、新聞マスコミ報道から言える説明で有る。
更に、(90)の超長圧電素子磁気カードライトには、(89)の貼り付け型の夜光反射板が取り付けられている構造説明になる。
【００３１】
第16の課題解決手段として、(1)の多機能携帯電話の高出力スピーカーマイクの構造説明を始める。
今まで、販売されて来た携帯電話のスピーカーに対しても、電気消費が多い為、通常スピーカーの課題解決手段の高出力スピーカー構造説明を始める。
従って、高出力スピーカーに使用する電磁石を、軽水素トリチウム電子入り圧電素子コイル磁石にする方法と、超小型鋼鉄磁石の内側を刳り貫き刳り貫いた場所に、軽水素ト
リチウム入り圧電素子磁石体を入れて(61)の超薄型ステンレス板を被せて(77)の銅筒官配線に(75)の軽水素トリチウム入り圧電素子ダイオードコイル配線を(77)の銅筒官配線
に入れた、電気の通りが一番良い気化物質の軽水素トリチウムは、中間子構造の2個の電子構造になってる為、電子は言いかえれば電気説明なので、電子より、電気の通りが良
い軽水素トリチウム電子説明と、圧電素子磁石体は、圧電効果で、電子を作り出す人工の磁石の発電体の為、電気の通りが良いのが明白で有る、軽水素トリチウムと圧電素子
磁石体と少量のシリコンダイオードは、軽水素漏れ防止の為、シリコンダイオードに軽水素トリチウムと圧電素子磁石を混合合成した電気配線は、超電導配線だと言うならば
一度も、超電導配線物質として、全世界で使われ無かった軽水素トリチウム電子の気化物質と圧電素子磁石体物質が、超電導配線には使われなかったのが事実だと言えるのが、
電子物質構造と電子を作り出す磁石体自体が、電気を一番良く通す物質と言えて、他が開発していれば、ニュースの一面トップ記事に成るからで有る。
従って、経済産業省でも、情報入手していない軽水素トリチウム電子入り圧電素子磁石体超微粒子内蔵の少量のシリコンダイオード合成電気配線に銅筒官配線を被せた電気配
線構造説明で有る。
電気の通りが良い(77)の銅筒官配線は、高出力スピーカーマイクの(81)の高出力電磁石のコイルとする事で、少ない電気消費で、スピーカーマイク機能を得る事が出来る
更に、通常の永久磁石より、高出力電磁石に成る理由は、圧電素子磁石体に内蔵した軽水素トリチウム電子が、圧電素子磁力を電子磁気変化効果によって、(77)の銅筒官配線
の(75)の軽水素トリチウム入り圧電素子磁石体ダイオードコイル配線の電気の通りが良い電気配線効果によって、少ない電気で圧電素子磁石体の磁気力を上げる事の出来る(81
)の高出力電磁石説明で有り、スピーカーの板は、過去に使われなかった透明クリスタルガラス及び透明グラスファイバー板を使用したスピーカーの板構造説明で有る。
従って、大きいクリスタルガラススピーカーの場合は、後ろから映像及び文字の映写が可能になる透明スピーカー板構造効果で有り、他社に無い技術になる。
【００３２】
第17の課題解決手段として、(1)の多機能携帯電話のカメラ装置の構造説明と今までの携帯電話カメラの特許構造では、超小型カメラの為、カメラレンズ視野が狭いなどの課題
解決手段の説明を始める。
まず最初に、通常の携帯電話は、カメラのとつレンズ視野が狭い為、半分から下がとつレンズで有り、半分から上が魚眼レンズを一つのレンズとして、(94)の一つ削り合わせレ
ンズの魚眼とつレンズで有り、半分から下が普通通りに見えて、半分から上が魚眼レンズ風に見える為、全自動魚眼修正被写体映像処理方法を使用する。
従って、現在では、カメラが同じ位置から、同じ場所だけでなく周辺の写真及び動画を取った写真自体を全自動で繋ぎ合わせて、備え付けの液晶画像等で、360度の画像を繋ぎ
合わせた状態で、切れ間無く動画及び、写真が見れる2009年9月11日pm14時3分生まれたての、携帯電話動画最新技術とカメラ動画最新技術で有る。
従って、動画の全自動繋ぎ合わせの方法手段は、それぞれの写し出した動画の被写体形状の四季色度合がカラー一致しているかを、軽水素トリチウム電子入りダイオード色合
い全自動識別調査機能を使用して、四季色度合の一致する場所を、重ね合わせて一枚の広い地図上にした動画の被写体動画写真を見る事が出来る生まれたての動画技術。
この他、下と上が魚眼レンズの真ん中が、とつレンズ構造の世界初のカメラレンズのデザイン説明で有る。
更に、(99)のCCD撮像素子の軽水素トリチウム電子入りフオートダイオード垂直転送用CCDはダイオードに軽水素トリチウム電子を入れる世界初のカメラCCD撮像素子装置構造で
有り、CCDダイオード撮像素子に軽水素トリチウム電子を入れた新技術は、カメラ被写体の形状認識確認連絡及びカメラ被写体形状の色度合色彩の認識確認連絡記憶及び記録時
間が、極端に短くする事の出来る軽水素トリチウム電子入りのダイオード装置説明になる。                    
この他、(100)のCーMOS撮像素子の軽水素トリチウム電子入りのアンプフオートダイオードの装置説明に於いて、通常のC−MOS撮像素子のダイオードに軽水素トリチウム電子を
混合合成作業に於いて入れた構造の軽水素トリチウム電子入りのアンプフオートダイオードは、被写体形状認識及び確認及び認知連絡の世界最速の(100)のCーMOS撮像素子説明
に成る。
この他、(101)の軽水素トリチウム入りフオートダイオード手振れ補正装置に関しても、(100)のCーMOS装置のダイオードに軽水素トリチウム電子を入れた構造になる説明で有
る。
この他、(96)の軽水素トリチウム入りダイオードスイッチコンピュータ回路にいたっても、通常のダイオード回路に軽水素トリチウム電子をダイオードスイッチに内蔵する事で、
世界最速の(96)の軽水素トリチウム入りダイオードスイッチコンピュータ回路に成る理由として、今までのダイオードの電気の流れに対して軽水素トリチウムの物質構造の2個
の電子が、ダイオードに混合合成する事で、スイッチ切換えス電気スピードを、軽水素トリチウム電子で、世界最速のシリコンダイオードスイッチ回路に出来る説明だからで
有る。
この他、(97)の軽水素トリチウム入り発光ダイオードスイッチのコンピュータ回路は、世界で最速の発光ダイオードスイッチコンピュータ回路説明に成る。
更に、(98)の軽水素トリチウム入りダイオード撮像装置回路の他全てのダイオードに、軽水素を混合合成する世界初の技術によって、撮像処理スピードを世界最速技術まで、
持って行く事が出来た軽水素トリチウム電子入りダイオード技術に成る。
【００３３】
第18の課題解決手段として、現在の携帯電話のデジタル受信するアンテナ構造を変える事で、携帯電話のデジタル波のキャッチ受信度を上げる為に、(116)のアンテナ軽水素ト
リチウム入りエボナイト混合合成圧電素子磁石のアンテナは、圧電素子磁石を安定したアンテナ物質に変える為、軽水素トリチウム電子とエボナイト微粒子粒と圧電素子微粒
子粒を混合合成して、作った(1)の多機能新技術携帯電話の(116)のアンテナ構造説明で有る。
更に、アンテナデザインとして、今まで使用した事が無い(117)の三色カラーアンテナの(1)の携帯電話のアンテナデザインで有り、(112)の蝶つがい部分も、他の機種とは異な
った位置にセットしたデザインアンテナで有り、(119)の複数カラーカラープラスチックカバーは、夜光塗料と劣化防止剤の固形窒素を入れた(119)の複数カラーカラープラス
チックカバーで有り、デジタル化が進む時代に対応した、軽水素トリチウム電子エボナイトと圧電素子合成の他には無いアンテナ磁気の圧電素子磁石体を利用したアンテナ装
置で有る。
【００３４】
第19の課題解決手段として、(1)の多機能新技術携帯電話の(151)のパターンプロジェクトカード説明を始める。
従って、(151)のパターンプロジェクトカードの構造説明として、(171)の多目的複数ICカード付きパターンプロジェクトカードは、主力データーの入力再生磁気として、圧電
素子磁石体磁気構造の上に絶縁体のプラスチックカバーを掛けた上に、複数の(153)の充電池2重層ICを複数取り付け構造の空いてる部分に、(46)の軽水素トリチウム電子入り
圧電素子ソーラーパネルを敷き詰めたアンテナ付きの超小型送受信装置付きの(171)の多目的複数ICカード付きパターンプロジェクトカードは、(152)の合成写真用のパターン
データ入力場所を別にカードに設けた(171)の多目的複数ICカード付きパターンプロジェクトカード説明で有る。
この、(171)の多目的複数ICカード付きパターンプロジェクトカードは、多目的複数ICカードは、一般社会のカードの多様化に於いて、枚数が増えるカードを一枚にして、複数
の店で扱える用にした(171)の多目的複数ICカード付きパターンプロジェクトカード説明で有る。
この他、合成写真に対して、(151)のパターンプロジェクトカードのアンテナ送受信装置によって、動画主人公の着てる服を変えたり、髪の色を変えたり、目の色を変えたり、
化粧色を変えたり出来る合成写真を実際にこれから映す写真に取り込める装置説明で有る。
【００３５】
第20の課題解決手段として、(114)の重水素量調整型軽水素トリチウムニッケル充電池は、2009年9月11日pm20時46分43秒の現在でも、京都議定書の2酸化炭素排出規制時代に突
入している為、充電池のお金を掛けないで再生する充電池構造の対策と課題解決手段の説明を始める。
従って、充電池構造は、水素中の重水素量を、少なく調整した軽水素トリチウムニッケル充電池の充電池液の世界最新技術説明で有る。
【００３６】
図21に、わかる用に書いた図を見る通り、(142)のニッケルブロックが、(144)のナット型充電池蓋装置によって、充電池が解体出来て、(143)のボルトナット式電極棒と(142)
のニッケルブロックは、金ブラシで掃除が出来る構造になってる為、組立及び解体が、自由に出来る(114)の重水素量調整型軽水素トリチウムニッケル充電池の構造説明で有る。
【００３７】
更に、充電池に、重水素量調整型軽水素を注入する専門の(145)の重水素量調整型軽水素トリチウム液補給装置の(144)のナット型充電池蓋装置に取りつく横穴補給装置のナッ
ト形状弁装置の構造説明で有り、蓋を緩める事で、横穴から縦に重水素量調整型軽水素液が、補給出来て、(144)のナット型充電池蓋装置を締める事で、横穴給油口がナットペ
ンで締まる構造の(145)の重水素量調整型の軽水素トリチウム液補給装置説明で有る。
【発明の効果】
【００３８】
上述したように本発明の多機能新技術携帯電話は、日本国の900兆円越えの日本国の全額借金返済を、日本の大学が見捨てて、世界で一番二番と言われる世界経済大国の日本企
した業が見捨てた日本国の全額借金は、政治家が、国営事業の郵便局を見捨てて民間企業にするなどしての事実でわかる用に日本の国の事業だけで、日本国の全額借金返済を
大学が放棄して、企業が放棄して、最後に官庁と政治家が放棄した結果消費税値上げ案を残して、弱者国民いじめだけをする時代世相を変える為に、本発明の多機能新技術携
帯電話は、携帯電話一台分全てを、大学が見捨てた国の全額900兆円越えの全額借金返済と世界で経済大国の一番または二番と言われる日本企業全部に見捨てられた日本国全額
900兆円越えの全額借金返済を、企業放棄して、国会の政治家は、日本国運営の事業を国営から、民営化に全て変える事実で、国が自らが、自立して、日本国の全額借金返済を
永遠に国の事業として止める事で日本国民に対して、永遠に税金の名目で国民に払えない国の全額借金を、海外所得税及び海外資産の税収だけでも、払えたはずの日本特許の
原子力売電の海外所得税の新聞社の長年の未公開事実と日本マスコミの長年成る未公開事実などが有りつつ、日本国にお金が無いの回答にしたがって、弱者国民全体の生活を
救う為に、日本国内に無いと思われる新技術だけで、一台の携帯電話の特許請求は、弱者国民だけでも、日本の国から補償されない生活費を稼ぐ為の弱者国民全体の日本弱者
国民一人一人の財団設立と日本国の一日も早い、900兆円越えの日本国全額借金返済の為の世界最新技術によって、日本の弱者全体を救う効果と日本国の全額900兆円越えの全
額借金返済の道しるべを歴史的に付ける効果を発揮する。
【００３９】
また、日本国内の携帯電話会社と海外進出携帯電話会社には、本考案の多機能新技術の特許請求項30項目全てに対して、現在は無い技術の為、海外日本進出携帯電話会社企業
と日本だけの携帯電話会社を、退けて海外の国と共同会社を設立して、電気税の意味する新型自動電池を大きくした新型機械式発電機のその国々の電気税として、取り決めし
てもらい、新型自動充電池に関しては、全世界それぞれの国の電池税として、それぞれの国に決めていただいて、京都議定書の二酸化炭素排出規制に全世界がクリアー出来る
の中にする歴史の中の弱者国民一人一人の名品にする為の効果を発揮するもので有る。
【００４０】
更に、経済産業省も、特許庁も、特許法と知的財産法に書かれている通り、国は産業の発展に寄与しなければ、ならないと書かれている以上、日本国の全体の弱者国民全体の
貧困生活から脱出する為には、弱者国民が、日本の国の税金保護を、受けないで自立出来る用に、日本全体の貧困社会全体の自立の為に、全世界の特許提出無料の前提として、
外資系の日本企業の外国語特海外提出を、日本国特許庁に全て提出義務と、日本国内で商品販売した場合、重加算税の100倍の様な、飲酒運転に匹敵するような罰則を作ったり、
海外の国が、日本で商品を、何らかの理由で販売した場合、知的財産の全てを、日本国に日本語として登録しなければ、販売出来ない法律と罰則を、作る事によって、特許の
審査請求のより正確な情報を、ボタン一つで検索出来る事で、特許の審査請求に掛る国の費用、軽減出来るだけで無く、日本の国が、海外で販売する場合、おそらく全て海外
の特許庁に登録してなければ国際上違反になり、商品販売出来ないのが現状で有り、これら簡単なルールを、企業全体に守らせる事で、日本の特許庁に掛る審査請求に掛る費
用の削減する効果を発揮するもので有る。
【００４１】
更に、現在の商品の特許番号の表示及び明示に、対して何処の国の、誰の特許及び知的所有財産の使用または無断使用していたのかの事実確認及び、脱税防止対策の特許番号
の表示及び明示に、対して、特許庁総務部は、企業側に、お金がかかり過ぎるの回答だけの拒否回答の為、特許番号の表示義務に、対して不正競争防止対策の観点から、特許
番号の特許切れ全ての特許庁へ安い価格の登録、によって、経済産業省などの不正競争防止法対策または、経済産業省の普段の調査と審査を行い易くする為に、特許番号の登
録義務と特許提出した国の審査請求原本の企業側個提出登録義務によって、経済産業省の仕事で有る不正競争防止法処理の仕事を、楽にする事と国に掛る表の削減と企業の特
許表示に掛る費用の削減と国際上問題で有る不正競争防止法の仕事を楽にする事で、日本国全体の企業の費用削減と海外から日本国で販売する企業の特許表示に掛る費用の削
減と、特許庁の多くの法学部出でも、考えつかなかった特許表示義務の対策案を、広く全世界の人に確認して頂けるインターネットの特許公開文章によって、特許庁経費削減
と経済産業省経費削減を、全国の国民が、国の増えつつ有る借金の少しでものくい止め策として、不正競争防止法によって企業側が莫大な賠償金を、支払無くて済む用に簡単
に経済産業省及び国民全体の目で監視出来る新しい特許法作成の考え方の効果を発揮する事が出来る。
【００４２】
以上の、経済危機で有る、日本国から補償で生活している弱者国民全体の自立と、最終的には、日本企業全体と外資系企業が、絶対に払えなかった日本国の900兆円越えの全額
借金を、日本国の弱者国民全体の設立する日本弱者国民一人一人の財団によって、日本の国の全額借金返済の道に成る効果を期待する先著作権発明者で有り、先著作権技術文
章の年月日事実証明を、著作権法の財産の主張を、テレビマスコミの著作権保護と新聞社の著作権保護と同じ権利の著作権盗作の防止を訴える著作権先技術主張を全世界に認
めてもらう事で、弱者国民の歴史始まって以来の輝かしい自立と言う勲章を得る事によって、国の無駄な費用の永遠的な削減効果を発揮する事を期待しより、多くの人にわか
っていただく為に現在の特許法の長年の盲点と弱点を、全ての国民に理解していただく効果を期待しています。
【図面の簡単な説明】
【００４３】
【図１】本考案の実施形態を示す多機能新技術携帯電話の部分全面図
【図２】同多機能新技術携帯電話の複数カラー色デザイン携帯電話の正面図
【図３】同多機能新技術携帯電話の二つ折携帯電話の液晶画面の軽水素トリチウム入りダイオードシート内の複数軽水素トリチウム電子入りの圧電素子磁石体の正面図
【図４】同多機能新技術携帯電話の合わせソーラーパネル発電部材の説明の為の正面図
【図５】同多機能新技術携帯電話の蝶つがい部分の液晶画像合わせ目説明図と外部データ取り込みジャック説明図
【図６】同多機能新技術携帯電話の特殊サイドライトの構造説明図と発電ガラスを含めた軽水素トリチウム入り発光ダイオード画像パネルを含めた技術説明図
【図７】同多機能新技術携帯電話の三層軽水素トリチウム入りソーラーパネルの超薄型複数レンズ入りソーラーパネル構造説明図
【図８】同多機能新技術携帯電話の回路システムブロックの構造形態説明図
【図９】同多機能新技術携帯電話の高出力モーターと高出力DCブラシレスモーターの構造説明図
【図１０】同多機能新技術携帯電話の超小型高出力モーターバイブレイション構造説明図
【図１１】同多機能新技術携帯電話の弱電波遮断型の指置きスイッチの構造説明図
【図１２】同多機能新技術携帯電話の一心合体圧電素子磁気アタッチメントカード構造説明図
【図１３】同多機能新技術携帯電話の高出力クリスタルガラススピーカー構造説明図
【図１４】同多機能新技術携帯電話の一つ削り魚眼とつレンズの合わせレンズの構造説明図
【図１５】同多機能新技術携帯電話の発電回路コンデンサー装置の構造説明図
【図１６】同多機能新技術携帯電話の発電回路説明図
【図１７】同多機能新技術携帯電話の全自動圧電素子発電池の構造説明図
【図１８】同多機能新技術携帯電話の軽水素トリチウム入りエボナイト混合合成圧電素子磁石体超微粒子混合内臓の3色カラーアンテナの構造説明図
【図１９】同多機能新技術携帯電話の新型自動充電池の構造説明図
【図２０】同多機能新技術携帯電話の高出力ダイナモの構造説明図
【図２１】同多機能新技術携帯電話の電気ジャック取り付け型の電気カミソリの一例構造説明図と組立解体式の充電池構造説明図
【図２２】同多機能新技術携帯電話の多目的複数ICカード付きパターンプロジェクトカードの構造説明と合成ノーマルデジタル写真の被写体ストック装置の説明図
【図２３】同多機能新技術携帯電話の差し込み名前ソーラーパネルと軽水素トリチウム電子入りプラスチックプリント超薄型発電シート等の多層構造説明図
【図２４】同多機能新技術携帯電話の超小型循環式燃料電池の低電気熱発電構造説明図
【図２５】2009年9月2日の特許庁宛ての仮特許文章の送達特定記録の領収書図と著作権先技術の特許庁送達記録領収書図
【図２６】同多機能新技術携帯電話の超小型水循環式の燃料電池の低電気熱発電装置の構造説明図
【図２７】2009年9月4日の特許庁宛ての仮特許請求項の文書送達特定記録の領収書図と著作権先技術の特許庁送達記録領収書図
【図２８】同多機能新技術携帯電話のモーター枠カバーの電磁誘導発電装置の説明図
【図２９】2009年9月4日の特許庁宛てに出した封書の表図
【図３０】同多機能新技術携帯電話の超小型水循環式の燃料電池の低電気熱発電装置の構造説明図
【図３１】2009年9月5日の仮特許請求項文章の文書送達特定記録の領収書図
【図３２】2009年9月5日の仮特許請求項文書を入れて特許庁に送った時の封書表図
【図３３】2009年9月7日の特許庁宛てに出した仮特許文章を入れて送った時の封書表図
【図３４】2009年9月7日の特許庁宛てに出した仮の課題を解決する為の手段の仮文章を送った時の特定記録領収書図
【図３５】2009年9月7日の燃料電池発電シート著作権文書説明の文書ハガキの特許庁宛てに出した時のハガキ写し図
【図３６】2009年9月8日の仮の特許文章の課題を解決する為の手段の送達特定記録の領収書図
【図３７】2009年9月8日の仮の特許文章の課題を解決する為の手段の送達特定記録の領収書図
【図３８】2009年9月9日の仮の特許文章の課題を解決する為の手段の送達特定記録の領収書図
【図３９】2009年9月9日の仮の特許文章の課題を解決する為の手段の送達特定記録の領収書図
【図４０】2009年9月10日の仮の特許文章の課題を解決する為の手段の送達特定記録の領収書図
【図４１】2009年9月10日の仮の特許文章の課題を解決する為の手段の送達封書の表図
【図４２】2009年9月11日の仮の特許文章の発明の効果の説明文書を送達特定記録の領収書図
【図４３】2009年9月11日の仮の特許文章を送った時の封書の写し表図
【発明を実施するための形態】
【００４４】
以下、本考案の実施の形態を図1〜図41に基ずいて説明する。
【００４５】
図1においては、(1)の多機能新技術携帯電話の、世界初の新技術の(38)の軽水素トリチウム入り発光ダイオード画像パネルと(37)の軽水素トリチウム入り圧電素子複数配線回
路画像パネルと(36)の(178)のクリスタルガラス画像パネル軽水素トリチウム入りシリコンダイオード発電網装置によって、ガラス熱発電が出来て(39)の画像パネルサイドライ
トと(41)の反射板付き軽水素入り発光ダイオードライトガラス部分装置によって、省電気消費のサイドライトを完成させて(7)の軽水素トリチウム入り発光ダイオードライト玉
装置によって、電気消費の削減を図り(40)マイナスドライバーあて口装置等を構造とした装置によって、ライトの玉の取り外しを簡単にした(2)の携帯電話画像パネル装置。
【００４６】
図1の、次なる(3)の補助充電発電池は、世界初の新技術の(8)の高出力ダイナモ構造は、通常ダイナモの中央部分に(43)の軽水素トリチウム入り圧電素子磁石体を内蔵した構造
の(61)の超薄型ステンレスカバーの圧電素子磁石体の滑落防止装置を付けて、(132)のダイナモ軸固定装置を付ける事によって、圧電素子の破損を防いだ構造にして、(130)の
高出力ダイナモ止め金具装置と(133)の軽水素トリチウム入り圧電素子止め金具穴装置によって、高出力ダイナモの(43)の軽水素トリチウム入り圧電素子を固定する装置になっ
ている。
【００４７】
図1の、(1)の多機能新技術携帯電話の(4)の携帯電話アンテナと(5)の携帯電話の無線アンテナの二本アンテナは、アンテナ電波素材の(116)のアンテナ軽水素トリチウム入りエ
ボナイト微粒子混合合成の圧電素子磁石体の混合合成して固めた物質で作ったアンテナ装置で有り、(112)の蝶つがい部分装置は、アンテナの先で折れる構造で有り、(117)の
三色カラーアンテナの風変わりデザイン構造として、アンテナストッパー部分は、(119)の複数カラープラスチックで有り、夜は、光る夜光塗料で光る構造で有り、アンテナの
先端部分は、(118)のデザイン反射板入りのクリスタルカットガラスに複数カラー付き反射板などのデザインを取り入れた携帯電話の夜でも、複数色に見えるアンテナを積載し
た(1)の多機能新技術携帯電話のアンテナ装置のデザイン説明で有る。
【００４８】
図1の、(1)の多機能新技術携帯電話の(6)の前後一体カメラは、前後を一度に写せる一本のカメラに二つのカメラに取り付けた装置で有り、図の14に有る用にカメラレンズの中
心部から下側が(95)のとつレンズで有り、カメラレンズの半分から上が(94)の魚眼レンズの一つ削り合わせレンズの、カメラレンズとしては世界初の技術で有る。
この他、(172)のひとつ削り上下魚眼とつレンズの別のレンズのデザイン形状レンズが有る。
【００４９】
図1の、(1)の多機能新技術携帯電話の(6)の前後一体カメラシステム装置に絶対必要とされる世界最新著作権技術の軽水素トリチウム電子入り最新世界初の技術によって、(98)
の軽水素トリチウム入りダイオード撮像素子は、同じく世界初の技術の(99)のCCD撮像素子の世界最新技術の軽水素トリチウム入りフオートダイオードで有り、垂直転送用CCD
の世界最新の軽水素トリチウム電子入りのCCD撮像装置と軽水素トリチウム入りの世界初の技術の(100)のCーMOS撮像素子軽水素トリチウム入りアンプフオートダイオードの世
界初の軽水素トリチウム電子入りのCーMOS撮像素子装置説明と世界初の軽水素トリチウム電子入りの(101)の軽水素トリチウム入りフオートダイオード手振れ補正装置の軽水素
トリチウム入りフオートダイオード説明で有る。
【００５０】
図1の、(1)の多機能新技術携帯電話の(6)の前後一体カメラシステム装置に絶対必要とする世界初の新技術の軽水素トリチウム電子入り(96)の軽水素トリチウム入りダイオード
スイッチコンピュータ回路は、軽水素トリチウム入りダイオードスイッチによって、スピードの速く切り替わるスイッチ等が入ってる装置で有り、世界最新新技術の軽水素ト
リチウム電子入りの(97)の軽水素トリチウム入り発光ダイオードコンピータ回路は、世界で最も、コンピュータ発光ダイオード回路の明るい色合い調整出来る世界初の軽水素
トリチウム入り発光ダイオードの微調整回路説明で有る。
【００５１】
図1の、(1)の多機能新技術携帯電話の(7)のダイオードライト玉装置は、世界初の軽水素トリチウム電子を、発光ダオードのダイオード部分装置のダイオードと軽水素トリチウ
ム電子を混合合成した最新型の(7)の軽水素トリチウム入りダイオードライト装置で有り、複数ライト玉デザインなどが考えられる。
【００５２】
図1の、(1)の多機能新技術携帯電話の(8)の高出力ダイナモは、世界初の新技術の軽水素トリチウム電子入りの圧電素子磁石体を通常ダイナモの中心部分に内蔵した装置で有り
、(9)の高出力ダイナモ指回し装置によって携帯電話を指で回して高出力ダイナモ発電を行って、(10)の補助充電池に(47)の圧電素子4電子磁気分割装置の世界最速充電装置に
よって、短い時間の充電を世界で初めて可能にした(8)の高出力ダイナモの世界最策充電説明で有る。
【００５３】
図1の、(1)の多機能新技術携帯電話の(10)の補助充電池説明は、図19の(120)の新型自動充電池の(114)の重水素量調整型軽水素トリチウムニッケル充電池は、水素中の重水素
量を少なく調整した重水素量調整型の軽水素トリチウムニッケル充電池構造に成る。
更に、図21で説明しているのは、(1)の多機能新技術携帯電話の図19の新型自動充電池内蔵の携帯電話のアタッチメント説明で有り、充電池は、(114)の重水素量調整型の軽水
素トリチウムニッケル充電池構造で有り、図21では、(114)の重水素量調整型の軽水素トリチウムニッケル充電池の組み立て解体掃除出来る構造の装置を説明した図で有り、(1
41)の劣化防止夜光パネルは、固形窒素入り構造説明に成り、(142)のニッケルブロックと(143)のボルトナット式電極棒は、取り外し掃除可能な構造の電極棒で有り、(144)の
ナット型充電池蓋装置に取り付けられている(145)の重水素量調整型軽水素トリチウム液補給装置は、太いナットの横に超小型のバッテリー液注入ポルト回転弁装置付きの世界
初の(114)の重水素量調整型の軽水素トリチウムニッケル充電池の解体掃除組立が出来る充電池構造説明で有る。
【００５４】
図1の、(1)の多機能新技術携帯電話の(11)の数字ボタンスイッチと(12)の絵記号ボタンスイッチの世界初の新技術ボタン装置の説明として、図11の(86)のスイッチボタンスイ
ッチは、(82)の弱電波遮断型指スイッチ装置で有り、構造として(83)の電波発射装置の電波連絡官構造と電波発射は、一度にボタンスイッチの数だけ、電波が発射している計
算に成り、(84)の弱電波キャッチ受信体になり、(85)の弱電波遮断型ポルトナット止め穴部分装置から成り、特別の(87)の抗菌竹固形窒素グラスファイバー合成パネル等の特
別パネルデザイン構造の(1)の携帯電話スイッチ構造説明で有る。
図には、書いて無いが圧電素子磁石体合成の電気の通るプラスチック製のタッチスイッチ等も、日本国内で、公知になって無い技術の新しいスイッチ技術説明で有る。
【００５５】
図2の、(1)の多機能新技術携帯電話のソーラーパネルデザインと太陽光の吸収発電を促進する世界初の新技術の説明で有り、(17)の軽水素トリチウム入り黄色圧電素子シリコ
ンダオードソーラーパネルと(18)の軽水素トリチウム入り青色圧電素子シリコンダイオードソーラーパネルと(19)の軽水素トリチウム入り赤色圧電素子シリコンダイオードソ
ーラーパネルと(20)の軽水素トリチウム入り緑色圧電素子シリコンダイオードソーラーパネルと(21)の軽水素トリチウム入り炭素シリコンダイオードソーラーパネルの世界初
技術の複数色の軽水素トリチウム電子入りシリコンダイオードの世界最新技術とカラー色の圧電素子として、植物及び木材を乾燥させて超微粒子粒にした粉とプラスチックの
入って無い着色材と混合させたカラーソーラーパネルと圧電素子の構造物質の人工水晶に、着色料を入れた人工の着色複数カラー水晶とロシェル塩に着色料を混合させた複数
カラーロシェル塩とチタン酸バリウム磁気に塗料を入れた圧電素子複数カラー微粒子をシリコンダイオードに内蔵した世界初の複数カラーソーラーパネル新技術で有る。
【００５６】
図2の、(1)の多機能新技術携帯電話の他のソーラーパネル技術の新技術実施形態の説明で有る。
従って、図4の、(25)のソーラーパネル携帯電話のクリスタルガラスの動物の絵柄のクリスタルガラスデザインと草木の形状を形取ったクリスタルガラスデザインと虫の形状の
形取ったクリスタルガラスデザインで有り、(23)の軽水素トリチウム入り炭素シリコンダイオードソーラーパネル装置の超薄型パネルと(24)の軽水素トリチウム入り圧電素子
シリコンダイオードソーラーパネル超薄型パネル装置の二つを重ね合わせて、軽水素トリチウム電子を追加注入しながら、一枚のソーラーパネルのクッションとして、(26)の
軽水素トリチウム入りダイオード薄膜ペーパー発電シートを、軽水素漏れに、対策を講じたソーラーパネルの構造とした装置で有り、(25)のデザインクリスタルガラスが一番
上の構造になり、次が(23)の超薄型軽水素トリチウム入り炭素シリコンダイオードソーラーパネルが二番目に成り、三番目が、超薄型の(24)の軽水素トリチウム入り圧電素子
シリコンダイオードソーラーパネル装置を重ねて使用して、最後に(26)の軽水素トリチウム入りダイオード薄巻くペーパーを取り付けて、軽水素トリチウム電子を追加して、
密封した装置に絶縁体カバーを取り付けた最新型の軽水素トリチウム電子入り圧電素子発電の電気磁気分割の電気充電方法のソーラーパネル構造説明で有る。
【００５７】
図2の、(1)の多機能新技術携帯電話の他のソーラーパネル技術の新技術実施形態の説明で有る。
従って、図7の、(44)の超薄型複数レンズ縦反射板入りソーラーパネル装置の複数レンズそれぞれのレンズ中心部分に、超小型軽水素トリチウム入り圧電素子を内蔵させたソー
ラーパネルに、(45)の軽水素トリチウム入り要素液体マグネシウムフッ素シリコンダイオードソーラー複数穴空きシートを貼り付けて(46)の軽水素トリチウム入り圧電素子太
陽光補助発電パネル及びシートを貼り付けて絶縁体を貼って、軽水素トリチウム電子を追加して、発電効率を上げた、世界初のソーラーパネルで有る。
そして、(47)の圧電素子4電子磁気分割装置の世界最速充電装置を取り付ける事によって、無駄の無いソーラーパネル急速充電を、(48)の重水素量調整型軽水素ニッケル充電池
の世界最速充電池に、世界最速充電方法の(47)の圧電素子4電子磁気分割装置の世界最速充電装置によって、充電出来て、(49)の携帯波充電池量連絡装置によって、携帯電話の
通話時相手の携帯電話に充電池残量を、事前連絡出来る携帯電話システム。
【００５８】
図2の、(1)の多機能新技術携帯電話の他のソーラーパネル技術の新技術実施形態の説明で有る。
従って、図23の、(25)のデザインクリスタルガラスに、(155)の差し込みソーラーパネル式の(156)の超小型八角形型連結圧電素子文字を、携帯電話の購入時に、名前のデザイ
ン文字ソーラーパネル予約が出来て(159)の軽水素トリチウム入りの切り絵プラスチック発電シートの次に(24)の軽水素トリチウム入り圧電素子混合合成シリコンダイオードソ
ーラーパネルが次に成り、絶縁体シートが次になり、その下に超薄型の(114)の重水素量調整型軽水素トリチウムニッケル充電池と(47)の圧電素子4電子磁気分割装置の世界最
速充電装置を内蔵したソーラーパネル装置で有る。
【００５９】
この他、ソーラーパネル新技術には、(157)の軽水素トリチウム入りプラスチックプリント超薄型発電シールは、デザインがを予め印刷した軽水素トリチウム入りのプラスチッ
クシリコンダイオードシール発電シート説明に成り、(24)の軽水素トリチウム入り圧電素子混合合成シリコンダイオードソーラーパネルの太陽光に当たる面に、(157)の軽水素
トリチウム入りプラスチックシリコンダイオードプリント超薄型発電シールを張ってデザインを楽しむソーラーパネル装置のデザインソーラーパネル装置説明で有る。
【００６０】
図3の、(1)の多機能新技術携帯電話の(22)軽水素トリチウム入り圧電素子ダイオード磁気パネルは、複数圧電素子一つ一つに、絶縁体装置が取り付けられている正方形の圧電
素子磁石体で有り、この他に、(38)の軽水素トリチウム入り発光ダイオードパネルと軽水素トリチウム入りダイオードパネル板が必要になる(36)のクリスタルガラスを被せる
構造にするのだが、軽水素トリチウム入りシリコンダイオード発電網装置を2枚のクリスタルガラスの間に入れてガラス電気熱発電出来る世界初のテレビ液晶パネルの軽水素ト
リチウム電子入りの世界初のテレビ液晶パネル新技術説明で有る。
【００６１】
図5の、(1)の多機能新技術携帯電話の(30)の二つ折り携帯電話の四種類の構造デザイン実施形態説明を始める。
まず、一つ目の(30)の二つ折携帯電話の蝶つがい部分は、(30)の二つ折携帯電話が開いた場合、本来は、蝶つがい部分の合わせ目も、液晶画面になる二つ折り液晶を一つにし
て、初めて一つの液晶パネル構造にする考えだった為、もう一つ考えた二つ折液晶は、二つ折に成る液晶部分を、薄くて曲がる液晶を曲がる部分だけ使用した液晶画面装置で
有る。
もう一つが、(30)の二つ折り液晶は、収納軸によって、横にスライドして液晶収納になるデザイン形状で有る。
最後の、四っ目の(30)の二つ折携帯は、長方形の二つの液晶を、別々に切り離して一つに差し込みジャックで繋げて二つで一つの液晶画面として楽しめる携帯電話で有り、ア
タッチメントを二つを一つにする差し込み式の収納スプリングジャック構造を従えた二つ折り携帯電話のデザイン形状説明で有る。
【００６２】
図8の、(1)の多機能新技術携帯電話の(50)の回路システムブロックの構造説明を始める。
従って、(50)の回路システムブロックは、(53)の防水プラスチックに囲まれた携帯電話の機能毎の回路システムブロック装置で有り、(51)の回路システムボックスプラス接続
装置穴は、組立型の回路システムボックス携帯電話で有り、(52)は、回路システムボックスマイナス接続装置穴の二つの穴で、システムブロックが固定する構造で有り、この
他差し込み式のが有る。
【００６３】
図9の、(1)の多機能新技術携帯電話の(56)の高出力DCブラシレスモーターの構造説明を始める。
従って、DCブラシレスモーターの電磁石部分を、絶縁金属台形枠の中に世界初の(43)の軽水素トリチウム入り圧電素子磁石体を内蔵した構造に成り、(60)の軽水素入り圧電素
子滑落防止骨組鉄枠に軽水素トリチウム入り圧電素子または、軽水素トリチウム混合合成の超微粒子シリコンダイオードを圧電素子微粒子と混合合成して高圧縮して固めた圧
電素子磁石体で有り、軽水素トリチウム電子をチタン酸バリウムと混合合成して、圧電素子化する方法手段も有る。
以上の事で、(43)の軽水素トリチウム入り圧電素子磁石体は、(60)の軽水素入り圧電素子滑落防止骨組鉄枠によって圧電素子固定出来てる構造になる。
更に、(61)の超薄型ステンレスカバーを2枚用意して、2枚の超薄型ステンレス板は、複数針穴構造の、2枚のステンレス板に(77)の銅筒官配線を用意して、銅筒官配線の中に(7
5)の軽水素トリチウム入り圧電素子ダイオード配線を(77)の銅筒官配線に入れたコイルを、(61)の2枚の複数針穴の超薄型ステンレス板に(77)の銅筒官配線を入れた(61)の複数
針穴の超薄型ステンレスカバーを、(43)の軽水素トリチウム入り圧電装置に被せた装置で有り、(58)の絶縁アルミニュームの内側に格納される構造になり、永久磁石の軽水素
トリチウム圧電素子の場合は、(61)の2枚の超薄型ステンレス板から、2枚の網目のステンレス板に(77)の銅筒官コイル配線を入れる構造に成る。
従って、(56)の高出力DCブラシレスモーターは、内側の配列している全ての永久磁石は、(58)の絶縁金属に(43)の軽水素トリチウム入り圧電素子に(61)の網目ステンレス軽水
素トリチウム入り圧電素子滑落防止の網目ステンレス板を被せた(43)の軽水素トリチウム入りの圧電素子磁石体説明で有る。
外周の電磁石それぞれに、磁極切換えインバータ配線によって、(56)の高出力DCブラシレスモーターは、世界最小の電気消費エネルギーで作動する(56)の高出力DCブラシレス
モーター説明に成る。
【００６４】
図10の、(1)の多機能新技術携帯電話の(68)の超軽量高出力モーターバイブレイションは、(70)の中コイル中抜き鉄枠の中に(72)の軽水素トリチウム入り圧電素子磁石体を入れ
た構造にして、(73)の銅筒官軽水素トリチウム入り圧電素子ダイオードコイル配線を、軽水素トリチウム入りの(70)の中コイル中抜き鉄枠に(77)の銅筒官コイルを巻いた超軽
量モーター配線で有り、(77)の銅筒官には、(75)の軽水素トリチウム入り圧電素子ダイオード配線が入っている(77)の銅筒官配線で有る。
更に、(74)の銅筒官コイル入り2枚合わせステンレス磁石薄板は、2枚合わせのステンレス網の中に(77)の銅筒官配線を入れる構造も有る。
【００６５】
この他、超小型の高出力スピーカーバイブレイションは、スピーカーの薄膜部分に(79)のゴム入りとした構造にして、(81)の高出力電磁石の軽水素トリチウム入り圧電素子磁
石体を、鋼鉄磁石の内側に内蔵して、(77)の銅筒官配線を巻いた(78)のスピーカーバイブレイション構造説明で有る。
【００６６】
図12の、(1)の多機能新技術携帯電話の(88)の一心合体圧電素子磁気アタッチメントカードは、(91)の圧電素子磁石体構造で出来ていて(31)のデーター取り込みジャックの付い
た携帯電話を差し込んで使用する(88)の一心合体圧電素子磁気アタッチメントカード装置説明で有る。
【００６７】
図12の、(1)の多機能新技術携帯電話の(90)の超長圧電素子磁気カードライト装置は、(89)の夜行反射板は反射板面に文字または会社マークのプラスチック夜光塗料文字が描か
れている装置で有り、(91)の圧電素子磁石体カード物質内容で有り、(31)のデーター取り込みジャック付きの(90)の超長圧電素子磁気カードライト装置で有り、ライト装置は、
(7)の軽水素トリチウム入り発光ダイオード玉装置説明で有る。
【００６８】
図13の、(1)の多機能新技術携帯電話の(92)のクリスタルガラス高出力スピーカーマイク装置で有り、(93)の振動板装置は、クリスタルガラス等で出来ていて(77)の銅筒官配線
は、(75)の軽水素トリチウム入り圧電素子ダイオードコイル配線を(43)の軽水素トリチウム入り圧電素子磁石体を鋼鉄磁石の中央部分に内蔵した装置で有り、(61)の超薄型ス
テンレス穴空きカバーを取り付けた(92)のクリスタルガラスの高出力スピーカーマイクの(81)の高出力電磁石説明で有り、少ない電気量で作動出来る(92)のクリスタルガラス
高出力スピーカーマイクで有る。
【００６９】
図16の、(1)の多機能新技術携帯電話の(105)の発電回路の考案実施形態説明を始める。
従って、(72)の軽水素トリチウム入り圧電素子磁石体の中央部分に、(107)の銅板電子誘導体と(106)のセラミック絶縁体を取り付けた(105)の発電回路は、強い電気を圧電素子
磁気のプラス磁気磁極の圧電素子磁石体のプラス先端部から、強いプラス電気を流す事で、圧電素子の中央部のプラス磁気に設けられた電気配線から、圧電素子内臓のい水素
トリチウム電子の圧電素子電気打撃効果によって、(72)の軽水素トリチウム入りの圧電素子電気打撃増幅発電出来る装置で有り、マイナス電気は、もう一つの(105)の発電回路
の(72)の軽水素トリチウム入り圧電素子磁石体の中央部分に(107)の銅板電子誘導体と(106)のセラミック絶縁体を設けた装置に(72)の軽水素トリチウム入り圧電素子磁石体の
マイナス磁気の一番強い圧電素子マイナス磁気の先端部から、強いマイナス電気を流す事で、(72)の軽水素トリチウム入り圧電素子磁石体の中央部分のマイナス磁気に設けら
れている電気配線から、軽水素トリチウム電子の圧電素子マイナス電気打撃効果で、増幅したマイナス電気を得る事が出来る。
【００７０】
図15の、(1)の多機能新技術携帯電話の(183)の発電回路コンデンサーの考案実施形態説明を始める。
従って、コンデンサーは、電気を貯める装置の為、代わりに(105)の発電回路を、電気増幅する機械の電気消費量を賄える(105)の発電回路を、絶縁体で仕切って(105)の発電回
路一つ一つが、電気漏電しないようにして、ブロック化した装置で有り、(105)の発電回路それぞれに電気を通して増幅した電気を集めて使用する事で、コンデンサーと同じ電
気量を発電しながら増幅電気を得る事が出来る(183)の発電回路コンデンサー。
【００７１】
図17の、(1)の多機能新技術携帯電話の(109)の全自動圧電素子発電池の考案実施形態説明を始める。
従って、(109)の全自動圧電素子発電池は、(114)の重水素量調整型軽水素ニッケル充電池の電気をしようして、(105)の発電回路で電気増幅した電気で、(112)の蝶つがい装置
を軸にして、2個の(110)の鉄球を、(115)の左右二つの磁極切換えインバータ電磁石に増幅した電気を連続して流す事で、(120)の新型自動電池のシステム応用によって、(110)
の鉄球が左右に高速で振れる力を応用して、(72)の軽水素トリチウム入り圧電素子に、(110)鉄球止め鋼鉄鉄球形状スプリング付きストッパーに(110)のチタン合金鉄球または
鉄球を左右の連続運動によって、鉄球の(72)の軽水素トリチウム電子入りの圧電素子磁石体の圧電鉄球打撃で、(72)の軽水素トリチウム入り圧電素子磁石体から飛び出した電
子を、圧電素子内蔵の2枚の銅板の電子磁気分割装置によって、プラス電気とマイナス電気を分けて電気として使用出来る超小型のブロック形状の取り外し可能な、(109)の全
自動圧電素子発電池は、半永久の連続発電出来る電子ライターの発電方法を改良した(109)の全自動圧電素子発電池とソーラーパネル発電の二つの世界最新技術の発電池装置で
有る。
【００７２】
図19の、(1)の多機能新技術携帯電話の(120)の新型自動充電池の考案実施形態説明を始める。
従って、(114)の重水素量調整型の軽水素トリチウムニッケル充電池の電気を使用して、(121)の電気電子増幅装置と複数の(105)の発電回路の増幅電気を利用して、(123)の小
型ゼンマイ装置の歯車の連続作動によって、(8)の高出力ダイナモを連続歯車回転作動出来る装置の特開2003ー328925号公報の改良型の増幅発電量が、最初の自動電池より、遥
かに発電量が上回った(120)の新型自動充電池で有り、もう一つの(8)の高出力ダイナモの作動方法として、(124)の振り子歯車装置を、振子歯車軸の(56)の高出力DCブラシレス
モーター歯車作動と(124)の振り子重り装置に取り付けられている半円棒状のDCブラシレスモーター別名レールモーターの左右の往復運動の作動開始エネルギーを利用して、(1
26)の反発側電磁石左側と(127)の反発側電磁石右側の(128)のインバータ磁極連続切換え装置と電気増幅出来る(105)の発電回路によって、(124)の振り子装置の左右往復連続作
動の速度を速めて、(123)の小型ゼンマイ装置の歯車回転エネルギーと融合して、(8)の高出力ダイナモの増幅発電を行い、(47)の圧電素子4電子磁気分割装置によって世界最速
の電気充電を行いながら電気を供給出来る世界初の(105)の発電回路を(120)の新型自動充電池に内蔵した異なる発電装置を二つ内蔵した半永久の連続作動発電出来る(120)の新
型自動充電池で有る。
【００７３】
図の22の、(1)の多機能新技術携帯電話の(151)のパターンプロジェクトカードと(171)の多目的複数ICカード付きパターンプロジェクトカードの発明実施形態説明を始める。
従って、(151)のパターンプロジェクトカードは、カードの表面に(24)の超薄型の軽水素トリチウム入り圧電素子シリコンダイオードを取り付けたカードで有り、(153)の充電
池2重層ICを積載した超弱電波送受信装置を積載したアンテナカードで有り、(152)のパターンデーター入力場所では、合成写真の被写体データーを保存する別のデーター圧電
素子磁気ストック場所で有り、主力データーは、多層々の圧電素子磁気カードにデーターを入れる事が出来るカードは、携帯電話と一緒に持ち運ぶデーターストック装置で有
る。
この他、(151)のパターンプロジェクトカードの性能を高めた(171)の多目的複数ICカード付きパターンプロジェクトカードは、カード表面に複数の超薄型充電池シート二重膜
を張り付けたふくすうのICカードと(24)の超薄型軽水素トリチウム入り圧電素子シリコンダイオードソーラーパネルをICカードの隙間に取り付けた高発電力のソーラーパネル
を取り付けた圧電素子磁気内蔵のアンテナ付きの弱電波送受信可能な世界初のカード装置で有る。
【００７４】
図22の、(1)の多機能新技術携帯電話の(154)の超小型表裏両面2連MD卵型空洞装置の考案実施形態説明を始める。
従って、(154)の超小型表裏両面2連MD卵型空洞装置は、携帯電話のインターネット料金の経済競争を高める為の、携帯電話の本体の電源と表裏両面の2連MDの録音再生可能な超
小型CDのプラスチックカバー付きの超小型弱電波送受信装置付きの(154)の超小型表裏両面2連MD卵型空洞装置の弱無線は受信可能な装置に音楽映像を送れるMD改良型装置。
【００７５】
図24の、(1)の多機能新技術携帯電話の(160)の超小型循環式燃料電池発電池装置の考案実施形態説明を始める。
従って、(160)の超小型循環式燃料電池の発電方法は、通常の水の重水素と軽水素に分けて区別出きる内の軽水素トリチウム電子と酸素だけの水つまり、重水素抜きの軽水素を
多くした酸素結合の水すなわち、(161)の軽水素トリチウム水を図30の(72)の軽水素トリチウム電子入り圧電素子磁石体に(178)のテングステン電熱線を超微量のセラミック陶
器で被せた特製超小型電熱線を(72)の軽水素トリチウム電子入り圧電素子磁石体に内蔵した、超小型熱発電型の電熱パネル装置によって、(180)の液体マグネシウム内臓の圧電
素子パネルと(182)の複数穴空き軽水素トリチウム電子入りシリコンダイオード発電パネルの弱熱発電パネルによって、(161)の軽水素トリチウム水が、低い電気熱でも、軽水
素トリチウムと酸素分離を行う事が出来る軽水素トリチウム電子は、熱電気と結び付き易い為、低い常温でも、軽水素と酸素の蒸気気化が可能になり、(180)の液体マグネシウ
ム内蔵圧電素子パネルの酸素と軽水素の液体マグネシウム発電が行う事が出来て、発電後の酸素と軽水素の混合熱水の熱エネルギーは、(182)の複数穴空き軽水素トリチウム電
子入りシリコンダイオード発電パネルによって、熱発電出来る二つの発電システムを備えた(160)の超小型循環式燃料電池の半永久連続発電出来る世界初の技術で、燃料電池を
超小型の半永久連続作動発電池を世界で初めて成功した世界初の新技術で有る。
更に発電した電気は、(105)の発電回路によって、増幅電気出来る装置内蔵でも有る。
図28の、(1)の多機能新技術携帯電話の(184)の高出力モーター枠発電装置は、モーター内の軽水素トリチウム電子入りの圧電素子磁石体を使用した(186)の永久磁石と内コイル
磁気打撃によるモーター枠にコイルリング状に取り付けられている(185)の軽水素トリチウム入り圧電素子シリコンダイオード磁気電子コイル配線に連続した磁気打撃発電を行
える最新式の超軽量高出力モーターの枠説明で有り、モーターにダイナモを付けた高出力モーターダイナモ装置と高出力モーター電磁誘導発電モーターとは、構造と発電手段
が、異なる装置説明で有る。
【００７６】
以下、上記動作構成の纏めた簡単な動作説明を始める。
従って、(1)の多機能新技術携帯電話は、(11)の数字ボタンスイッチ及び(12)の絵記号ボタンスイッチの(82)の弱電波指置きスイッチの今まで日本国の公開の場で絶対に作られ
無かった(82)の弱電波指置きスイッチによって、(120)の世界最新新技術の超小型絶縁体付きブロック装置の(120)の新型自動充電池の電源と世界初の(44)の超薄型複数レンズ
縦反射板入りソーラーパネル装置の世界初の増量発電ソーラーパネルまたは、(159)のデザイン型の軽水素トリチウム入りの切り絵プラスチック発電シートのデザインソーラー
パネルは、(24)の軽水素トリチウム入り圧電素子混合の合成シリコンダイオードソーラーパネルの上に、敷き詰めて(25)のデザインクリスタルガラスを被せて軽水素トリチウ
ム電子追加供給した世界最新式の一番新しい世界で最高の発電量を誇る技術と(47)の世界初の技術の圧電素子4電子磁気分割装置の電気中の熱抵抗電気を取り除く装置を積載す
る事で、(1)の多機能新技術携帯電話の世界最速充電装置によって、世界で一番電気消費の少ない充電技術と携帯電話の発電量が世界一の電気量によって、(4)の携帯電話アン
テナと(5)の携帯電話無線アンテナの世界初の技術のデザイン色豊かなアンテナの(116)の軽水素トリチウム入りエボナイト混合合成圧電素子磁石体アンテナ装置によって、今
まで、デジタル波受信しずらかった電波の受信度を軽水素トリチウム入り圧電素子技術で克服して、(1)の多機能新技術で構成した技術によって、外部配線充電と電池交換しな
くて良い世界初の(1)の多機能新技術携帯電話装置。
【００７７】
この他、(13)のテレビ回路ボックス装置と(14)の携帯電話送受信ボックス装置と(15)のインターネット回路ボックス装置と(16)の衛星GPS回路ボックス装置は、今まで携帯電話
に、内蔵していた為、携帯電話丸ごと一台の買い替え手段しか無かった携帯電話会社の手法の改善の為の新技術として、(13,14,15,16,)のボックス装置をそれぞれ取り外した
り、別の新しいシステムボックスと交換して、使用出来る低所得弱者庶民向けの携帯電話のシステムブロックの低料金取り換えシステム説明で有り、再利用してシステムブロ
ックは、電気熱劣化摩耗しない限り半永久に使用出来る今までに無い携帯電話のシステムブロック装置。
【００７８】
更なる技術として、(1)多機能新技術携帯電話の(2)の携帯電話画像パネルの有機EL画像パネル技術を超えた(22)の軽水素トリチウム入り圧電素子軽水素トリチウム入り圧電素
子シリコンダイオード磁気パネルは、複数の圧電素子磁気パネルの為、映像の乱れが圧電素子磁気制御によって磁気制御されている為、映像波の映像の乱れが無い圧電素子磁
石体を複数使った圧電素子磁気パネルで有る。
更に、テレビ画像パネルの電気熱を利用した(36)のクリスタルガラス画像パネルの2枚の間に(178)の透明の軽水素トリチウム入りシリコンダイオード発電網装置を入れた世界
初のガラス発電パネル装置で有る。
この他、(38)の軽水素トリチウム入り発光ダイオード画像パネルは、少ない電気消費で、発光する世界初のテレビの軽水素トリチウム入り発光ダイオード画像パネル装置で有
る。
その他、(41)の反射板付き軽水素入り発光ダイオードライトガラス玉装置は、世界初の一定方向にしか光を放射しない玉装置で有り、世界初の軽水素トリチウム入りシリコン
ダイオードの発電装置付きの発光ダイオード玉装置説明で有りサイドライトに使用する装置。
【００７９】
この他、(56)の高出力DCブラシレスモーターは、世界初の軽水素トリチウム電子を(43)の圧電素子磁石体に内蔵した永久磁石と(77)の銅筒官配線に(75)の軽水素トリチウム入
りの圧電素子ダイオード配線を銅筒官に内蔵したコイル配線を(43)の軽水素トリチウム入り圧電素子磁石体に巻く事で、軽水素トリチウム電子の圧電素子電気打撃発電効果の
為、少ない電気消費で、モーター回転出来る(56)の高出力DCブラシレスモーター別名高出力DCブラシレスレールモーター装置で有り、(68)の超軽量高出力モーターバイブレイ
ション高出力技術の簡単な動作説明で有る。
従って、高出力技術は、(92)のクリスタルガラス高出力スピーカーマイクの高出力電磁石に応用した技術動作説明で有る。
その他、(8)の高出力ダイナモ装置の軽水素トリチウム入り圧電素子磁石体の軽水素電子のダイナモ電気打撃の軽水素トリチウム電子の相乗誘発電気打撃発電なども、同じ原理
で増幅発電出来る装置になる。
これは、びっくりと言われる(160)の超小型循環式燃料電池に内蔵使用する(178)のテングステン電熱線内蔵の(72)の軽水素トリチウム電子入り圧電素子磁石体パネルは、(178)
のテングステン電熱線の電気熱エネルギーで、軽水素トリチウムの圧電素子電気熱打撃発電出来る装置でも有る。
この他、(184)の高出力モーター枠発電装置の(185)の軽水素トリチウム入り圧電素子シリコンダイオード発電なども、世界初の技術で有る。
【００８０】
この他、(172)の一つ削り上下魚眼とつレンズと(94)の一つ削り合わせ魚眼とつレンズそれぞれは、魚眼レンズととつレンズを組み合わせた世界初のカメラレンズと携帯電話カ
メラレンズで有り、魚眼レンズの被写体全自動修正によって、上下の視野の広い画像または上だけが広い視野のカメラレンズの動作説明に成り、魚眼レンズの全自動画像修整
補正が必要になるカメラレンズの新しいタイプのカメラ装置。
【００８１】
この他、(99)のCCD撮像装置の新しいタイプの軽水素トリチウム電子混合合成フオートダイオードの世界初の新技術と(100)の軽水素トリチウム入りのCーMOS撮像装置と(101)の
フオートダイオードの手ぶれ補正装置と(96)のダイオードコンピュータスイッチ回路装置と(97)の発光ダイオードコンピュータスイッチ回路それぞれに軽水素トリチウム電子
を入れた世界初の新技術説明で有る。
【産業上の利用可能性】
【００８２】
図説の符号の1〜186の産業上利用可能な技術説明を著作権先技術文書説明として始める。
従って、(1)の多機能新技術携帯電話は、最終的に商標名となって、国の900兆円越えの全額借金を返済する時の弱者庶民一人一人の財団設立でも、本考案の携帯電話名は同じ
名前だと言える説明で有る。
符号の2の携帯電話画像パネル装置は、現在技術では(36)のクリスタルガラス説明が全企業で有る。
従って、(178)のクリスタルガラス2枚の間に(178)の軽水素トリチウム電子入りシリコンダイオード発電網装置は特許請求の為、テレビパネル及び携帯電話パネルの画像装置の
電気熱発電装置で有る。
産業上の利用説明の1
全世界で、一番使用されるのが一般家庭ガラス及び産業ビルガラスで有り、2枚ガラスとして、軽水素トリチウム入りシリコンダイオードを全面に入れた場合、視界が曇った状
態に成る為、2枚ガラス半分に軽水素トリチウム電子入りシリコンダイオードシートを入れる著作権先技術か、2枚ガラスの中間を開けて、2枚ガラス上下に、軽水素トリチウム
電子入りシリコンダイオードシートを入れる著作権先技術で有る。
2枚ガラスの軽水素トリチウム電子入りシリコンダイオードのデザイン説明。
従って、2枚ガラスの間に軽水素トリチウム電子入りのシリコンダイオードシートに、カラープラスチック被写体デザイン画プリントを軽水素トリチウム電子入りシリコンダイ
オードシートに被せた発電デザイン画入りの家庭用ガラスと企業用ビルガラス。
この他、切り絵の軽水素トリチウム入りプラスチックシートと軽水素トリチウム電子入りシリコンダイオードシートに切り絵の軽水素トリチウム電子入りシリコンダイオード
シートの上に切り絵プラスチック軽水素トリチウム電子入りシートを重ねたり、貼りつけたりした装置説明で有る。
産業上の事業展開及び日本の国の900兆円越えの全額借金返済の為の無料の全世界の先行技術調査の実態説明の1
上記説明の軽水素トリチウム電子入りシリコンダイオード網シートは、ガラス視界を良くする為に、軽水素トリチウムシリコンダイオードシートから、シリコンダイオード網
シート装置は、車の2枚合わせガラスなどの建設機械など、全ての機械に対してのガラスが、発電ガラスの対象に成り、現在の全世界全ての、ガラスを発電ガラスに、した場合
の利益も、図り知れない。
著作権デザイン上の防犯用発電ガラスの場合、2枚ガラスの軽水素トリチウム入りシリコンダイオード網シート入り発電ガラスの部屋面に当たる場所にデザイン風景の切り抜き
絵のアルミニュームに反射板を取り付けたり、宣伝用の切り絵アルミニューム板によって、部屋の侵入を防いだ軽水素トリチウムシリコンダイオード網シートを入れたガラス枠
全体の宣伝広告発電ガラスのリースは、日本の国の全額借金返済リース事業としては、ガラスのリースを行うと発電した電気が、自分の利益になる新しい事業展開の時代を含
めて、国の900円越えの全額返済事業として考えて行きたい。
図説の符号の(44)の超薄型複数レンズ縦反射板入り軽水素トリチウム入り圧電素子ソーラーパネル技術の産業上で利用可能な技術説明の著作権先技術文章説明として始める。
現在、日本の国は、個人家庭で、ソーラーパネルと燃料電池発電が、国の認可のもとで売電が行われている事実だが、本発明の太陽電池ソーラーパネルは、従来の通常ソーラ
ーパネルと大きく異成る点が、シリコンダイオードに軽水素トリチウム電子と、超微量の液体マグネシウムが入っている世界初のソーラーパネルは、液体マグネシウムとガラ
スの超微粒子粒とチタン酸バリウムを混合合成した物質の超微粒子粒を、軽水素トリチウム入りシリコンダイオードシートにして、軽水素トリチウム入り圧電素子シリコンダ
イオードパネルに張り付けた発電ソーラーパネルの形状説明で有る。
産業上の利用説明2
高速道路、一般道路の標識の夜間の軽水素トリチウム入りダイオード発電ライト付きの軽水素トリチウム入り圧電素子シリコンダイオードソーラーパネルは、世界最速充電池
の重水素量調整型軽水素トリチウム入りニッケル充電池と圧電素子4電子磁気分割装置の電気中の電気抵抗を取り除く装置によって世界最速のソーラーパネルの急速増量電気充
電が可能になった為、他社の技術使用料に対して、日本の弱者一人一人の財団が設立後は、技術の無料支援を行って行きたい考えで有る。
問題は、現在の国の全額900兆円越えの借金全額を日本の弱者一人一人の財団が、設立出来た時は、日本の国の全額900兆円越えの全額借金返済の肩代わりする予定で有る。
【００８３】
産業上の利用説明3
現在テレビ放送では、ソーラーパネルと燃料電池を、使った混合の家庭用発電装置が、日本国内で、ソーラーパネル海外発明者知的所有財産の商品の活発な活動と燃料電池の
海外発明者技術の知的所有財産の積極活用が、見受けられるが、ソーラーパネル海外発明国とソーラーパネル発明者とソーラーパネル海外特許番号等が、商品に特許番号等の
明記記述が無い為、特許庁に情報公開を求めても、特許電子図書館で、自分で調べろの回答が、特許庁側の回答で有る現状で有る。
従って、圧電素子磁気と軽水素トリチウム電子をシリコンダイオードに内蔵した最新式の太陽光ソーラー発電パネルは、現在テレビ報道されてるソーラーパネル発電量技術が、
墫野和夫の世界初のソーラーパネルの増幅発電量技術の方が、軽水素トリチウム電子をシリコンダイオードに入れる技術と圧電素子磁石体を、シリコンダイオードに入れる技
術よって、ソーラーパネル発電の電気の流れをスムーズムにしたソーラーパネル発電電気を、世界最速充電池またはバッテリーの重水素量を、少なく調整した軽水素トリチウ
ム電子の多く入った充電池及びバッテリーは、軽水素トリチウム電子が多く入った充電池及びバッテリーは、電気熱抵抗のプルトニウム重水素が少なく調整した分、軽水素ト
リチウム電子の電気充電スピードが、電気すなわち電子を通して充電する為、水素ニッケル充電池技術より、充電スピードが速くなる。
更に、圧電素子4電子磁気分割装置を積載する事で、ソーラーパネル自体が発電した電気の電気中の電気熱抵抗磁気電気を取り除いて、リサイクル電気として、再利用する技術
が墫野和夫側に有る為、現在テレビ放映しているソーラーパネル発電より、更に発電量が見込める技術で有り、おそらく現在このままの国の財政が、続けば家庭用のソーラー
パネル売電がプラスになれば、必然的に国はソーラーパネル売電の所得税を、回収する時代がもう目の前に来ていると考えられる。
従って、燃料電池の東京ガス技術は、プロパンガスの水素成分と外気酸素の化学反応のトヨタ方式燃料電池技術と本田方式燃料技術の瞬間水素と酸素の吸収物質発電方法は、
プロパンガス中の水素を使用する技術の為、プロパンガス中の水素が、無くなれば発電出来ない技術が、現在テレビ報道している日本の企業技術で有る。
ここの場合でも、本発明の超小型の水の循環式の気化水素と気化酸素の融合体を使った本田技研の液体マグネシウムに、水素と酸素の連続吸収発電技術は、水が、低温でも蒸
気化する技術は、家庭の風呂の40度前後のお湯でも、水蒸気現象の気化水素と気化酸素の蒸気化は、知られておる技術に、新しく世界初の技術として、通常の水は水素と酸素
に、分かれるのは誰もが知りえた公知の技術で有り、その水成分の水素中の重水素ジュテリウムのプルトニュームを全て取り除いた軽水素と酸素の融合体でも、水に成り、少
ない熱を与える行為でも、軽水素トリチウム電子と酸素の水は、低い温度でも、軽水素トリチウム電子の熱吸収スピードが重水素ジュウテリウムのプルトニューム入り水より、
熱吸収が良い事の為、少ない熱で、気化軽水素蒸気と気化酸素蒸気が、作る事が可能にした技術で有る。
更に、超小型循環式燃料電池の室内の空気を全て取り除いた所に、軽水素トリチウム電子と酸素の混合の水を、超小型循環式燃料電池室内に、特製の軽水素トリチウム電子と
酸素の水を入れる事で、燃料電池内の気圧が通常より、高い山の気圧を示す為、水は、通常制定温度以下で沸騰蒸気化する技術の為、本発明の燃料電池は、少ない電気で、多
くの電気を得る技術を得た事で有る。
この他、超小型循環式燃料電池には、低い電気熱だけでも、発電出来る世界初の技術として、軽水素トリチウム電子と圧電素子磁石微粒子入りのシリコンダイオード熱発電シ
ート技術は、低い温度でも軽水素トリチウム電子が、熱吸収を続ける為、燃料電池の本田式技術の液体マグネシウムの水素と酸素の吸収発電技術と、燃料電池の発電した時に
発生する発電熱を、利用した世界初の軽水素トリチウム電子と圧電素子磁石体磁気微粒子入りのシリコンダオード発電シート発電は、新しい燃料電池発電の未来生活を支える
世界初の技術が、日本国の経済産業省の無料施策品のテレビマスコミと新聞マスコミとラジオマスコミに、試作品の実施公開によって、新しい水素補給無しの燃料電池技術に
対して、本田技研の燃料電池技術の液体マグネシウム技術が、世界中から脚光を再び浴びるだけで無く、本田技研の燃料電池の液体マグネシウム技術のノーベル賞を取るに値
する技術として、大学関係及び世界中の企業からの本田技研技術の燃料電池の液体マグネシウム技術の再びの評価を期待する。
従って、本発明の超小型循環式燃料電池技術は、テレビマスコミ及び新聞マスコミが報道主張する本田技研の燃料電池技術の液体マグネシウム技術以外本発明の超小型循環式
燃料電池新技術は、丸っきり異なった技術を、使用している為、本田技研工業の燃料電池技術の技術使用料金も、残り15年ぐらいと思われる技術使用料金だが、本田技研工業
が、現在の日本の経済の危機を、理解して燃料電池マグネシウム技術使用料金を下げていただく事で、現在の借金地獄の日本国国政社会を、水素と酸素の無給油無補給の世界
初の燃料電池技術に対して、電気税対策を、水素補給料金が、実際は掛るはずの燃料電池技術に対して、墫野和夫の燃料電池技術は、水素の無補給技術の世界初の新技術に成
る為、自動車関係及び建設機械関係あらゆる石油燃料関係及び原子力関係の脱石油時代と脱原子力時代の為に、考え出した資源が国内に無い日本国にどうしても必要視される
技術で有る事を、特許庁を管轄下にしている経済産業省の大臣及び閣僚全ての方々に、日本国は、過去の時代に、資源が国内に無い為、戦争を、行った国で有り、資源の奪い
合いを、行わない為の本発明の超小型循環式の燃料電池の世界初の新技術の無料の試作品作りを経済産業省大臣と経済産業省閣僚全ての協力のもとで、公式公開の元で、燃料
電池の水素と酸素の無補給無給油式発電装置時代を、日本国の弱者国民一人一人の財団から世界へ向けて発信して行きたい心情が、日本の有り余る海外原子力売電利益の日本
原子力海外売電利益企業国家でも、絶対に出来なかった海外原子力売電利益の所得税利益でも、不可能だった日本国の900兆円越えの全額借金を、一日も早く無くす為に考えた
無害水素と酸素の無補給無給油式の、世界初の新技術によって、日本の国の全額900兆円越えの借金全額返済を一日も早く実現したい日本人の一人で有る。
【００８４】
産業上の利用説明4
現在、風力発電に使用されているダイナモは、通常ダイナモで有り、それを、墫野和夫が、世界で初めて考え出した技術の高出力ダイナモに変えたならば、現在の風力発電量
を、大幅に変える事が出来て、風力発電機の支柱に墫野和夫の世界初の新技術の軽水素トリチウムと圧電素子磁石体微粒子内蔵のシリコンダイオードソーラーパネル世界初の
新技術と電気中の電気抵抗だけを取り除く世界初の超電導配線技術の考え方を超えた新技術の電気中から電気熱抵抗電気だけを取り除いた電気抵抗無の電気によって、無駄な
電気消費技術を、抑えて世界の資源保護に日本の弱者国民一人一人の財団として、海外の国の経済社会の自立に、協力して行きたい考えで有る日本人の墫野和夫で有る。
【００８５】
産業上の利用説明5
現在、テレビマスコミ及び新聞マスコミで、来年の2010年から発売予定の三菱自動車のバッテリー車技術より、墫野和夫の高出力モーターダイナモ技術と高出力モーター内蔵
の高出力電磁誘導発電装置付きの高出力モーター技術によって、発電した電気を、世界最速充電出来る電気中の電気抵抗熱電気だけを取り除く装置の圧電素子4電子磁気分割装
置の世界初の技術によって、バッテリー充電速度が速くなった為、過去の電磁誘導発電装置の永久磁石を、軽水素トリチウム入りの圧電素子磁石体内蔵の電磁打撃の連続発電
を可能にした世界初の軽水素トリチウム入り圧電素子の電磁打撃連続発電装置の発電した電気エネルギーを、無駄無くバッテリーに世界最速充電出来る世界初の圧電素子4電子
磁気分割装置技術と世界初の試みとした本来少ない電気しか発電出来ない電磁誘導発電装置の永久磁石部分を、軽水素トリチウム電子入りの圧電素子磁石体を内蔵した鋼鉄枠
磁石とアルミニューム枠の軽水素トリチウム電子入りの圧電素子磁石体の連続した磁気圧発電出来る世界初の高出力電磁誘導発電技術を、更に加速した高出力電磁誘導発電を、
複数の超軽量電磁誘導発電装置を取り付ける事で、バッテリー車の急速充電も、夜でも行える世界初の高出力電磁誘導発電出来る、高出力モーターの高出力の軽水素トリチウ
ム電子入りの圧電素子磁石体の磁力圧打撃発電出来る世界初の技術によって、バッテリー車の走行距離を世界トップレベルの三菱自動車を、抜いた技術説明で有る。
更に、バッテリー技術に対しても、資源の豊富な軽水素とニッケルを使用した重水素量を、少なく調整した軽水素トリチウム電子入りニッケルバッテリーは、組立解体可能な
バッテリーの掃除が可能な世界初のバッテリー内部金属表面の掃除再生を可能にした技術によって、超小型の遠心分離機の水素分離機と重水素を、家庭排水と一緒に流す為に、
全自動無給油の下水管掃除ロボット等の時代が、超小型コンプレッサーエアー掃除ロボットによって、無給油全自動と、下水管ロボット位置確認装置の赤外線距離位置確認と
下水管電波位置確認が、出来る世界最新式十字タイヤ走行ロボット時代等によって、重水素の無害処理と自然に戻す取り組みを考えて行きたい。
従って、重水素量調整型軽水素トリチウム電子入りニッケル組立解体式バッテリーは、バッテリーの無駄な交換を、止めて再利用の考え方を、徹底した世界初のバッテリー車
技術で有る。
確かに、世界最新型の軽水素トリチウム電子と圧電素子磁石体微粒子内蔵のシリコンダイオードソーラーパネル車は、取り付け可能な技術で有る。
この他、新型自動電池を大きくした新型機械式発電機搭載に成るバッテリー車は、電気充電を外部から一切行わない技術で有り、経済産業省等の無料の試作品作りの許可を、
出すのかは、経済産業省は、企業と大学に対しては、国の補助金出すが、日本国の全額借金返済に対しては、実用新案登録済の実用新案の登録第3145903号の省エネルギー水気
化水発電機は、燃料電池の液体マグネシウムの気化酸素と気化水素の融合体の連続発電装置だが、実際に経済産業省に、出向いて試作品の話をしても、無料の試作品の話とし
ては、経済産業省の燃料電池推進課は、試作品を取り扱うだけの世界的技術では無いとの判断からなのか、絶対に国の全額借金返済に対して経済産業省の職員全体が、国の全
額借金返済に成りえる水素と酸素の無害無給油の連続水素無給油発電さえ可能にした世界初の技術で有つてでも、試作品を無料で作る許可を出さない経済産業省職員の日本国
の現在の900兆円越えの借金返済事業に対する日本国の経済社会の考え方の精神を、問う時代なのか、再び実用新案登録にて、経済産業省の無回答から回答へ、経済産業省大臣
に質問書を出して回答願う事を、視野に入れて考えて行きたい。
【００８６】
産業上の利用説明6
本考案の携帯電話の多機能新技術携帯電話装置は、過去の国が経営してたで電公社の現在のＮＴＴの資産活用と電話機器利用によって、民営化促進と個人の知的所有財産利益
の集まり会社が、現在のＮＴＴドコモで有るが、墫野和夫は、日本国の全額借金900兆円越えの借金返済の為と、国際経済社会の競争力を、高める目的とＮＴＴドコモの更なる
世界携帯技術のＮＴＴドコモの促進民営化に対応する為の、日本国全額借金返済だけの為の携帯電話会社設立を、2009年9月22日に、経済産業省大臣に、国の全額借金返済の返
済の為の弱者国民自立の世界進出会社を作る事に、国の経済産業省職員が、一丸となって日本国の900兆円越えの借金全額返済に協力ＯＫの回答を頂ける事を願ってます。
更に、本発明の携帯電話の技術に関して、著作権先技術発明の年月日証明登録が、直ぐに著作権先技術登録出来る北海道庁知事の郵便物受理証明書によって、今後の先技術の
携帯電話の技術変換を、調査次第結果によって、日本企業と日本の大学と海外企業と海外大学に、国際的に認められている著作権先技術証明登録の世界的財産権利権によって、
他が真似できない権利で有って、通常は特許提出して、特許登録しないと特許料金の請求が出来ないのが事実で有り、但し著作権登録した時点で、場合によって、著作権技術
横領が、成立して著作権料金発生の手筈だが、無料の特許提出を、日本国が行わ無い為、特許料金請求に対しては、裁判になるのが通常で有る。
従って、ＮＴＴドコモと共同会社が、設立出来ない理由が、ＮＴＴドコモが、民営化の個人の知的所有財産の集まりの携帯電話会社は、個人の財産権主張が強い為、本発明の
多機能新技術携帯電話の装置全てを、ＮＴＴドコモ他、日本国の他社と異なる携帯電話の全ての異なる機能電話装置を、書いた理由の一つで有る。
現在、墫野和夫は53歳独身の為、本文に書いて有る通り、日本国の全額借金返済後は、日本国民全体の夢で有る、日本国の石油資源使用脱却と天然ガス資源使用脱却と原子力
エネルギーの脱却を行って、資源の再利用の活用を、100パーセント完全リサイクル社会を、墫野和夫は目的としているのが、本発明の多機能新技術携帯電話装置によって、理
解いただけると考える次第です。
【００８７】
産業上の利用説明7
本来、経済産業省は、知的財産権六法に基ずいて、墫野和夫が、国の900兆円全額借金返済に対して、永遠無請求で支払う意思を、表明している為、日本国経済産業省は、同じ
技術が、海外に存在するかしないかに対して、全世界の無料の先行技術調査の実施義務の知的所有財産の特例として、国の全額借金返済に対して、活動特例法の設立を、国会
議員に求めて行きたいと考える次第です。
但し、国の全額借金返済後は、日本の弱者国民一人一人の財団設立を再び日本国に願出る理由として、資本主義国家は、弱者国民を平等に取り扱わなかった長年の資本主義国
家理念に基ずいて、株式会社上場を、一切行わない無害水素と酸素の無補給の燃料電池発電の全世界売電財団を設立して、全世界の燃料電池売電事業利益に、よって株式会社
上場しない財団会社を、増やす考えで有る。
従って、小さな個人会社と海外特許切れ会社と共同で、世界で一番または二番と言われる全世界の株式利益と持ち株率で全世界の一番または二番と報道されている経済大国日
本企業から、日本弱者国民一人一人が、自立出来て海外の貧困社会の自立を目指す財団として、インターネットを通じて墫野和夫の意思を表明して行く事と、必ず実現出切る
用に全世界の先行技術調査の無料審査を行える用に国に働き掛けたいのが現在の心情で有る。
【００８８】
産業上の利用説明8
墫野和夫が、国に願出る900兆円の永遠無請求借金全額肩代わりは、知的所有財産の海外売電の原子力売電に代わる売電事業で有り、火力発電も、一切必要としない、原子力発
電の資源原子力経費と原子力廃棄物処理経費と火力発電に掛る石油と石炭と天然ガス経費を、考えた場合、無害水素と酸素の無給油式の水循環型の燃料電池は、公害が無くて、
公害保障の心配が無くて、水素の補給タンクと水素製造装置の手間を省く為、最終的には原子力発電より、安くなり、他社が絶対に同じ事業が出来ないメリットが有り、燃料
電池の最初の開発者の液体マグネシウム開発者の日本の本田技研自動車工業株式会社か最初の水素酸素の瞬間吸収物質の固形水素の開発者で有るトヨタ自動車のどちらかが、
将来的に、始める水素と酸素の無補給式の水素と酸素の瞬間吸収物質の真の発明者に与えられる莫大な原子力売電に代わる利益者に成るのは、経済産業省と特許庁に液体マグ
ネシウムの特許者回答とトヨタ自動車の水素と酸素の瞬間吸収物質の固形水素技術が、日本国内にしか無いの回答にしかならない理由として、無回答だからで有る。
万が一、液体マグネシウムの水素と酸素の瞬間吸収物質の特許が海外の国の個人になれば、おそらくその発明者が、莫大な利益と言う特許請求年数の特許料金請求が可能にな
るのも、言うまでも無い事実で有る。
【００８９】
従って、本田技研の液体マグネシウム技術とトヨタ自動車の水素と酸素の瞬間吸収物質の固形水素技術を、一切使わない水素と酸素の発電技術を、北海道知事確認済の技術を、
今後新しく書いて、行かなければならない理由に、本田技研の水素と酸素の瞬間吸収発電物質液体マグネシウム技術とトヨタ自動車の水素酸素の瞬間吸収発電物質の固形水素
技術に対して、売電利益が高額になる為、契約示談成立がしない場合の対策技術を、新たに公開して行く考えを、本文で表明して行く事に成る。
【００９０】
現在の事実として、登録第3145903号の実用新案登録証が、省エネルギー水気化水発電機(別名水発電機)が実際に登録になっている現状、企業側は、儲かる商売だから本来何ら
かの連絡を墫野和夫宛てにするのが、通常のたてまえで有る為、燃料電池発電の無補給技術で無い、水素補給技術に等しい、燃料電池発電は、東京ガスなどが実際に初めてい
るが、燃料電池の水素と酸素の瞬間吸収物質の技術を、トヨタの固形水素技術なのか本田技研の液体マグネシウム技術のどちらかなのかも、おそらくテレビマスコミでは、一
度も報道しなかった特許番号のテレビ公開も、実際に無いのが現状で有り、おそらく東京ガスのパンフレットに、水素と酸素の吸収物質の特許国と特許者の名前が書かれてい
ないはずで有る。
理由説明
もし、東京ガス等が、水素と酸素の瞬間吸収物質の特許国と特許者が、番号公開になると、多国語のわかる少しばかり資産の有る個人が、実用新案登録して、水素と酸素の瞬
間吸収物質の財産権は、日本国内に無い場合は、他国の特許者契約が、誰でも出来る理由から、デザインと方式の異なる実用新案で、水素と酸素の別の形の給油式では、実用
新案と特許者契約証明書で、事業成立する為、東京ガスなどの燃料電池発電の特許番号公開は、行わない理由に、他社が東京ガスと同じ事業を安く行う会社が出て来れば、東
京ガス自体が、燃料電池発電装置の値段を下げなければならなくなる理由に、よって長年特許番号の明示と表示の義務と罰則が、経済産業省及び特許庁の特許法と知的財産基
本法の長年改正されない理由として、企業利益を上げて、消費者に高い買い物を行わす為の、テレビマスコミと新聞マスコミ活用によって、現在の燃料電池発電の特許料請求
年数25年〜20年に対して残り15年の燃料電池の水素と酸素の瞬間吸収物質の特許料金契約は、おそらく誰も知る事が出来ないとされている企業秘密契約は、燃料電池の水素と
酸素の瞬間吸収物質の最初の発明国の発明者に実際に聞くしか無いのが現状で有る。
従って、燃料電池発電等の普及でも、国の全額者金返済は、東京ガスでは、出来ない仕事で有り、天然ガスの値上がりが無い事と、税金の消費税が上がらない事を神頼みする
しか無いのも現状で有る。
燃料の石油から、水素を取り出して酸素と発電する技術は、石油が高い為、敬遠技術で有る。
残る技術が、ガスに水を混合して水素を取り出す技術と石油燃料に水を混合して、水素を取り出す技術手段が有るが、墫野和夫が、燃料電池の水発電機として、特許請求して
いる為、他社では絶対に無理な技術で有る。
この他、天然ガスと植物残飯または植物を混合かくはんを行って水素を取り出して、酸素と水素との化学反応発電する方法で有り、残った植物残飯等は、水分ゼロの酸素残飯
に成り、発酵菌を入れた場合、酸素が多い分発酵スピードが速くなる。
この他、乾燥残飯と天然ガスの残り成分と混合したマキストーブの変わりのテレビマスコミ報道されていない天然ガスに代わる発火物質で有るが、墫野和夫自体が、燃やす原
理が酸素を失う事の為、余り興味の無い事業説明自体自然破壊だからが理由で有る。
従って、残飯と植物と天然ガスの燃えカスは、粘土と混合合成して、絶縁体と陶器粘土として活用するのが著作権としている点でも有る。
【００９１】
産業上の利用説明9
多機能新技術携帯電話には、新しいテレビ技術とアンテナ技術とソーラーパネルデザイン技術などが有るが、いずれにしても、著作権の先技術証明で著作権盗作が困難になり、
お金が出来次第、特許請求をするのが、現在の日本の発明の先技術著作権知的所有財産保護から、特許権と言う商品保護に移り変わるのが世界共通で有ると考える。
本文を、読まれる資本主義のテレビマスコミ及び資本主義の新聞マスコミは、日本国内の弱者庶民自立社会とは、弱者庶民一人一人が、自立社会を築く事で、資本主義マスコ
ミテレビの税金負担を軽減して、資本主義新聞マスコミの税負担の軽減に、いずれはなって行かなければならないのが、資本と言うお金以外の知的所有財産だけでも、自立可
能な事を、テレビ新聞に報道する商品の特許国公開と開示と特許者公開と開示と特許番号公開と開示して無いのが現状で有り、大抵は公開してませんまたは企業秘密の回答が、
現状で有り、特許番号を調べるだけで、莫大な費用を、弱者庶民一人一人が払わなくても良い金を支払ってるのが現状なのは、特許番号と特許国と特許者を探すだけで、企業
利益に成るからで有る。
その為、資本主義テレビマスコミと資本主義新聞マスコミは、企業側の間接利益を得る為に知的財産番号の公開を行っていないのも、弱者いじめの長年の情報公開を言いつつ
情報公開を行って来なかった資本主義のテレビマスコミ一面で有るのも現状で有る。
【符号の説明】
【００９２】
1   多機能新技術携帯電話 
2   携帯電話画像パネル装置 (ネオンガス及びネオンガス入りダイオード及び軽水素トリチウム入りダイオードと軽水素トリチウム入り圧電素子複数磁石体絶縁体付きパネル
と、軽水素トリチウム入り超透明ダイオードシリコンなどの粒子が、超微粒粒子を採用したクリスタルガラス内面貼り付け発電シート又は発電
膜などを採用した画像パネル装置)  
3   補助充電発電池         (指歯車装置回転型高出力ダイナモ装置発電方式の重水素ジュテリウム量調整型軽水素トリチウムニッケル充電池の世界最速充電システム採用発
電充電装置)
4   携帯電話アンテナ       (ゲルマニウムと軽水素トリチウム入り圧電素子合成アンテナ及び電気の通るプラスチックと軽水素トリチウム入り圧電素子合成アンテナ及びダ
5   携帯電話無線アンテナ   (ステンレス筒形状アンテナの筒の中に軽水素トリチウムと圧電素子と電気の通るプラスチックを混合合成した物質をステンレス筒形状アンテナ
に内蔵した無線アンテナ装置)
6   前後一体カメラ         (前後を一度に同時に見る事の出来る前後一体型カメラ装置)
7   軽水素トリチウム入り発光ダイオード玉装置(発光ダイオードに、軽水素トリチウムを入れた軽水素トリチウム入りの発電しながら発光する発光ダイオード玉装置)
8   高出力ダイナモ装置     (軽水素トリチウム入り圧電素子磁石体を、通常ダイナモの中央部分を刳り貫いた場所に入れて、軽水素トリチウム入り圧電素子磁石体の滑落防
止措置を行った世界初の通常ダイナモより発電量が多い世界初のダイナモ装置)
9   高出力ダイナモ指回し装置(携帯電話の充電池電気量が無くなった場合、高出力ダイナモ指回し装置などで回して特願2003ー129576号公報の世界初の急速充電装置を使って
重水素ジュテリウム量調整型軽水素トリチウムニッケル充電池に、短時間の高速充電出来る手動指発電式装置)
10  補助充電池              (重水素量を少なく調整した軽水素トリチウムニッケル充電池は、水素ニッケル充電池より、急速充電可能な装置)
11  数字ボタンスイッチ      (電波遮断型指置き電波遮断型の軽水素トリチウムダイオードスイッチの世界初の携帯電話スイッチで有り、パソコンなどに採用予定)
12  絵記号ボタン            (電波遮断型指置き電波遮断型の軽水素トリチウムダイオードスイッチの世界初の携帯電話スイッチで有り、パソコンなどに採用予定)
13  テレビ回路ボックス装置  (携帯電話からテレビ回路ボックス装置だけ、外して再利用出来るリサイクル型携帯電話のテレビ回路ボックス装置)
14  携帯送受信回路ボックス装置(携帯電話から携帯電話送受信回路ボックス装置だけ外して再利用出来るリサイクル型携帯電話のテレビ回路ボックス装置)
15  インターネット回路ボックス装置(携帯電話から携帯電話インターネット回路ボックス装置だけ外して再利用出来るリサイクル型携帯電話のインターネット回路ボックス装
置)
16  衛星GPS回路ボックス装置 (携帯電話から衛星GPS回路ボックス装置だけ外して再利用出来るリサイクル型携帯電話の衛星GPS回路ボックス装置)
17  軽水素トリチウム入り黄色圧電素子シリコンダイオード(軽水素トリチウム入りダイオードの増幅発電を行える軽水素トリチウム入り黄色圧電素子ダイオードソーラーパネ
ル装置)
18  軽水素トリチウム入り白色圧電素子シリコンダイオード(軽水素トリチウム入りダイオードの増幅発電を行える軽水素トリチウム入り白色圧電素子ダイオードソーラーパネ
ル装置)
19  軽水素トリチウム入り赤色圧電素子シリコンダイオード(軽水素トリチウム入りダイオードの増幅発電を行える軽水素トリチウム入り赤色圧電素子ダイオードソーラーパネ
ル装置)
20  軽水素トリチウム入り緑色圧電素子シリコンダイオード(軽水素トリチウム入りダイオードの増幅発電を行える軽水素トリチウム入り緑色圧電素子ダイオードソーラーパネ
ル装置)
21  軽水素トリチウム入り黒色炭素シリコンダイオード(軽水素トリチウム入りダイオードの増幅発電を行える軽水素トリチウム入り黒色炭素ダイオードソーラーパネル装置)
22  軽水素トリチウム入り圧電素子ダイオード磁気パネル(圧電素子磁気パネルをプラス映像波設定した場合、軽水素トリチウム入りダイオード薄膜は、マイナス映像波設定
によって、写し出せる軽水素トリチウム入り技術を可能にしたネオンガス入りダイオード膜の二重ダイオード
23  軽水素トリチウム入り炭素シリコンダイオードソーラーパネル装置(光吸収を、良くする為にシリコンダイオードに黒い炭の炭素を混合合成した物質に、軽水素トリチウム
入りシリコンダイオードのソーラーパネルで有り、全てのソーラーパネルの物質に軽水素トリチウムを
入れる世界初の技術で有る。
24  軽水素トリチウム入り圧電素子シリコンダイオードソーラーパネル装置(光吸収した黒色の圧電素子磁石体によって、シリコンダイオードに内蔵した軽水素トリチウム入り
シリコンダイオードに、軽水素トリチウムを入れる事によって、軽水素トリチウムの中間子の2つ
電子の光吸収熱発電を誘発発電出来る世界初の黒色の圧電素子磁石体と軽水素トリチウムの瞬間の
圧電素子の光電気の軽水素トリチウムの中間子の2個の電子の圧電素子ダイオードの磁気電気誘発
打撃発電出来る装置)
25  ソーラーパネルクリスタルガラス(超薄型の複数レンズを内蔵したソーラーパネルガラスデザインまたは、複数数薄型レンズの中央部分のシリコンダイオードの接点に、軽
水素トリチウム入り圧電素子磁石の超小型チップを、内蔵したデザイン特許説明で有り、クリスタ
ルガラスデザインに対しては、十二支に猫を追加したすべての動物昆虫のデザイン及び植物デザイ
ン及び微生物菌の形状デザイン画を、そのままにクリスタルガラスソーラーパネルに描いたソーラ
ーパネルのクリスタルガラスデザイン)
26  軽水素トリチウム入りシリコンダイオード薄膜ペーパー発電シート(ソーラーパネルのガラス部分または携帯電話の画像パネルガラス部分または自動車のガラス部分または
家のガラス面ライトのガラス面または、塗料剤と一緒に混合合成した発電ペンキに、よってソーラーパ
ネルの代替え可能な軽水素トリチウム入りの発電ペンキで有るが発電ペンキの場合、圧電素子とシリコ
ンダイオードの下塗りペンキが必要になり、アルミニューム等の上に塗って発電シートとするのが、理
想で有る)
27  ソーラーパネルプラス配線
28  ソーラーパネルマイナス配線
29  画像パネル部分(二つ折画像パネル装置と、外部のデーター取り込みジャック部分で有る)
30  携帯電話2つ折り蝶つがい部分(通常の二つ折携帯と異なり2つ折り携帯を開いた場合、水平角度の180度まで、水平に開いて、画像パネルの合わせ目の隙間がゼロになる構
造の二つ折り携帯の構造説明で有り、蝶つがい構造に接する画像パネルは、蝶つがいに被さる構造になる)
31  データー取り込みジャック(携帯電話のゲームデーター装置の形態電話取り込みジャックと充電池で作動する充電池内蔵型の全ての充電池式小型電気商品全ての電気補充ア
ダプタ説明に成る)
32  外部電気商品充電用プラスジャックプラグ配線(世界最新型の自動充電池のプラス電気を取り込む装置部分)
33  外部電気商品充電用マイナスジャックプラグ配線(世界最新型の自動充電池のマイナス電気を、取り込む装置部分)
34  緊急外部電気取り込み装置(発電池の故障対策装置)
35  横開き2つ折り携帯(画像装置部分が携帯電話全面を使用した世界初の二つ折画像パネルデザイン特許)
36  クリスタルガラス画像パネル(テレビパネルのガラス構造で有り、軽水素トリチウム入りシリコンダイオードの超細糸発電体を、2枚合わせガラスの間に入れたテレビガラ
ススの発電ガラスデザイン2枚合わせガラスの内側クリスタルガラス面を、複数針穴にして、静電気を浴びせる構造にした3枚目の白色ガラス
装置のデザイン形状が有る)
37  軽水素トリチウム入り圧電素子複数配線回路画像パネル(世界初の複数の軽水素トリチウム入り圧電素子の複数磁石の取り決め複数プラス磁極の面に白色の電気の通る軽水
素トリチウム入りのシリコンダイオード膜を張った上に軽水素トリチウム入りのシリコンダイオード膜を重ねて貼
った構造の装置で有り(38)の軽水素トリチウム入り発光ダイオード複数玉装置を、軽水素トリチウム入りダイオー
ド圧電素子合成回路配線貼り付け装置によって、少ない電気で発光する発電型の発光ダイオードライト玉装置で有
りバックライトと異なった発電軽水素トリチウム入り発光ダイオード玉装置)
38  軽水素トリチウム入り発光ダイオード画像パネル装置(テレビ画像一面の発光ダイオード玉に、反射板入りデザイン工夫した超薄型の軽水素トリチウム入りの発光ダイオー
ド玉装置説明で有り、軽水素トリチウム入り圧電素子ダイオードカイロ配線パネルを取り付けたテレビの画像素子自
体が、バックライト無で明るい映像になる発電型の軽水素トリチウム入りネオン発光ダイオード画像パネルなども、
軽水素トリチウム入りの中間子2個の電子によって、電気を流す事で、シリコンダイオードと電気熱発電出来る画像
パネル装置は、充電池素子の有機ELと異なった素子とは、金属の微粒子が入っていない点が異なった充電で無く発電
出来る素子説明になる)
39  画像パネルサイドライト(ネオンガス入りの超薄型の軽水素トリチウム入とりダイオードパネル画像パネルの液晶パネル構造異なったガス入りのテレビパネル構造説明)
40  マイナスドライバーあて口(軽水素トリチウム入り発光ダイオード玉装置の軽水素トリチウム入りのLED素子と金線とリード線をレンズから外す為のナット形状デザイン型
の発光ダイオード玉装置を、解体する為のマイナスドライバーあて口)
41  反射板付き軽水素トリチウム入り発光ダイオードライトガラス部分装置(軽水素トリチウム入りダイオードを使用しない液晶のダイオードパネルは、電気消費が多いのが欠
点で有り、電気中の電気抵抗取り除く装置を採用積載していない液晶画像パネルは、電気消費が多
い欠点を、抱えている更に、発光ダイオードに対しても、軽水素トリチウム入り発光ダイオードラ
イト玉を使用していない液晶パネルは、電気消費が多い欠点を、抱えた日本のデジタル液晶テレビ
の最大な世界的な電気消費に対して電気ロスの多い電気製品の液晶パネル販売を続けてる事になる
電気消費の多い液晶技術の違い説明)
42  超小型圧電素子(太陽光発電に於いて燃える一歩手前の技術のソーラーパネル使用の複数レンズの中間部分に、黒色の軽水素トリチウム入りのレンズ光熱打撃発電の世界最
新式技術を2009年8月27日PM22時40分追加技術考案のレンズ焦点距離の軽水素トリチウム入り圧電素子の光打撃圧電素子発電説明で有る)
43  軽水素トリチウム入り圧電素子(発電回路2009年8月27日までに、既に書き上がっている無害無給油の半永久連続作動発電機の燃料電池発電機の2連振子型機械式発電機に積
載した軽水素トリチウム入りの圧電素子磁石体の電気打撃増幅発電技術は、世界初の電気を圧電素子に通しただけで増幅発電出来る技術で
有り、追加技術として、音波を、軽水素トリチウム入り圧電素子磁石体に通す事で、発電する軽水素トリチウム入り圧電素子で有り、電波
は、スクリュー電波の受信装置に使用したり出来るこの他、磁気電波を、軽水素トリチウム入り圧電素子磁石体に磁気電波打撃発電可能な 
世界初の軽水素トリチウム入り圧電素子の構造と用途説明で有り、2009年8月は、稼げたのが11日だけの、稼働日数などの理由によって、
特許提出が遅れる説明で有る)
44  超薄型複数レンズ縦両面反射板入りソーラーパネル装置(レンズに対して十字の方向に反射板を入れたレンズ装置で有り、太陽がレンズの真上以外の太陽光を、より多く軽
水素トリチウム入りの圧電素子シリコンダイオードに光吸収させる事の出来る世界初の、太陽光エネルギー増幅型
のソーラーパネル装置説明)
45  軽水素トリチウム入り要素液体マグネシウムフッ素シリコンダイオードソーラー複数穴空きシート(この装置の目的は、太陽光の光エネルギーを因り多く吸収する為に先開
発した炭素シリコンソーラーパネルは、2002年10月末に先考案して有っ
たソーラーパネル財産だが、黒色のソーラーパネルの先発明者は、特許
庁でも、技術的な特許文章が先技術調査では、出て来なかった技術に、
少量の液体マグネシウムと少量の要素と液体フッ素と軽水素トリチウム
と圧電素子超微粒子とシリコンダイオードの混合合成複数穴空き膜と軽
水素トリチウム入りシリコンダイオード膜と軽水素トリチウム入り圧電
素子パネルを重ねて貼り合わせた太陽光を、軽水素トリチウム入り圧電
素子と両面反射板を内蔵したレンズを使用しないソーラーパネル説明で
有り、液体マグネシウムの燃えずらい性質をフッ素溶液と要素に液体マ
グネシウムを混合合成した場合、燃え無くなる事を期待した技術だと言
える説明で有る)
46  軽水素トリチウム入り圧電素子太陽光熱補助発電パネル(軽水素トリチウム入り圧電素子太陽光熱発電パネルは、軽水素トリチウム入り炭素シリコンダイオードパネルの発
電した電気を、軽水素トリチウム入り圧電素子太陽光熱補助発電装置に軽水素トリチウム入りの圧電素子電気打撃
発電として行う事で、世界最大の発電量を、誇る世界初のソーラーパネル技術)
47  圧電素子4電子磁気分割装置(特開2004ー304992号公報の電気中から電気抵抗を取り除く装置技術によって、ソーラーパネルの急速充電を、世界で初めて可能にした世界最
速充電技術)
48  重水素量調整型軽水素ニッケル充電池(墫野和夫が知り得た水素ニッケル充電池の公開販売は、1999年〜2000年頃、20分程度で、フル充電出来るモータードリル充電池の存
在は、正直言えば恐らくこの頃の世界最速充電池技術だったが、自動電池及び自動充電池等の世界最速充電池がどうしても必要に成
り、軽水素トリチウムニッケル充電池を先に考案するが、この当時充電池の充電時の火災事故例などが有り、念の為、重水素量を少
なくした軽水素トリチウムニッケル充電池を開発する事になったのは、自動充電池の半永久連続の高出力ダイナモの連続作動発電し
た高出力ダイナモ発電した電気の世界最速充電可能な充電池が必要になり、新しく考えた世界最速充電出来る重水素量を少なく調整
した軽水素トリチウム量調整型ニッケル充電池技術説明で有る)
49  携帯波充電池量連絡装置(携帯電話連絡した場合、お互いの携帯電話の充電池残量の画像画面確認出来るシステムで有る)
50  回路システムブロック(今までの携帯電話は、携帯電話の回路システム部分の再利用を、行えない欠点が有り、消費者に取っては過去の置き電話の使用料金を遥かに超えた
携帯電話の通話料金及びシステム料金を、支払っている計算に成り、本発明は、既に特許庁が著作権の先技術確認を行った先技術を、特許提出した
財産説明になる)
51  回路システムボックスプラス接続装置穴(携帯電話の機能毎に回路システムブロック化して手動で携帯電話の内部に組み込み接続出来る装置で有り、回路システムボックス
を止めたり携帯波電波を接続して連絡する為の携帯波の配線接続部分)
52  回路システムボックスマイナス接続装置穴(携帯電話の機能毎に回路システムブロック化して、手動で携帯電話の内部に組み込み接続出来る装置で有り、回路システムボッ
クスを止めたり携帯波電波を接続して連絡する為の携帯電波の配線接続部分)
53  防水プラスチック絶縁体(回路システムボックスを保護する為の絶縁体装置)
54  携帯電話
55  自動充電池(特開2003-328925号広報の自動電池の発電量を、他の同じ大きさのダイナモ発電量より、発電量を多くして発電回路の軽水素トリチウム入り圧電素子磁石体の、
世界初の軽水素トリチウムの中間子2個の電子の圧電素子に、混合内臓する世界初の技術によって、じどぅ充電池の発電した電気打撃で、電気の増幅発電出来
る世界初の技術で有る)
56  高出力DCブラシレスモーター(別名高出力レールモーター名で有り、DCブラシレスモーターの電気消費を更に少なくして、DCブラシレスモータースピードを、更に上げた高
出力モーター技術とは、DCブラシレスモーターの電磁石一つ一つの、電磁石を金属絶縁体の電磁石部分を、軽水素入りトリチウム入り圧電素
子磁石体構造に変えて、銅筒官コイルに、軽水素トリチウムと圧電素子磁石体と微量のシリコンダイオードを混合合成した電気配線を、銅筒
官配線に内蔵させた世界初の銅電気配線構造のコイル配線を、超薄型ステンレス板の2枚の間にコイルを内蔵した超薄型のステレス板のコイ
ル板を、軽水素トリチウム入り圧電素子磁石体それぞれ全てに取り付けたDCブラシレスモーターの圧電素子磁石体の電磁石化を、少ない電気
で、可能にした軽水素トリチウムの中間子の2個の電子の圧電素子磁石体の軽水素トリチウム融合の電気打撃発電効果によって、圧電素子電
磁石磁石体は、少ない電気消費で、高出力電磁石化出来る世界初のモーターコイル金属内板の電磁石構造とコイル配線構造説明で有る)
57  絶縁金属枠型軽水素トリチウム入り圧電素子磁石体(DCブラシレスモーターの電気消費を、更に少なくした軽水素トリチウム入りの圧電素子磁石体技術は軽水素トリチウム、
の構造が、中間子に2個の電子が組み合わさった物質を軽水素トリチウムで有り、中間子が2つの電子の為、圧電素子磁
石体の電気打撃発電の際、軽水素トリチウムの二つの電子相乗効果によって増幅発電出来る原理説明で有る)
58  絶縁金属(DCブラシレスモーターすなわちレールモーターの絶縁体部分を、絶縁金属のアルミニューム枠にした技術または、他の金属に人工ダイヤ物質を被せた金属絶縁体
構造で有り、軽くて丈夫な木にプラスチック加工及び石膏加工した物質に人工ダイヤ物質を被せて固めたDCブラシレスモーターの絶縁体部分装置説明で有る)
59  銅筒官コイル内蔵超薄型ステンレス板装置(DCブラシレスモーター即ちレールモーターの電磁石部分で有るが、本来DCブラシレスモーターも、同じレールモーターも、電磁
石は、鋼鉄電磁石より、磁極切換えの早い公知技術の圧電素子を使用するのだが、コイルを巻いた場合磁極切換えの際二つの複
数電磁石の配列した複数のモーターコイルのコイル同士がぶつかりあう為、モーターコイル構造を、どうしても、圧電素子磁石
内に収める構造もしくは、鋼鉄コイル磁石内にコイルを収納する技術に変えなければ、電磁石コイルの実際使用の設置説明にな
らない為、銅筒官コイルの特別の軽水素トリチウムと圧電素子磁石体の粉と微量のシリコンダイオードを、混合合成した電気の
通り易い配線を銅筒官に内蔵した特別のコイル配線構造のコイル配線を平板コイル状にしたコイルを、超薄型の2枚のステンレ
ス板に内蔵したコイルを、軽水素トリチウム入り圧電素子磁石体に張り付けた構造もしくは、超薄型ステンレス板で包んだ構造
の、特許庁と本田技研の発明主張するDCブラシレスモーターのコイル取り付け説明で有る)
60  軽水素入り圧電素子滑落防止骨組鉄枠装置(軽水素トリチウム入り圧電素子磁石体が、モーター遠心力とモーターストップ時の衝撃で、軽水素トリチウム入り圧電素子磁石
体が、壊れて崩れないようにする為の磁石体内部の鉄枠網構造で有り、軽水素トリチウムの圧電素子磁石体漏れの対策は、軽水
素と電気の通るプラスチックを混合合成した超微粒子粒を、圧電素子磁石体の内部の圧電素子磁石体物質と平均に混合合成して
固めた技術で有り、この他、比較的電気の通るシリコンダイオードに軽水素トリチウムを混合合成した物質を、超微粒子にした
物質を、圧電素子の形成過程で超微粒子軽水素トリチウム入りシリコンダイオード超微粒子粒の圧電素子混合合成技術説明で有
る)
61  超薄型ステンレス板カバー装置(高出力モーターの軽水素トリチウム入り圧電素子磁石体の銅筒官コイルを取り付けた構造に対しての銅筒官コイルカバーの超薄型ステンレ
ス板のカバー状況で有る)
62  DCブラシレスモーターの人工合成永久磁石(DCブラシレスモーターまたはレールモーターの鋼鉄永久磁石の鋼鉄永久磁石の内側を刳り貫き刳り貫いた場所に、軽水素トリチ
ウム入り圧電素子磁石体を入れた人工の合成の永久磁石体もしくは、鋼鉄永久磁石体の内側を刳り貫いた部分に軽水素トリチウ
ム入りの圧電素子磁石体に貼り付け銅筒官コイルを内蔵して、鋼鉄枠にプラスマイナス配線を、プラス永久磁石枠とマイナス永 
久磁石枠に取り付けた構造に、超薄型ステンレス板を被せた装置に、予め電気を流して、人工の組合せ永久磁石体構造にした装
置)
63  
64  超小型ステレス板のボルトナット止め穴装置(世界初の高出力モーターの軽水素トリチウム入りの圧電素子磁石体の滑落防止装置の為の超小型ステンレス板のボルトナット
止め穴装置説明)
65  DCブラシレスモーターの永久磁石(即ち、レールモーターの永久磁石の構造は、鋼鉄磁石の内側を刳り貫いた場所に軽水素トリチウム入り圧電素子磁石体を入れて銅筒官コ
イルを内蔵して、鋼鉄磁石のプラス磁極とマイナス磁極それぞれに、コイル配線を取り付けて超薄型ステンレス板を被せて固定して、鋼
鉄磁石のプラスとマイナス極に予め電気を流して強い電磁石接合と電磁石に直ぐ使用出来る人工の永久磁石構造説明で有る)
66  永久磁石(DCブラシレスモーター及びレールモーターの永久磁石で有り、鋼鉄磁石の内側を刳り貫き、刳り貫いた場所に軽水素トリチウム入りの圧電素子を磁石体を内蔵し
た構造で有り、銅筒官コイル配線を2枚のステンレス板に内蔵した形状の超薄型ステンレス板を、軽水素トリチウム入り圧電素子磁石体に被せた手てコイルを、
鋼鉄永久磁石のプラス磁気とマイナス磁気に銅筒官配線を取り付けて超薄型ステンレス板のコイル入りを被せて固定して予め電気を鋼鉄磁石のプラス極とマイナ
ス極に電気を流してステンレス板等が永久磁石になるまでて電気を通して鋼鉄人工永久磁石の磁気固定化を行った永久磁石装置)
67  電磁石(DCブラシレスモーターまたはレールモーターまたは超軽量高出力モーターの鋼鉄磁石部分を予め刳り貫き、刳り貫いた場所に軽水素トリチウム入り圧電素子磁石体
と超薄型の2枚のステンレス板の間に銅筒官コイル配線を、平板形状に銅筒官コイル配線を内蔵固定した超薄型ステンレス板を、軽水素トリチウム入り圧電素子磁
石体に被せて鋼鉄磁石の中抜き部分に代わりに固定した人工合成細工した電磁石で有り、少ない電気で、電磁石化出来る世界初のモーター事情を変えてしまう新し
いモーター電磁石新技術説明で有る)
68  超軽量高出力モーターバイブレイション(超軽量モーターカバーは、モーターカバーの金属骨組に、超薄板超軽量金属板を被せた装置とモーター内コイルの鉄板の内側全て
を刳り貫き、刳り貫いた場所に軽水素トリチウム入りの圧電素子磁石体を内蔵した所に超薄板ステンレス板の2枚の間に銅筒官の
軽水素トリチウム入り圧電素子磁石体と微量のシリコンダイオードを混合合成させた銅筒官に入る電気配線構造にした、電気の通
り易い物質で、作り上げた電気の通り易い物質で構成した銅筒官コイル配線を軽水素トリチウム入りの圧電素子磁石体に被せる装
置に超軽量の銅筒官配線と軽水素トリチウム入り圧電素子磁石体の滑落防止装置のステンレス板で滑落防止した超軽量高出力モー
ターのバイブレイション軸説明)
69  内コイル軽水素トリチウム入り圧電素子滑落防止ポルトナット穴(超軽量高出力モーターの内コイル鉄板の中央部分の軽水素トリチウム入りの圧電素子板のはめ込み状態を
維持する為の超薄型ステンレス板を、中コイル中抜き枠にポルトナット止めする為のボルトナット穴装置
で有る)
70  内コイル中抜き枠(超軽量高出力モーターの内コイルの鉄板の中央部分を刳り貫いたモーター内コイル板装置で有り、代わりに軽水素トリチウム入りの圧電素子磁石板が内
蔵される構造になる)
71  超軽量超小型高出力モーターカバー装置(超軽量高出力モーターカバーの異名を取る装置は、モーター内コイル及びモーター永久磁石及びモーター銅コイル配線全てに於い
て超軽量技術を施した装置で有り、モーターカバーはモーター金属骨組に対して超薄型の金属及び他の金属以外の物質で、軽い構
造になっている)
72  軽水素トリチウム入り圧電素子磁石(軽水素トリチウムは、中間子に2個の電子構造の為、圧電素子に混合合成する事で、圧電素子磁石体に強い電気打撃を掛けた場合、圧
電効果すなわち、圧力電気として、軽水素トリチウムの中間子の2個の電子の相乗効果発電によって、電気の増幅発電可能な圧電素子
に変わる軽水素トリチウム入りの圧電素子磁石体説明)
73  銅筒官軽水素トリチウム入り圧電素子ダイオードコイル配線(本来モーターの銅コイルを、他の超電導配線にした場合、超電導物質は銅線で無い為、電磁気化しない科学的
事実で有り、例え超電導物質に電気が流れた減少を、使って鉄板に巻いても、鉄板は磁石化しない理由は、超
電導物質自体が絶縁体に近い物質を使用している為で有り、あえて超電導配線を、違うコイル配線にする技術
は、銅の微粒子を超電導配線物質と混合して、超電導配線を作る技術だが、必然的に銅の微粒子が多くなり銅
筒官形状に形成する手間は、かなり高価な超電導配線になる)
74  銅筒官コイル入り2枚合わせステンレス薄板(銅筒官コイルを、実際にDCブラシレスモーターに巻いた場合、二つのDCブラシレスモーターの取り付け上、コイルが邪魔にな
る為、銅筒官コイルを平板状に並べて超薄板の2枚のステンレス板を使用して、ステンレスとステンレスの間に銅筒官コイル配
線を内蔵した超薄型のステンレス板装置)
75  軽水素トリチウム入り圧電素子ダイオード配線(銅筒官配線に内蔵する電気の通り易い電気配線で有り、圧電素子磁石体に軽水素トリチウムを入れても電気熱で軽水素トリ
チウムが、蒸発して圧電素子磁石体から出る危険性が有る為、比較的電気の通り易い微量のシリコンダイオードと軽水素ト
リチウムを混合合成して、超微粒子材にして、圧電素子磁石体と混合合成するか、軽水素トリチウムと圧電素子とシリコン
ダイオードを混合合成した電気の通り易い物質で、作った電気配線を銅筒官に入れた電気配線説明で有る)
76  銅官部分(銅筒官配線の銅官部分で有り、太い銅筒官配線になれば、軽量対策の点で、複数穴空き銅筒官配線のデザイン構造が望ましいデザイン構造説明)
77  銅筒官配線(2001年6月頃この頃の燃料電池発電機の無給油型を使用した8つ以上のプロペラを付けた2連結以上モーターのコイル配線に、超電導配線を使用しょうとする場
合どうしても、銅コイル配線でなければならなかった為、その時に銅筒官配線のデザイン特許配線を考えるが、この当時はまだ、超電導配線と同じような働き
をする電気配線の開発は、この頃まだで有った、圧電素子電気配線は、2002年9月頃、電波の磁場の影響で電波が乱れるのを、綺麗にテレビ画像を得る為の圧電
素子磁気配線等の先技術説明で有り、著作権の先技術証明は、国土交通省のネテスのインターネット公開と、文部科学省の科学技術著作権文章の先技術発生日
として、公開する予定で有る)
78  スピーカーバイブレイション(超薄型の携帯電話を作る場合、超小型高出力モーターより、更に薄く出来る携帯電話バイブレイション技術として、超小型のスピーカーの振
動面に、超薄型のゴムを張り付けて、携帯電話を震わす方法と電話のベル構造を小さくして、震わせるモーターバイブレイション以外の携帯
電話の振動による連絡装置手段説明で有る)
79  ゴム入り装置(携帯電話のモーターバイブレイションと異なるゴム入りのスピーカーバイブレイシヨンで有り、音を、ゴムで消してスピーカー振動だけを使用した携帯電話
の超薄型バイブレイション技術説明で有る)
80  クリスタルガラス(携帯電話の超小型振動バイブレイシヨンスピーカーに積載するスピーカー振動部分のクリスタルガラス装置で有り、大型スピーカになると、透明スピー
カーのバックに画像を映して、画像の見えるスピーカーのデザイン特許になり、水中でも錆びないスピーカーとして、今後国の全額900兆円越えの借金
全額返済の先著作権技術説明で有り、特許庁には、著作権の先技術確認が既に出来ている著作権のデザイン特許になり得る物件で有る)
81  高出力電磁石(通常の鋼鉄電磁石の鋼鉄部分の中央部分を刳り貫いて、刳り貫いた場所に軽水素トリチウム入りの圧電素子磁石体を代わりにきっちり内蔵した上で両面に鋼
鉄板を貼り付けて、ポルトナット止めした人工の永久磁石に銅筒官配線の軽水素トリチウム入り圧電素子磁石体とシリコンダイオードの超微粒子粒の軽水素
トリチウム合成した電気配線を、銅コイル配線として使用出来る銅筒官配線を、人工の永久鋼鉄磁石体に銅筒官配線を巻きつけた電磁石を、高出力電磁石と
言う)
82  弱電波遮断型指置きスイッチ(弱電波を、スイッチ面の弱電波発射装置から弱電波キャッチ体に送信し続けたスイッチ回路に人の指の弱電波遮断によって、電波が途切れた
場所を電気回路スイッチの一番早い最新式新技術スイッチ回路の軽水素トリチウム入りダイオードスイッチ回路によって、弱電波遮断の確認
及び認識及び認知によって、人の指によって弱電波遮断した情報をスイッチ化して連絡出来る装置)
83  弱電波発射装置(超細い絶縁プラスチックビニール管または超細い絶縁グラスファイバー官を使用して、弱電波遮断型指置きスイッチの弱電波発射装置に弱電波誘導を行っ
た装置で有り、弱電波発射装置は、超小型の携帯電話の送信装置の一番小さいのを使用するか、携帯電話の送信装置の電気量調整の弱電波を、弱電波遮断
型指置きスイッチに使用予定で有る)
84  弱電波キャッチ受信体(超細の弱電波発射装置から、発射された弱電波は、圧電素子磁石体構造の弱電波キャッチ受信体の弱電波遮断の軽水素トリチウム入りダイオードス
イッチ切換え電気信号が伝わる構造で有る)
85  弱電波遮断型スイッチポルトナット止め穴部分装置(スイッチ基盤を止める方法で有るが、細い金属に刺し込んでスイッチ基盤を止める構造の他、スイッチ基盤の金属板接
着方法の他、スイッチピン止め方法が考えられるスイッチ基盤の固定方法説明で有る)
86  スイッチボタン装置(弱電波遮断型指スイッチの指置き場所だが、夜光塗料と夜光塗料の劣化防止剤として、固形窒素と抗菌材として、セロリ液を乾燥して粉末にした物ま
たは、梅干しのす素を蒸留して、乾燥させた抗菌物質を、夜光剤と固形窒素とプラスチック等の物質を、混合合成したスイッチ基盤で有り、この他竹
の乾燥粉とグラスファイバーの合成木材の原料を、加工合成したスイッチ基盤で有る)
87  抗菌竹固形窒素グラスファイバー合成夜行パネル(今回の梅干しのす素を浄化して、透明のす素を乾燥させた粉末と日本各地に豊富に有る、竹材及び笹材を、乾燥させて植
物繊維を生かして木材の再利用チップ材などと固形窒素の劣化防止剤と夜光塗料とグラスファイバーのプラスチック等の
石油から産出する部材を混合合成した劣化防止剤入りの夜行合成パネル説明で有り、竹材及び笹竹材の植物乾燥繊維と木
材の再利用によって、作り出された合成木材は、安値の木材パネルとして国の900兆円越えの全額借金返済の為の著作権
先技術で有り、合成木材の柱を丈夫にする為に、柱の中心はグラスファイバー芯入り合成木材柱の利用用途は、国の900
兆円越えの全額借金返済事業に使用予定で有る)
88  一心合体圧電素子磁気アタッチメントカード(携帯電話のゲーム機能に対して、インターネットゲーム手段が有るが、インターネット使用料金が現在でも高額の為、庶民生
活の生活費を脅かす為、携帯電話に直接アダプタとして、携帯電話に外ずけ可能な他社と異なる磁気として、圧電素子磁気体
を使用した磁気アタッチメントの形状デザインの異なる圧電素子磁気カード説明で有る)
89  夜行反射板(超長圧電素子磁気カードライトに貼り付け予定のデザイン型の劣化防止剤の固形窒素入り夜行反射板装置説明で有る)
90  超長圧電素子磁気カードライト(このカードは、携帯電話のゲーム及び世界地図用にデザインカードとして、他社に無い圧電素子磁気体を使用したデザインカード説明)
91  圧電素子磁気(通常磁気の砂鉄を、更に細かくした磁気などが、使用されて来ている事実は、砂鉄磁気を超微粒子にする事で、映像の鮮明度を高めて来た技術説明で有り、
その点圧電素子磁気事態が既に超微粒子の為、鮮明度の美しい画像の録画と再生が可能になり、通常磁気を、圧電素子磁気と同じだけ磁気の粒を、細かく
する事で、画像鮮明度を上げる事が出来る事実説明で有る)
92  クリスタルガラス高出力スピーカーマイク(本発明の携帯電話装置は、スピーカーのはてまで水に濡れても錆びない構造の為、更に回路ブロック自体も水を拭き取るだけで
使用可能な装置一つ一つの構造に成っているのも特徴の一つの本携帯の電気消費の少ない高出力スピーカーマイク説明で有る)
93  振動板(超薄型のクリスタルガラスに、超細の鉄線及び麻糸などが網目になって内蔵して有る振動板)
94  一つ削り合わせ魚眼とつレンズ(携帯電話カメラレンズ及び自動車カメラレンズ及びロボットカメラレンズ電気製品カメラレンズなど、全てのカメラのに対して、複数のカ
メラ使用を、しなくて済むように2OO1年3月先考案して有ったカメラレンズで有り、中学卒業後友人のカメラパンフレットに魚眼レンズが
有ったのを記憶していたから出来たカメラレンズデザインで有り、一つ削り合わせ魚眼とつレンズは、半分からしたは、通常画像で有り、
魚眼レンズの分を、画像自動修正する装置で有り、最終的に魚眼レンズを使用して魚眼レンズの全自動補正修正によって広い視野を、画像
装置で一度に確認出来る装置で有り、従って一枚の写真は下は狭く上は広い写真が出来る計算に成り、確かに魚眼レンズだけならば上下全
て広い写真が全自動修正後出来るが基準の無い場合、突然の故障などに対して、ロボットカメラのレンズ補正故障の場合は、困る自体が有
る為、一つ削り合わせ魚眼とつレンズを使用している理由説明と言える)
95   とつレンズ(一般に知られているとつレンズで有り、今回は魚眼レンズととつレンズの合わせ一つ削りレンズのとつレンズとして、紹介した特殊レンズで有る)
96   軽水素トリチウム入りダイオードチップ回路コンピュータ(コンピュータ回路の世界最速スピードを実現する為に、コンピュータダイオード回路のダイオードに軽水素ト
リチウムを入れる事で、軽水素トリチウムの中間子の物質形状の2つの電子が、ダイオード回路のダイオードに
入る為、ダイオード回路のコンピュータ回路の世界最速化を可能に出来た理由説明)
97   軽水素トリチウム入り発光ダイオードチップ回路コンピータ(コンピュータの回路に使用される発光ダイオードは、軽水素トリチウムを、発光ダイオードに内蔵する事で、
軽水素トリチウムの中間子に2個の電子と発光ダイオードのダイオードに2個の電子が入った場合、2個の電子
とダイオードが結び付き電気を流す事で、軽水素トリチウム入りダイオードは増幅発電する為、軽水素入り発
光ダイオードは、電気消費の少ないライトの玉になる事実に対して、圧電素子の発電回路を付けた発光ダイオ
ードのコンピュータ回路は、世界で一番少ない電気消費の発光ダイオードコンピュータ回路説明で有る)
98   軽水素トリチウム入りダイオード撮像装置(軽水素トリチウム入りの発光ダイオードの撮像装置は、ダイオードのみの撮像装置より、撮像データーを送るスピードが、軽
水素トリチウム入りダイオード撮像素子の方が一段と速い事になる軽水素トリチウム素子の合成内蔵効果説明で有る)
99   CCD撮像素子軽水素トリチウム入りフオートダイオード垂直転送用CCD(デジタルカメラに、絶対に必要視されるCCD撮像素子のCCD撮像素子を、CCD軽水素トリチウム入りダ
イオード撮像素子に変える事で、CCD撮像情報を世界最速スピードで、撮像情報を伝える事の出来る
軽水素トリチウムの中間子の物質の2個の電子によって、ダイオードの電気の流れをスムーズムに流
れる事を可能にした軽水素トリチウムの中間子の2個の電子効果だと言える事実で有り、フオートダ
イオード垂直転送用CCDに対しても軽水素トリチウム入りダイオードを使用する事で、世界最速のフ
オートダイオードの垂直転送用CCDが可能になる説明)
100  CーMOS撮像素子の軽水素トリチウム入りアンプフオートダイオード(CーMOSは水平及び垂直に設けられたシフトレジスタによりスイッチを順次に切り替えてダイオード受
光素子電気信号を取り出す装置で有るが、ダイオード受光素子を、軽水素トリチウム入りのダイオー
ド受光素子に変える事で、世界最速の受光素子の世界最速の電気信号に変える事が出来る世界初の技
術の軽水素トリチウム入りのダイオードアンプフオートダイオード素子構造説明で有る)
101  軽水素トリチウム入りフオートダイオード手振れ補正装置(手振れ補正装置は、レンズの一部を動かして調整及び撮像素子自体を全自動で動かして補正する技術は、日本
国内ではシャープ株式会社が、最初にビデオとして販売していたのは記憶に有り、何処の国の誰の特許権だっ
たかは、その当時のシャープのパンフレットにも載っていなかった為、海外の特許権使用技術を、いくらの金
額で契約していたかは特許法の特許権の表示がない為、今だ不明で有る)
102  超小型重水素量調整型軽水素ニッケル充電池電気貯蓄回路(本発明の超小型重水素量調整型軽水素ニッケル充電池電気貯蓄回路は、電気を貯めるコンデンサーの変わりの
装置として考え出した装置で有り、発電回路を応用した世界初のコンデンサー代替えの電気を通す事で、増幅
発電して電気を貯める事の出来る装置で有り、軽水素トリチウム入り圧電素子磁石体に強い電気を通す事で軽
水素トリチウムの中間子構造の2個の電子の圧電素子磁石体の電気打撃発電の2個の電子の相乗誘発発電効果に
よって、増幅発電急速充電出来る装置) 
103  絶縁体回路配線(絶縁体回路配線は、軽水素トリチウム入り圧電素子複数発電回路と超小型重水素量調整型軽水素ニッケル充電池電気貯蓄回路を、絶縁する為の絶縁体回
路配線で有り、 (102)の超小型重水素量調整型軽水素ニッケル充電池電気貯蓄回路装置の重水素量調整型軽水素ニッケル充電池の急速充電を可能にした
装置で有り、追加説明として重水素量調整型軽水素トリチウム充電池を、軽水素トリチウムニッケル充電池に、固形窒素体とセラミック絶縁体またはク
リスタルガラス絶縁体を被せた装置は、重水素量調整型軽水素ニッケル充電池より、軽水素トリチウムニッケル充電池の方が急速充電可能で有り、まだ
まだ充電スピードを速めたい場合、軽水素に液体マグネシウムを混合合成したニッケル充電池は、世界最速充電池になる説明で有る)
104  軽水素トリチウム入り圧電素子複数発電回路(軽水素トリチウム入り圧電素子複数発電回路は、発電回路をコンデンサー代替え品の電気を貯める装置の電気を複数の軽水
素トリチウム入り圧電素子回路の圧電素子の磁気の一番強い部分から、軽水素トリチウム入りの圧電素子の中間にあたる場
所に電子誘導体の超小型絶縁体付き銅板の増幅発電の電子電気誘導を可能にした複数装置の発電回路のコンデンサーの代替
え商品説明で有る)
2009年8月30日PM15時5分15秒図15までは、取り合えず書いたが携帯電話一台丸ごと全世界に無い特許部品で作らなければ、国の900兆円越えの全額借金返済が出来ない為、全
て新しい携帯電話特許部品が足りない為、特許図面の追加書きを続ける練馬区のニャンカンキチ墫野和夫で有る。
2009年8月30日PM20時43分52秒足りない図面16〜図21まで書いたので番号と名称と名称説明を始める練馬区墫野和夫ニャンカンキチで有る。
105  発電回路(無害無給油の半永久連続作動発電機の燃料電池発電機の2連振子型機械式発電機にも、使用された軽水素トリチウム入り圧電素子磁石体の磁極の一番強いプラス
磁極及びマイナス磁極に強い電気を通す事で、軽水素トリチウムの物質の2個の中間子の電子の圧電素子の相乗電子誘発圧電発電による増幅発電を、世界で初め
て新技術増幅発電発明を先に考えた事で有る)
106  セラミック絶縁体(この他、ガラス絶縁体と陶器絶縁体が望ましいが、ガラス絶縁体が一番安く陶器絶縁体は使用された事が無い)
107  銅板電子誘導体(発電回路の軽水素トリチウム入り圧電素子磁石体の磁気の一番強いプラス磁極及びマイナス磁極に一番強い電気をそれぞれ流して軽水素トリチウムの内
容物の中間子の2個の電子の相乗効果の誘発増幅発電した電気は、通常は圧電素子のプラス磁極から流れた強い電気は、マイナス磁極から融合熱電子とし
て、放出または圧電電気打撃効果によって電子飛び出しするのが軽水素トリチウム入りの圧電素子磁石体の圧電素子磁石体の電気打撃効果で有るが、増
幅発電した電気を、プラス増幅電気とマイナス増幅電気として、増幅電気回収する装置として、圧電素子磁石体の中間部分にセラミック等の絶縁体付き
銅板電子誘導体を軽水素トリチウム入りの圧電素子磁石体の丁度真中部分に内蔵設置する事で、軽水素トリチウム入りの圧電素子磁石体の磁気の一番強
い部分から強い電気が流された電気の2個の軽水素中間子の電子の圧電素子の誘発相乗効果の増幅発電が可能になった世界初の軽水素トリチウム入りの圧
電素子磁石体の電気打撃発電の電子電気回収装置の銅板電子誘導体説明で有る)
108  超小型電子反射絶縁体(本来軽水素トリチウム入りの圧電素子磁石体に銅板電子誘導体と電気配線を設けるだけで、増幅電気のどちらか片方のプラスかマイナス電気を得
る事が出来る計算になるのだが、万が一に備えて超小型の電子反射板の絶縁体を入れた発電回路説明としてまとめておく)
109  全自動圧電素子発電池(圧電素子の4個だけで発電した場合は、わずかな発電量だが、軽水素トリチウム入り圧電素子磁石体入りだとすれば発電量は、軽水素トリチウムの
内容物の中間子の2個の電子の圧電素子磁石体の圧電相乗誘発増幅発電量を増やす為、別に発電回路を複数設置する事で、新型自動電池の発電量に、
少しでも近ずけたいのが心情で有り、おそらく自動充電池より、音が出るのも間違いない為、シリコンゴム内側カバーの複数穴空き超薄板グラス
ファイバー板とシリコンゴムペーパーの複数層重ねパネルで音の吸収パネルとしたい考えの説明)
110  鉄球(全自動圧電素子発電池に使用する軽水素トリチウム入り圧電素子磁石体の鉄球の磁気圧電圧力装置の鉄球装置)
2009年8月30日PM22時44分38秒本日は、この辺でペンを置く練馬の墫野和夫で有る外は久しぶりの雨だが、大泉学園郵便局まで、特許文章を出しに行く墫野ニャンカンキチで
有る。
2009年8月31日AM7時58分49秒時代は、弱者国民の自立社会へ裁判をしてまでも、頑張るしか無いのが現状で有る練馬区のニャンことカンキチで有る。
111  レールモーター(企業名DCブラシレスモーターで有るが、本田技研の先技術発明の意味する特許提出より、一年半以上前から、DCブラシレスモーターの先技術考案とDCブ
ラシレスモーターの先技術を、更に発展したDCブラシレスモーター技術が、世界初の高出力DCブラシレスモーター説明で有り、符号の説明56に開設して
いる少ない電気で、高速回転出来るモーター説明で有る)
112  チョウツガイ装置(蝶つがい装置は、全自動軽水素トリチウム入り圧電素子発電池の発電装置部分の連続した上下又は左右いずれかになる(110)の鉄球を(72)の軽水素トリ
チウム入り圧電素子の高出力圧電の発電体装置全体を、蝶つがい装置によって同じ場所での半永久の往復連続の高出力発電体の軽水素トリチウム入り
の圧電素子磁石体の発電操作の鉄球磁気圧電によって、軽水素トリチウム入りの中間子の内容物の2個の電子の融合体物質で有る圧電素子の高出力圧電
連続発電を可能にした装置)
113  スプリング装置(全自動高出力圧電素子発電池の高出力発電装置の電磁石反発連続の半永久連続作動装置以外の装置として、スプリング使用の棒レール形状のインバータ
磁極切換えのレールモーターを使用設置した全自動圧電素子発電池説明で有る)
114  重水素量調整型軽水素トリチウム入りニッケル充電池(本来の説明として、水素ニッケル充電池以上の世界最速充電スピードを叶える為に、水素は、重水素ジュテリウム
と軽水素トリチウムに別れて、重水素は、中間子の電子1個と原子核から成り立ち、軽水素は、中間子の電子2個の
構造から成り立つ水素の構造で有り、水素の熱集合体と言えるプルトニューム原子核量を、水素中から少しずつ少
なくなるように、プルトニュームの原子核量を水素中から減らした水素を、重水素量調整型軽水素トリチウム入り
ニッケルに積載使用した充電池説明で有る)
115  磁極切換えインバータ電磁石(符号の説明の67に中る装置で有り、鋼鉄磁石の内側を刳り貫き、刳り貫いた場所に軽水素トリチウム入り圧電素子磁石体を内蔵して2枚の超
薄型ステンレス板の間に符号の説明77の銅筒官に軽水素トリチウムと圧電素子の粉と微量のシリコンダオードを、軽水素トリチウム漏れ防
止とした混合電気配線を銅筒官配線の中に内蔵した電気配線説明で有り、銅筒官配線を超薄型の2枚のステンレス板の間にコイルとして平板
状に配列内蔵したステンレス板を、鋼鉄磁石枠と一体型の軽水素トリチウム入りダイオードの合成人工永久磁石体に銅筒官コイル入りのス
テンレス板を、人工永久磁石に被せた構造又は貼り付けポルトナット止め方法又は鋼鉄磁石枠に差し込み溶着方法の手段を経て、今まで見
た事無い、マスコミ公開が無い超軽量高出力電磁石は、鋼鉄コイル電磁石以上磁極切換えがスムーズムになるように圧電素子を使用して、
圧電素子の高出力化として、軽水素トリチウムを内蔵した圧電素子磁石体で、対応した磁極切換えインバータ電磁石説明で有る)
116  アンテナ(携帯電話のアンテナで有り、軽水素トリチウム入りの圧電素子磁石体は、電波磁気の構成し易い圧電素子が電波の送受信し易い軽水素トリチウムを混合合成し
て、アンテナ材として、固定する為の固定剤として、エボナイト材を使用して見るが、デジタルテレビアンテナ素子の微粒子を混合合成する手段も有るが、電
波磁気の効率の良いアンテナ素子は、圧電素子磁石体が望ましいと考えるにあたって圧電素子を固定する溶液固定剤は、多種多様とするが、磁気電波の通りを
良くする為に、軽水素トリチウムを、混合合成する為、固定溶剤は、圧電素子を多くした合成の軽水素トリチウム入り圧電素子アンテナ説明になる)
117  三色カラーアンテナ(複数色カラーアンテナの塗料は、複数カラー色塗料に、劣化防止剤の固形窒素と電波の通りを良くする圧電素子磁気と軽水素トリチウムを、混合合
成した電波受信の良いカラー塗料を、アンテナに塗った装置で有るが、デジタル放送の電波受信の悪い場所の補助アンテナ材として、カラー塗料に
劣化防止剤の固形窒素と圧電素子と軽水素トリチウムを入れた電波受信を良くするアンテナ塗料剤として、使用用途が増える見込みで有り、船及び
飛行機及び人工衛星などの超軽量アンテナとしての、使用用途が考えられている説明で有る)
118  反射板入りクリスタルカットガラス(本来この場所は、軽水素トリチウム入り発光ダイオード玉を、三色程使用したアンテナライト玉設定にする考えも有ったが、最近使
用してない近年の形態電話デザインアンテナが有った為、似通ったデザインを描かないで、相手のデザイン特許期間が切れてから対
応する為、今回の反射板入りクリスタルカットガラス使用説明になり、反射板板にデザイン画の複数穴に、カラー色のデザイン画が
反射板と一緒になって浮き出る世界初の技術を取り入れた反射板入りクリスタルカットガラスデザイン構造説明で有る)
119  複数カラーカラープラスチックカバー(最近使用されているのは、ステンレスカバーのようだが、カラー塗料に夜光剤と固形窒素とプラスチック材の合成カラープラスチ
ックカバー装置の他、カラー塗料にガラスの粉と軽水素とシリコンダイオードを混合合成した発電塗料などは、今後携帯の新しい
ソーラーパネルとして、他の塗料のソーラーパネル材の使用用途としても考えて行きたい説明で有り、この場合超薄巻くの軽水素
トリチウム入りの圧電素子シリコンダイオードの透明下塗り塗料が必要になる説明で有る並びに内蔵アンテナとしても使用可能に
なる軽水素トリチウム入り圧電素子だが圧電素子のみでも今まで以上のデジタル受信効果が上がる期待が持てる素材説明で有る)
120  新型自動充電池(小型ゼンマイ装置のゼンマイ板装置の劣化による切断事故防止の事前対策として、ゼンマイ板装置に2本のワイヤを内蔵する新技術改良で、ゼンマイ切れ
防止対策と超小型モーターを、符号の説明の68等の超軽量高出力モーターバイブレイション軸の超軽量高出力モーターを使用する事で、モーターの連続
した作動の電気消費を少なくする高出力モーター世界初の新技術を採用して、符号説明の56の世界初の高出力DCブラシレスモーターによって、企業名DC
ブラシレスモーターで有る特許庁主張の先技術発明より、1年6ケ月前に既に墫野和夫が著作権先技術発生証明によって、著作権の国の関連した北海道知
事郵便物受領証明による先技術証明によるDCブラシレスモーターの墫野和夫のモーター名のレールモーターを、更に高出力DCブラシレスモーターに変え
る事で、世界をリード出来る軽水素トリチウム入り圧電素子磁石体と符号の説明の77の銅筒官配線を使用した高出力DCブラシレスモーターによって、更
に電気消費を少なくしたモーター新技術と符号の説明の105の発電回路の軽水素トリチウム入り圧電素子磁石体を使用した強い電気を軽水素トリチウム入
りの圧電素子磁石体の磁気の強い部分から電気を流す事で、軽水素トリチウム入り圧電素子磁石体の軽水素内容物の中間子の2個の電子の圧電素子磁石体
混合融合の強い電気の電気打撃発電による電気増幅発電技術の発電回路を複数取り入れた自動充電池は、2連振子型自動充電池にしなくても、ダイナモ発
電量とは、驚く程の発電電気量を、世界最新の新技術の軽水素トリチウムを圧電素子磁石体に入れた技術によって軽水素の中間子のトリチウムの2個の電
子を圧電素子に内蔵した技術は、電子自体が既に電気なので、圧電素子磁石体に入ると圧電と言う電気打撃圧電効果発電は電気打撃の際、電気に軽水素
トリチウム電子が圧電素子融合し易いのは、圧電素子自体が基から電子を作り出す他の発明者が編み出した世界特許技術の応用発明の説明で有り、新型
自動自動充電池は、世界初の半永久無給油の連続ダイナモ発電池で有り、更に通常のダイナモ発電量より、多く連続して発電出来る新型自動充電池は、
世界の産業経済市場を、全て塗り替える世界初の発明は、電池税と共に世界の経済安定の為のそれぞれの国の税収になる日が近いのを待ち望む新型自動
充電池の先技術発明者の墫野和夫で有る)
2009年8月31日昼PM12時9分50秒昼食時間にする練馬区の墫野和夫で有る。
2009年8月31日昼PM12時31分27秒昼食後再び書き始める墫野和夫で有る。
121  電気電子増幅装置(新型自動充電池及び特開2003ー328925号公報の自動電池に使用した電子レンジの電気電子増幅装置を利用応用した技術で有り、電子レンジの電気電子
変換装置全体を超小型化して、既に特許切れ電気電子変換装置のマグネトロン部分のプラス増幅電子取り出しとマイナス増幅電子取り出し技術は、圧
電素子磁石体のマグネトロンのプラス磁極とマイナス磁極を配線区分けした技術で有り、この他、通常のマグネトロンは、多層構造になっていて多層
そうそれぞれに電気を、より多く流して電気を多く電子化した装置で有り、電子ライタの電子誘導銅板板を取り付けた構造でもわかる用に、熱電子集
合体が電子の為、熱電子をプラスとマイナスに分ける別の方法として、圧電素子平板両面に超薄型の銅板を張り付けた熱電子のプラス電気とマイナス
電気を瞬時に分ける熱電子の瞬間圧電素子磁気電子の電気磁極分割装置等の方法を使用した電気の増幅装置説明で有る)
122  人工ダイヤ電気カット刃装置(通常の高電圧を低電圧にする場合、変圧器を用いて、低圧配電線によって、高電圧を低電圧にしている構造と、抵抗器をまともに電気を止
める構造の為、ACアダプタに無駄な電気熱が溜まる現象が目立つ事となっていた事実に対して、電気抵抗体部分を、人工ダイヤ電気カット
刃を使用する事で、電気熱を防ぐ対策としたちょとした世界初の技術と電気中の電気抵抗を取り除く装置の特開2004-304993号公報の圧電素
子4電子分割装置又は別名圧電素子3電子分割装置等の圧電素子磁石体を使用した電気の抵抗熱電気を電気中から取り除いた電気を、人工ダ
イヤ電気カット刃と一緒に使った装置で、無駄な電気抵抗を発生させない装置説明で有る)
123  小型ゼンマイ装置(特開2003ー328925号公報の歯車超薄型ダイナモの連続回転作動の補助歯車連続回転作動装置に使用される小型ゼンマイ装置で有り、符号説明の68の超
小型高出力モーターを使用する事で、電気消費を抑えた小型ゼンマイ装置の全自動ゼンマイ巻き取り装置で有り、小型ゼンマイ装置とゼンマイ板の接
触電気センサーでは、ゼンマイ板装置に電気配線に炭素絶縁した電気配線を内蔵した構造にする他、ゼンマイ板自体に電気を通す考えの場合、小型ゼ
ンマイ装置カバーは、絶縁金属のアルミニュームとゼンマイ板接触電気連絡金属を併用した装置になる説明で有る)
124  振子装置(特開2003−328925号公報の自動電池の振り子部品の改良型で有り、振子装置の振り子軸は、振子往復連続作動に伴う磁極切換えイバータ電磁石切換えと同時に
振子軸の電磁石の磁極切換えインバータ制御によって、振子装置歯車の片側の力だけ振子歯車連続作動出来る電磁石振子歯車構造で有り最新式の電磁石軸歯車
構造は、銅筒官コイル配線の軽水素トリチウムり圧電素子磁石体の超微量シリコンダイオード電気配線説明で有る)
125  穴空き金属歯車(特開2003ー328925号公報の穴空き金属歯車は、暗闇または暗がりでも、部品を区別したりわかり易くする為、歯車に支障の無い部分に超小型超ミニの複
数色それぞれのカラープラスチックまたはカラー色のゴムと夜光物質と劣化防止剤の固形窒素合成物質材などを目印に入れる事で、暗がりでも探せる装
置たが、海外腕時計の歯車に、宝石が、歯車に入っていたのを記憶している為、この他の技術として、反射板を入れるか反射板と色ガラスのコンビ使用
または、軽水素トリチウムの発光ダイオードライト玉の超小型ライト玉装置も、デザインの視野に入れて置く考えの説明で有る)
126  反発側電磁石左側(特開2003−328925号公報の反発側電磁石左側装置は、インバータ磁極切換え装置の可変抵抗器の装置変えでは、軽水素トリチウム入りの圧電素子磁石
体の増幅発電装置の超小型発電回路の複数配線の電気増幅配線回路装置もしくは、発電回路の大小を複数使用した電気量の全自動軽水素トリチウム入
りダイオード配線回路装置などを使用したインバータ装置と別の電気抵抗を使用しないインバータ構造装置等が考えられる装置を大きくするならば、
電気を磁気電気にして、プラス磁気電気とマイナス磁気電気にして、電気の強さ量を、磁気計測の軽水素トリチウム入り圧電素子超小型パネルを使用
した磁気電気計測パネルの考え方も有る説明の振り子装置の反発作動の電磁石増幅装置で有り、コイルは銅筒官コイル配線を使用しているコイル構造
説明で有る)
127  反発側電磁石右側(特開2003ー328925号公報の自動電池の反発側電磁石右側装置は、符号説明の126の反発側電磁石左側説明を右側に変えた説明で有る)
128  インバータ装置(磁極切換えインバータ制御の簡単な電気信号軽水素トリチウム入りダイオードスイッチによって、鋼鉄枠軽水素トリチウム入り圧電素子磁石体の磁極切
り換えの軽水素トリチウム入り電気信号スイッチは、振子装置の最大振子角度に達した時、電磁石に電気信号が送られる構造になっている為、振子装置
の電気信号連絡装置が書かれてなくても、実際は付いている計算説明に成る)
この他、磁極切換えのDCブラシレスモーターの墫野和夫名のレールモーターは、中央処理装置を使用した磁極切換えインバータ装置のレールモーターを
携帯電話の音声をゆっくり伝える2000年の著作権技術原本所有財産のモーターなどの技術使用に成る)
129  レールモーター止め金具装置(レールモーター止めるポルトナット穴金具装置)
130  高出力ダイナモ止め金具装置(符号説明の8の高出力ダイナモを固定するボルトナット止め金具装置で有り、高出力ダイナモ装置は、ダイナモの中央部分を刳り貫き刳り貫
いた場所に軽水素トリチウム入り圧電素子磁石体を入れて超薄型ステンレスカバーを被せた世界初の通常ダイナモの同じ大きさのダイナモ
で有る軽水素トリチウム入り圧電素子磁石体のダイナモの電気打撃発電を軽水素トリチウム入り圧電素子磁石体の軽水素トリチウムの中間
子の2個の電子の圧電素子磁石体融合のダイナモ発電電気の電気打撃軽水素トリチウム入り圧電素子磁石体発電を可能にした通常ダイナモの
内側を刳り貫いて、刳り貫いた場所に軽水素トリチウム入り圧電素子磁石体を、入れた構造の超軽量高出力ダイナモ装置の説明で有る)
131  ダイナモ軸(高出力ダイナモのダイナモ軸装置)
132  ダイナモ軸固定装置(通常ダイナモの中央部分を刳り貫いて、代わりに刳り貫いた場所に軽水素トリチウム入り圧電素子磁石体を入れた場合、ダイナモ回転の際中央部分
の軽水素トリチウム入り圧電素子磁石体と通常ダイナモ部分が分離したり軽水素トリチウム入り圧電素子磁石体の崩壊を防ぐ為のダイナモ軸と通常
ダイナモを、カラー金属板とポルトナットで固定した軽水素トリチウム入りの圧電素子磁石体内臓の高出力ダイナモ装置のダイナモ軸の固定装置説
明で有り、ダイナモの中央部分を切り抜く場合、四角形等の角ばった形状で通常ダイナモを、切り抜くのが望ましい説明で有る)
133  軽水素トリチウム入り圧電素子止め金穴装置(軽水素トリチウム入り圧電素子磁石体の滑落防止の為の超薄型ステンレス板を止める穴装置で有る)
この他、著作権技術として高出力ダイナモの軽水素トリチウム入り圧電素子磁石体の滑落防止装置の超薄型ステンレス2枚の
間に、銅筒官電気配線を入れる事で、高出力ダイナモモーターの電気配線のデザイン説明で有り、2枚のステンレス板にコイ
ルを内蔵した高出力ダイナモモーター構造のデザイン説明でも有る)
134  電気モーターカミソリ装置(多機能新技術携帯電話の新型自動充電池の無害無給油連続半永久連続作動発電充電池の電気エネルギーを専用の電気供給アダプタジャックに
よって、電気供給可能な超小型電気カミソリ装置の電気供給説明で有る)
135  高出力モーター外カバーナット型設置装置(高出力モーターの外モーターカバーをポルト式にして電気カミソリにモーターポルト回転で止める事の出来るモーター外カバ
ーポルトナット構造説明で有る)
136  超小型超軽量高出力モーター(モーターカバーはプラスチック等の石油系超軽量物質を、超薄型パネルに複数の立方体をした構造の枡目状のブロックを平板に貼り付けて
再び超薄型の超軽量薄板を張り付けたプラスチック板等の超軽量プラスチック枡目構造の超軽量モーターカバー等にモーター内コイル鉄板
の中央部分を刳り貫いた場所に軽水素トリチウム入り圧電素子を代わりに入れる事で、モーター総重量を軽くして、ステンレスカバーを掛
けて超軽量の銅筒官コイル配線の筒の中に、軽水素トリチウム入りの圧電素子磁石体と超微量のシリコンダイオードを軽水素トリチウムの
電気配線漏れ防止の為に超微量のシリコンダイオードと軽水素と圧電素子磁石体の超微粒子を混合合成して作り上げた電気の通り易い物質
とで作り上げた電気コイル配線を、銅筒官コイル配線の銅筒官電気配線の構造説明で有り、超軽量モーター部品を組み合わせて作り上げた
形状の超小型超軽量高出力モーター装置説明で有る)
137  電力ジャック部分(符号の説明の134の電気モーターカミソリ装置の電気を充電供給する為の電力ジャック部分のデザイン装置部分の説明で有る)
138  はがね板スプリングストッパー金具装置(錆び止め剤を塗ったはがねスプリングで有り、はがねスプリング板表面は、はがね金属物質の超微粒子粒または砂鉄粒などを貼
り付けた形状に錆び止めのクロームメッキ等の処置を行ったはがね板スプリング装置で有り、はがね板装置に錆び止めとて、プ
ラスチックカバー接着処理を行ったはがね板装置の説明で有り、はがね板の取り付けは、刺し込み式くさび接着ストッパー方式
を採用しているはがね板スプリングストッパー装置の構造説明で有る)
139  斜線状デザインカミソリ刃(通常のカミソリ刃形状は、十字ブロック刃のデザイン形状を変えた電気カミソリ刃の別のデザイン形状刃の説明で有る)
140  電気モーターカミソリ刃カバー装置(電気カミソリ刃カバーの金属が薄い為、壊れたり穴が空いたりする対策として、鋼鉄板に複数穴を空けたカミソリ刃カバー装置説明
で有る)
141  劣化防止夜行塗料パネル(通常の塗料及び夜行塗料剤は、太陽光の光の熱吸収によって、塗料の劣化及び夜光剤の劣化に至る為、塗料及び夜光剤が、太陽光によって急激
な温度上昇にならないように、固形窒素材を塗料及び夜光剤に入れた太陽光劣化防止剤入りの夜光剤塗料パネル説明で有る)
142  ニッケルブロック(符号の説明の114の重水素量調整型軽水素トリチウムニッケル充電池のニッケルブロック装置で有り、取り外して掃除が出来る為、重水素量調整軽水素
液を、再びニッケルブロック掃除後に入れると新品の充電池になる自然に優しい充電池ブロック掃除型の構造説明とリサイクル充電池説明で有る)
143  ボルトナット式電極棒(ニッケル銅合金の電極棒で有り、電極棒自体がポルトナット形状になっている重水素量調整型軽水素トリチウムニッケル充電池説明で有る)
144  ナット型充電池蓋装置(符号説明の134の電気モーターカミソリ装置の114の重水素量調整型軽水素トリチュームニッケル充電池の充電池部品等を組み込む為のナット型充
電池蓋装置)
145  重水素量調整型軽水素トリチウム液補給装置(最新式の充電池の考え方で有り、充電池の電極棒と電気充電ブロック等の電解液の不順物質の付着による充電池充電不能事
故対策として、充電池の構造を全て部品にして、組立直して重水素量調整型軽水素ニッケル気化液を再び注入する事で、新
品の充電池として、再利用出来る充電池の再利用部品構造に於いての充電池液の注入装置は、符号説明の144のナット型充電
池蓋装置のナット面に充電池気化液注入ポルトナットストッパー装置を取り付けた最新式の充電池構造で有る)
146  デジタル携帯電話カメラ(デジタル信号を使用した携帯電話カメラ)
147  ノーマル携帯電話カメラ(ノーマル信号を使用した携帯電話カメラ)
148  軽水素トリチウム入り撮像素子(A)(携帯電話の前後を同時に取れるカメラのCーMOSの軽水素トリチウム入りのダイオード撮像素子のCーMOS撮像トリチウム入りダイオード
素子の前方の被写体物体ABをデジタル信号に変える手前の被写体を色別に記録する装置)
149  軽水素トリチウム入り撮像素子(B)(携帯電話の前後を同時に取れるカメラのCーMOSの軽水素トリチウム入りのダイオード撮像素子のCーMOS撮像トリチウム入りダイオード
素子の公報の被写体物体CDをデジタル信号に変える手前の被写体を色別に記録する装置)
150  コンピュータCPU(デジタル携帯電話カメラの物体ABは、撮像素子(A)によって、光被写体データーを、軽水素トリチウム入り撮像素子(A)データーをコンピュータCPUによ
つて、デジタル信号化され、パターンプロジェクトカードに一時入力したデーターを、モニターに映す事を可能にする為の物体等のデーターを撮像化し
たデーターを、デジタル信号に変える為のコンピュータCPU装置で有る)
151  アンテナパターンプロジェクトカード(パターンプロジェクトカードとは、四季の被写体形状データを、被写体形状データセンターまたは、他の機器の四季の被写体形状
データを、携帯電話の被写体データボタン一つで、データを送受信出来る2本アンテナの携帯電話で有り、2本アンテナの無線波及
び衛星無線波によつて、被写体形状データーを、ストック出来るカードで有り、他社の通常磁気を止めて、圧電素子磁石体粒子を、
ナノマイクロまで、超微粒子にした圧電素子磁石体磁気を使用している他とは異なった録画再生可能なデータをストック再生出来
る圧電素子カードの説明で有る)
152  パターンデータ入力場所(合成写真を、簡単に作る為の許可を得た被写体をストックするパターンプロジェクトカードの超薄巻くの軽水素トリチウム圧電素子シリコンダ
イオード膜シート形状のソーラーパネル付きカードで有りICチップ送受信装置の超薄板蓄電池付きIC装置内蔵のパターンプロジェクトカードは、
携帯電話に接続しなくても、近くに置くだけで、無線弱電波送受信装置によって、画像音声のデーターを取り込む事が出来るカードで有り、デ
ータージャックアダプタによって、携帯電話使った高速データーの送受信が可能になるパターンプロジェクトカードの説明で有る)
パターンプロジェクトカードの記録する磁気は、ナノミクロンまで磨り潰した圧電素子磁石体成分を使用した磁気記録装置を、被写体形状スト
ック部分のパターンデーター入力場所と主力データ入力場所の3ヶ所に分ける事の出来る圧電素子磁気カードで有り、主力データー入力場所の多
層そうにする為、0、005ミリメートルのプラスチックシートを多層そうカードの一部としたパターンプロジェクトカードの多層そうの構造説明
で有る)
153  充電池2重層IC(パターンプロジェクトカードアンテナの弱電波送受信回路をICに内蔵した装置で有り、パターンプロジェクトカードのアンテナは、少し太めのアンテナで
対応して有り、将来的には、ICの板に弱電波送受信を入れる事を考えたい少し太めのカードアンテナは、アダプタ差し込み式アンテナが望ましいデザイン
形状で有る)
154  超小型表裏両面2連MD卵型空洞装置(符号説明の151のアンテナパターンプロジェクトカードが商品登録したり、実用新案登録が通らなかったり、特許請求が通らなかった
場合、超小型表裏両面2連MD卵型空洞装置の携帯電話積載装置として、代わりの特許提出として考えて行かなければならない説明で有
る。
超小型の2連MDは、MDケースの両面に卵型空洞の穴を空ける事で、CDの録画再生機能を、MDのケースの卵型空洞を空けた装置と、昔のレコー
ドの用に両面録音録画が出来る新しいデザインのMD装置で有り、携帯電話用に、超小型MDとして、録画再生量の為、両面MD装置にして
更に録画再生量が少ない場合超小型の2連MDにMD構造デザインを変えた装置説明で有る)
155  差し込み式名前ソーラーパネル(携帯電話の超小型の循環式燃料電池は、携帯電話の発電池装置で有り、差し込み式名前ソーラーパネル入りの軽水素トリチウム入りプラ
スチックプリント超薄型内蔵ソーラーシール及び軽水素トリチウム入り切り絵プリントシール内蔵の軽水素トリチウム入り圧電素子シリ
コンダイオードソーラーパネルを、超小型循環式燃料電池の熱カバーパネルとして、更に夜でも、発電する軽水素トリチウム入り圧電素
子シリコンダイオードパネルで有り、超小型循環式燃料電池発電池は、富士山の上で、ご飯を炊くと100度以下で沸騰する条件利用として、
超小型循環式燃料電池内の空気全てを、予め抜き取ってから、軽水素トリチウム入りの水を入れるのだが、最初は、超小型のクリスタル
ガラスで、超小型の循環式燃料電池の軽水素トリチウム入りの水の量を決める事が出来た上で、超小型循環式燃料電池発電池は、魔法瓶
構造の二重構造にして、電熱線熱と沸騰水熱を、携帯電話全ての装置から守るパネル構造説明で有る)
この他、液体マグネシウムに軽水素トリチウムとシリコンダイオードを、混合合成させた物質の超微粒子粒を、圧電素子磁石体に入れた
超高出力発電装置と液体マグネシウムに軽水素トリチウムとシリコンダイオードを混合合成した粒を、ソーラーパネルの軽水素トリチウ
ム入りシリコンダイオード装置等のパネルに液体マグネシウムに軽水素トリチウムとシリコンダイオードを混合合成した物質を、超微粒
子にした粒を、ソーラーパネル及びあらゆる家電製品の熱吸収発電パネルとして、世界の経済商品の熱発電パネル材として、経済産業省
等の国の機関を通じて、海外の特許切れ本元事業者と、日本の国の全額900兆円超えの全額借金返済事業を、今までに無い事柄の大学抜き
企業抜きと言う説明に成り立つ、先著作権技術発明の保護をしない特許庁の考えに対抗して、経済産業省と新たに変わった政治団体と、
新たに特許提出全額免除で、作り上げて来た大学個人資産組及び、本田技研のDCブラシレスモーターの用に提出主義の為に、提出主義の
本田技研より、先著作権発明技術の北海道庁知事の郵便物の発明に関する物件事実の物件受理が、本田技研の特許提出日より、1年6ケ月
も、前に先著作権技術発明している事実確認をしても、先発明の著作権技術の先技術発生の優先技術発明を、特許庁は、絶対に認めて無
い事実に対して弱者国民全体の永遠の生活権を守る活動をして来た立場上、特許庁の平等な特許料金の有りかたに対して、国の政治団体
に働き掛けて行く考えで有り、国のトップの政治団体が、いかなる理由が合っても、例え世界初の著作権先技術発明が、国の機関で証明
されても、人の生活権より、お金を増やし続ける資本主義優先に、何処までも弱者国民の生活を切り捨てて行く考えなのか政治家回答も、
マスコミを通じて自由民主党筆頭に回答を求める考えの説明で有る)
156  超小型八角形型連結圧電素子文字(軽水素トリチウム入り発光ダイオードライト玉式のライト玉形状は、丸型を変えて八角形型連結デザインに改めると同時に名前等の他
とは異なった文字連結形状文字が望ましい文書説明で有る)
157  軽水素トリチウム入りプラスチックプリント超薄型シール(携帯電話のソーラーパネル発電パネルデザインの一つの手段で有り、プラスチックに軽水素トリチウムを合成
内蔵する事で、ソーラーパネルの軽水素トリチウムの圧電素子磁石体合成発電を可能にした装置説明で有る)
158  超小型燃料電池の補助ソーラー発電燃料電池カバー装置(世界的有名な、液体マグネシウムを、気化水素と気化酸素の瞬間吸収発電機を、世界で初めて超小型の半永久連
続発電池に技術成功し携帯電話の、燃料電池発電の燃料電池発電熱を使用した軽水素トリチウム入りのシリコン
ダイオードで有り、現在軽水素トリチウム入りのシリコンダイオードのスクリュー配線に基ずいた熱電気スピー
ドの軽水素トリチウム入り圧電素子の軽水素電子のシリコンダイオードスクリュー電気配線の熱電気増幅発電も、
視野に入れた新しい世界初の発電方法に関した発電方法の説明で有る)
159  軽水素トリチウム入りの切り絵プラスチック発電シート(本発明の軽水素トリチウム入りの発電シートは、紙の本及び新聞等の紙の考え方から、軽水素トリチウム入りの
プラスチック紙に対して超薄型の軽水素トリチウム入りのシリコンダイオードを、超薄型プラスチック膜で、作
った発電プラスチックシート紙は、超小型の軽水素トリチウム入りダイオードライト本及びノートの商品化を、
経済産業省及び文部省とプラスチック紙のリサイクルとして、更にプラスチック容器のリサイクルの再資源利用
を、国の再資源利用システムの推進課と安定した国と庶民全体の国作りを進めて行く説明で有る)
更に、世界初の新技術として、発電糸及び蓄電糸として、糸を軽水素トリチウム入りシリコンダイオード糸に、
他の糸の素材を被せた糸で有り、プラスチック及びテトロン及びナイロン及び亜麻糸及び絹糸及び笹糸及び雑草
糸及びヤシの実糸などの全ての糸の蓄電体に成り、冬山の服及び水中服及び動物の寒冷地での服及び冬用の服と
して、上手く行くとおそらくニクロム線無しの保温服が商品として可能で有る)
160  超小型循環式燃料電池(本発明の燃料電池は、本田技研とトヨタ自動車の燃料電池発電機を、携帯電話の発電池の大きさまで縮小した技術で有り、本発明に限っては、真
空装置の燃料電池システムを、携帯電話の電池までの縮小より、特殊電熱ニクロム線を利用積載使用した超小型の携帯電話用の発電池説明で有り
複数穴軽水素トリチウム入りシリコンダイオード超微粒子と圧電素子磁石体構成物質合成の軽水素漏れ防止の軽水素トリチウム入り圧電素子の複
数穴パネル装置によって、液体マグネシウムの発電した電気を速やかに、プラス電気とマイナス電気に分ける装置で有る。
161  軽水素トリチウム水(燃料電池発電機を水素タンク無しの水素無給油方式を可能にした水に軽水素トリチウムだけを多めに入れた燃料電池循環水素補給無しの半永久連続
作動発電機の発電物質説明で有る)
162  液体マグネシウム(本田技研工業自動車に使用している本田技研が、水素と酸素の瞬間発電物質の特許提出していない液体マグネシウム技術で有り、固形マグネシウムを
高温で温めると液体マグネシウムが出来るが、暖め過ぎると燃焼し易い特徴が有る水素と酸素の瞬間吸収物質)
163  特殊電熱線(特殊電熱線は、電熱線温度を直接超小型循環式燃料電池の発電池のカバー温度の手中的熱溜まりを防ぐ為に、まず最初にニクロム線が温まり易くした世界初
の電熱線ニクロム線技術で有るニクロム線を筒官状にしてから、ニクロム線筒官に、テングステンの電球使用の金属をニクロム線官に内蔵する事で、ニクロ
ム線を温まり易くした新技術のニクロム線技術で有り、陶器ニクロム線リングセラミックニクロム線リングを巻いてから複数穴空きアルミニューム官を巻き
つけて、再び陶器リングを複数穴アルミニューム官に巻きつけて、再び複数穴の鉄官及びステンレス板パネルを、複数穴アルミニューム官に複数穴ステンレ
ス管を巻きつけた、ニクロム線熱が直接超小型循環式燃料電池発電池のカバーの手中熱溜まり事故が起こらない用に対策した、燃料電池ニクロム線発電装置
の特殊電熱線構造説明で有る)
この他、陶器粘土と大理石の石の粉を混合合成して陶器絶縁体リングにした特殊リングは、特殊リングを作る過程で機械圧縮掛けた絶縁体リング装置を高温
で陶器加工した世界初の陶器絶縁体技術説明で有り、鋼鉄リングに陶器粘土物質を巻いて機械圧縮掛けて高温で焼いた陶器金属内蔵リングなどの商品構造説
明で有る)
164  複数穴軽水素トリチウム入り圧電素子電気磁気誘導パネル(確かに、燃料電池の液体マグネシウムのシート技術技術が有るが液体マグネシウムで瞬間発電した電気の電気
熱溜まりを防げないのが、海外技術の液体マグネシウムのシート装置で有り、トヨタ自動車の固形水素に対し
ても、固形水素発電の電気熱溜まりは、防げないのが事実の為、少なくてもこの部分だけでも世界特許技術に 
なる他社に無い先発明技術で説明で有る)
165  テングステン入りニクロム筒官電熱線(ニクロム筒官電熱線筒官に昔から使用されているライトの玉のテングステン金属を内蔵した電熱ニクロム線で有り、テングステン
金属を使用している為、最初のニクロム電熱線の温まりは、速くなり、一定温度になると金属熱比率が安定して落ち着く新しいテ
ングステン入り電熱ニクロム線の構造説明で有る)
166  複数穴空きアルミニューム官(特殊電熱線の4重構造電熱ニクロム線に使用積載する複数穴空きアルミニューム官の装置で有り、符号の説明164にも書かれて有る陶器リン
グ絶縁体装置二つをテングステン入り電熱ニクロム筒官装置に取り付ける陶器リング絶縁体に取り付けられる複数穴空きアルミニューム官
の説明で有る)
167  複数穴空きステンレス鉄板官(符号の説明の超小型循環式燃料電池の160に使用する符号の説明の166の複数穴空きアルミニューム官に陶器リング2個取付た場所に複数穴空
きステンレス鉄官を取り付けた特殊電熱線の構造説明で有る)
168  軽水素トリチウム入りプラスチックシリコンダイオード水配管(符号の説明の160の超小型循環式燃料電池の符号説明の161の軽水素トリチウム入りの水を移動する為の水
官装置で有り、軽水素トリチウム入りプラスチックシリコンダイオードの熱水熱の微少量発電可能な超小
型の水官説明で有る)
169  水溜め空洞装置(符号の説明の160の超小型循環式燃料電池の符号の説明の161の水に軽水素トリチウムを入れた燃料電池の発電物質の水を溜置き出来る空洞で有り、携帯
電話が傾いても連続発電出来る構造説明の一つで有る)
170  超小型大理石粒内蔵亜鉛枠リング(符号説明の160の超小型循環式燃料電池に使用する(163)の特殊電熱線に使用する電熱線の電気熱拡散装置の金属筒官の分離する為のリン
グ説明で有る。
171  多目的複数ICカード付きパターンプロジェクトカード(パターンプロジェクトカードに、多目的複数ICカードがカードの両面に複数取り付けられた、複数の店で使用出来る
総合カードのパターンプロジェクトカードと両方が使用可能なアンテナと超小型送受信回路装置と超小型ソーラーパネル充電池を内蔵積載したカード)
172  一つ削り上下魚眼とつレンズ(2009年9月5日PM19時20分頃の追加発明で有り、日本国の特許庁には、著作権先技術の発生事実説明に於いての特許書きに至る為、先著作権
技術確認証明は、大事な位置ずけになる)
173  テングステン玉切れ防止ライト玉装置(アルミニューム)の超小型超細のアルミニューム網にテングステン金属を被せた電球の玉切れ防止ライト玉金属装置説明)
174  軽水素トリチウムネオンシリコンダイオード(発光ダイオード玉の軽水素シリコンダイオードにネオンガスを追加した発光ダイオード玉の明るさを変える追加素子説明で
有る)
175  超細圧電素子磁石体内臓テングステンコイル(軽水素トリチウム入りシリコンダイオードの熱吸収のシリコンダイオード発電電気エネルギーに対して、超細圧電素子磁石
体内蔵テングステンに軽水素トリチウムシリコンダイオード等の発電した電気エネルギーと重水素量調整型軽水素トリチウ
ムニッケル充電池の電気エネルギーを超細圧電素子磁石体内臓テングステンコイルに電気を流す事によって、軽水素トリチ
ウム入り圧電素子の電気打撃軽水素トリチウム電子の相乗誘発発電を軽水素トリチウム電子入りの圧電素子磁石体が、軽水
素トリチウム電子の圧電素子の増幅電気発電が出来る装置説明で有る。
176  ケイ素超微粒子貼り付け穴空き軽水素トリチウム入りダイオードシート(本発明の(160)の超小型循環式燃料電池の(161)の軽水素トリチウム入り水は、水成分の重水素を
全て取り除いた軽水素と酸素の組合せの水に、更に軽水素だけを足した重水素抜きの水で有り、
低い温度でも、蒸気になり易い(161)の軽水素トリチウム入り水を溜める軽水素微粒子粒貼り付け
穴空き軽水素トリチウムダイオードシート説明で有る)
177  テングステン電熱線(重水素の全て取り除いた水は、軽水素トリチウム電子酸素の水に成り、軽水素全てが電子と言う事になる為、電気吸収が早い為、直ぐに水が気化す
る為、今度こそ、少ない電気エネルギーで、超小型の電熱線の水の蒸気気化に成功出来ると現在確信している所で有る)
178  軽水素トリチウム入りシリコンダイオード発電網内蔵ガラス装置(クリスタル画像パネルの世界初の技術の軽水素トリチウム入りシリコンダイオード発電網装置は、2枚の
クリスタルガラスの中に、熱発電出来る世界初の技術のシリコンダイオードに軽水素トリチウムを入れ
た発電網は、画像映写熱を、軽水素トリチウム電子が吸収して、発電出来るテレビ視界を、生かした世
界初の画像ガラスパネルの映写熱の発電出来る軽水素トリチウム入りシリコンダイオード網の軽水素ト
リチウム電子効果説明で有る)
179  テングステン電熱線発電シート(160の超小型循環式燃料電池の軽水素トリチウム電子入りの軽水素だけの水を、低い温度で、蒸気を作る為に、軽水素トリチウム入りシー
トの中央部に、軽水素トリチウム電子内蔵の圧電素子の中に、テングステン金属にセラミックを巻いた電熱線を内蔵する事によって、電
気の弱いニクロム線によって、水温を38度に出来る温度調整型ニクロム線によって、(161)の軽水素トリチウム入り水が、低い温度で、蒸
気発生させたたり、水温を上げたり出来る装置説明で有る)
180  液体マグネシウム内蔵圧電素子(本発明の160の超小型循環式燃料電池に使用内臓する燃料電池のマグネシウム発電が効果的に発電出来る用に圧電素子磁気による電気磁気
変換出来る装置で有り、デザイン上、半分が液体マグネシウム内蔵圧電素子磁石体発電パネルで有り、もう半分は、軽水素トリチウム入
りシリコンダイオード穴空きパネルによって、低い水温だけでも、発電出来る世界初の軽水素トリチウム入りシリコンダイオードの燃料
電池発電シートが、内蔵された160の超小型循環式燃料電池の液体マグネシウムの発電した電気の最速電気磁気の電気変換装置説明で有る)
181  液体マグネシウム内臓圧電素子絶縁配線(液体マグネシウム内蔵圧電素子の複数体の発電した電気を誘導貯蓄する為の陶器絶縁体付きの絶縁配線説明で有る)
182  複数穴空き軽水素トリチウム電子入りシリコンダイオード発電パネル(軽水素トリチウム電子入りシリコンダイオードの熱発電シートに蒸気と水が通り易い穴を設けた、1
60の超小型循環式燃料電池の低い温度でも、発電出来る発電シート説明で有る)
183  発電回路コンデンサー(通常のコンデンサーは、発電しないが、発電回路コンデンサーは、電気打撃発電を発電回路が行って、増幅電気を供給出来る装置)
184  高出力モータ枠発電装置(高出力モーターの枠を、軽水素トリチウム電子入りの圧電素子シリコンダイオード磁気配線をリング配線状に186の永久磁石の軽水素トリチウム
入りの永久磁石Hと一体になっている電磁誘導軽水素トリチウム電子の圧電素子磁気打撃発電可能な184の高出力モーター枠発電装置)
185  軽水素トリチウム入り圧電素子シリコンダイオード磁気電子コイル配線(銅の微粒子または銅の細糸配線を、軽水素トリチウム入り圧電素子シリコンダイオード磁気電子
コイル配線に内蔵した新しいデザイン形状の銅の量を更に少なくした超細糸の銅糸配線を複数軽
水素トリチウム入り圧電素子シリコンダイオード磁気電子コイル配線を内蔵した電気配線説明で
有る)
186  永久磁石H(軽水素トリチウム電子を内蔵した圧電素子磁石体で有り、他にステレス網を被せた軽水素トリチウム入り圧電素子磁石体と複数穴空きの超薄型ステンレス板を
被せた軽水素トリチウム入り圧電素子磁石体と超薄型ステンレス板で包んだ軽水素トリチウム入り圧電素子磁石体の永久磁石などが有る)
【図１】
2010171943.tif 000003
【図２】
2010171943.tif 000004
【図３】
2010171943.tif 000005
【図４】
2010171943.tif 000006
【図５】
2010171943.tif 000007
【図６】
2010171943.tif 000008
【図７】
2010171943.tif 000009
【図８】
2010171943.tif 000010
【図９】
2010171943.tif 000011
【図１０】
2010171943.tif 000012
【図１１】
2010171943.tif 000013
【図１２】
2010171943.tif 000014
【図１３】
2010171943.tif 000015
【図１４】
2010171943.tif 000016
【図１５】
2010171943.tif 000017
【図１６】
2010171943.tif 000018
【図１７】
2010171943.tif 000019
【図１８】
2010171943.tif 000020
【図１９】
2010171943.tif 000021
【図２０】
2010171943.tif 000022
【図２１】
2010171943.tif 000023
【図２２】
2010171943.tif 000024
【図２３】
2010171943.tif 000025
【図２４】
2010171943.tif 000026
【図２５】
2010171943.tif 000027
【図２６】
2010171943.tif 000028
【図２７】
2010171943.tif 000029
【図２８】
2010171943.tif 000030
【図２９】
2010171943.tif 000031
【図３０】
2010171943.tif 000032
【図３１】
2010171943.tif 000033
【図３２】
2010171943.tif 000034
【図３３】
2010171943.tif 000035
【図３４】
2010171943.tif 000036
【図３５】
2010171943.tif 000037
【図３６】
2010171943.tif 000038
【図３７】
2010171943.tif 000039
【図３８】
2010171943.tif 000040
【図３９】
2010171943.tif 000041
【図４０】
2010171943.tif 000042
【図４１】
2010171943.tif 000043
【図４２】
2010171943.tif 000044
【図４３】
2010171943.tif 000045